(57)【要約】  本願の実施例は、スロットフォーマット指示方法及び関連製品を開示し、ネットワークデバイスが端末にスロットフォーマット指示ＳＦＩを送信することを含み、前記ＳＦＩが少なくとも１つのキャリアのスロットフォーマットを示し、前記少なくとも１つのキャリアが第１のキャリアを含み、前記ＳＦＩが示すスロットフォーマットが第１のサブキャリア間隔に基づいて決定され、前記第１のキャリアのサブキャリア間隔が前記第１のサブキャリア間隔の整数倍である。本願の実施例は、特定のキャリアのサブキャリア間隔に依存することなく、１つ又は複数のキャリアのスロットフォーマットの指示を可能にする。
2021510019.tif 000002
【特許請求の範囲】
【請求項１】
ネットワークデバイスが端末にスロットフォーマット指示ＳＦＩを送信することを含み、
前記ＳＦＩが少なくとも１つのキャリアのスロットフォーマットを示し、前記少なくとも１つのキャリアが第１のキャリアを含み、前記ＳＦＩが示すスロットフォーマットが第１のサブキャリア間隔に基づいて決定され、前記第１のキャリアのサブキャリア間隔が前記第１のサブキャリア間隔の整数倍である
ことを特徴とするスロットフォーマット指示方法。
【請求項２】
前記少なくとも１つのキャリアがさらに第２のキャリアを含み、前記第２のキャリアのサブキャリア間隔が前記第１のサブキャリア間隔であり、前記第１のキャリアのサブキャリア間隔が第２のサブキャリア間隔であり、前記第２のサブキャリア間隔が前記第１のサブキャリア間隔のＮ倍である場合、前記第１のキャリアにおいて前記ＳＦＩによって示すスロット数が前記第２のキャリアにおいて前記ＳＦＩによって示すスロット数のＮ倍であり、Ｎが正の整数である
ことを特徴とする請求項１に記載のスロットフォーマット指示方法。
【請求項３】
前記第２のキャリアにおいて前記ＳＦＩによって示すｉ番目のスロットの開始時間が前記第１のキャリアにおいて前記ＳＦＩによって示す（ｉ−１）＊Ｎ＋１番目のスロットの開始時間と同じであり、前記第２のキャリアにおいて前記ＳＦＩによって示すｉ番目のスロットの終了時間が前記第１のキャリアにおいて前記ＳＦＩによって示すｉ＊Ｎ番目のスロットの終了時間と同じであり、且つ前記第１のキャリアにおいて前記ＳＦＩによって示す（ｉ−１）＊Ｎ＋１番目〜ｉ＊Ｎ番目のスロットのスロットフォーマットが同じであり、ｉが正の整数である
ことを特徴とする請求項２に記載のスロットフォーマット指示方法。
【請求項４】
前記第１のサブキャリア間隔が予め構成されたサブキャリア間隔であり、又は、
前記第１のサブキャリア間隔が、前記ＳＦＩを搬送するキャリアのサブキャリア間隔であり、又は、
前記第１のサブキャリア間隔が、前記ネットワークデバイスからの構成情報により構成されたサブキャリア間隔である
ことを特徴とする請求項１〜３のいずれか１項に記載のスロットフォーマット指示方法。
【請求項５】
前記ＳＦＩがキャリア数の識別情報を含み、前記キャリア数の識別情報が、前記少なくとも１つのキャリアに含まれるキャリア数を示す
ことを特徴とする請求項１〜３のいずれか１項に記載のスロットフォーマット指示方法。
【請求項６】
前記ＳＦＩが少なくとも１つのキャリアアイデンティティを含み、前記少なくとも１つのキャリアアイデンティティのキャリアアイデンティティの数が前記キャリアの数と同じであり、前記少なくとも１つのキャリアアイデンティティの各キャリアアイデンティティが、前記少なくとも１つのキャリアのうちの１つのキャリアを示し、前記少なくとも１つのキャリアアイデンティティのうちの異なるキャリアアイデンティティによって示すキャリアが異なる
ことを特徴とする請求項１〜３のいずれか１項に記載のスロットフォーマット指示方法。
【請求項７】
端末がネットワークデバイスにより送信されたスロットフォーマット指示ＳＦＩを受信することと、
前記端末が前記ＳＦＩに基づいて、少なくとも１つのキャリアの各キャリアのスロットフォーマットを決定することとを含み、
前記ＳＦＩが少なくとも１つのキャリアのスロットフォーマットを示し、前記少なくとも１つのキャリアが第１のキャリアを含み、前記ＳＦＩが示すスロットフォーマットが第１のサブキャリア間隔に基づいて決定され、前記第１のキャリアのサブキャリア間隔が前記第１のサブキャリア間隔の整数倍である
ことを特徴とするスロットフォーマット指示方法。
【請求項８】
前記少なくとも１つのキャリアがさらに第２のキャリアを含み、前記第２のキャリアのサブキャリア間隔が前記第１のサブキャリア間隔であり、前記第１のキャリアのサブキャリア間隔が第２のサブキャリア間隔であり、前記第２のサブキャリア間隔が前記第１のサブキャリア間隔のＮ倍である場合、前記第１のキャリアにおいて前記ＳＦＩによって示すスロット数が前記第２のキャリアにおいて前記ＳＦＩによって示すスロット数のＮ倍であり、Ｎが正の整数である
ことを特徴とする請求項７に記載のスロットフォーマット指示方法。
【請求項９】
前記第２のキャリアにおいて前記ＳＦＩによって示すｉ番目のスロットの開始時間が前記第１のキャリアにおいて前記ＳＦＩによって示す（ｉ−１）＊Ｎ＋１番目のスロットの開始時間と同じであり、前記第２のキャリアにおいて前記ＳＦＩによって示すｉ番目のスロットの終了時間が前記第１のキャリアにおいて前記ＳＦＩによって示すｉ＊Ｎ番目のスロットの終了時間と同じであり、且つ前記第１のキャリアにおいて前記ＳＦＩによって示す（ｉ−１）＊Ｎ＋１番目〜ｉ＊Ｎ番目のスロットのスロットフォーマットが同じであり、ｉが正の整数である
ことを特徴とする請求項８に記載のスロットフォーマット指示方法。
【請求項１０】
前記第１のサブキャリア間隔が予め構成されたサブキャリア間隔であり、又は、
前記第１のサブキャリア間隔が、前記ＳＦＩを搬送するキャリアのサブキャリア間隔であり、又は、
前記第１のサブキャリア間隔が、前記ネットワークデバイスからの構成情報により構成されたサブキャリア間隔である
ことを特徴とする請求項７〜９のいずれか１項に記載のスロットフォーマット指示方法。
【請求項１１】
前記ＳＦＩがキャリア数の識別情報を含み、前記キャリア数の識別情報が、前記少なくとも１つのキャリアに含まれるキャリア数を示す
ことを特徴とする請求項７〜９のいずれか１項に記載のスロットフォーマット指示方法。
【請求項１２】
前記ＳＦＩが少なくとも１つのキャリアアイデンティティを含み、前記少なくとも１つのキャリアアイデンティティのキャリアアイデンティティの数が前記キャリアの数と同じであり、前記少なくとも１つのキャリアアイデンティティの各キャリアアイデンティティが、前記少なくとも１つのキャリアのうちの１つのキャリアを示し、前記少なくとも１つのキャリアアイデンティティのうちの異なるキャリアアイデンティティによって示すキャリアが異なる
ことを特徴とする請求項７〜９のいずれか１項に記載のスロットフォーマット指示方法。
【請求項１３】
通信ユニットを備えるネットワークデバイスであって、
前記通信ユニットは、端末にスロットフォーマット指示ＳＦＩを送信するように構成され、
前記ＳＦＩが少なくとも１つのキャリアのスロットフォーマットを示し、前記少なくとも１つのキャリアが第１のキャリアを含み、前記ＳＦＩが示すスロットフォーマットが第１のサブキャリア間隔に基づいて決定され、前記第１のキャリアのサブキャリア間隔が前記第１のサブキャリア間隔の整数倍である
ことを特徴とするネットワークデバイス。
【請求項１４】
処理ユニットと通信ユニットを備える端末であって、
前記通信ユニットは、ネットワークデバイスにより送信されたスロットフォーマット指示ＳＦＩを受信するように構成され、前記ＳＦＩが少なくとも１つのキャリアのスロットフォーマットを示し、前記少なくとも１つのキャリアが第１のキャリアを含み、前記ＳＦＩが示すスロットフォーマットが第１のサブキャリア間隔に基づいて決定され、前記第１のキャリアのサブキャリア間隔が前記第１のサブキャリア間隔の整数倍であり、
前記処理ユニットは、前記ＳＦＩに基づいて、前記少なくとも１つのキャリアの各キャリアのスロットフォーマットを決定するように構成される
ことを特徴とする端末。
【請求項１５】
プロセッサと、メモリと、送受信機と、前記メモリに記憶され前記プロセッサによって実行されるように構成された１つ以上のプログラムとを備え、前記プログラムは、請求項１〜６のいずれか１項に記載の方法におけるステップを実行するための命令を含む
ことを特徴とするネットワークデバイス。
【請求項１６】
プロセッサと、メモリと、通信インターフェースと、前記メモリに記憶され前記プロセッサによって実行されるように構成された１つ以上のプログラムとを備え、前記プログラムは、請求項７〜１２のいずれか１項に記載の方法におけるステップを実行するための命令を含む
ことを特徴とする端末。
【請求項１７】
スロットフォーマット指示のためのコンピュータプログラムが格納され、前記コンピュータプログラムは、請求項１〜６のいずれか１項に記載の方法をコンピュータに実行させる
ことを特徴とするコンピュータ読み取り可能な記憶媒体。
【請求項１８】
スロットフォーマット指示のためのコンピュータプログラムが格納され、前記コンピュータプログラムは、請求項７〜１２のいずれか１項に記載の方法をコンピュータに実行させる
ことを特徴とするコンピュータ読み取り可能な記憶媒体。
【発明の詳細な説明】
【技術分野】
【０００１】
本願は、通信技術分野に関し、特に、スロットフォーマット指示方法及び関連製品に関する。
【背景技術】
【０００２】
新しいラジオ( ｎｅｗ ｒａｄｉｏ、ＮＲ )システムでは、スロット（ｓｌｏｔ）または直交周波数分割多重( Ｏｒｔｈｏｇｏｎａｌ Ｆｒｅｑｕｅｎｃｙ Ｄｉｖｉｓｉｏｎ Ｍｕｌｔｉｐｌｅｘｉｎｇ、ＯＦＤＭ )シンボルをスケジューリング単位とし、各スロットは１４個のＯＦＤＭシンボルを含む。ＮＲシステムのフレーム構成は、柔軟な構成とすることができ、１つのスロットにＤＬ ( ｄｏｗｎｌｉｎｋ )のためのシンボル、ＵＬ ( ｕｐｌｉｎｋ )のための用シンボル、予約( ｒｅｓｅｒｖｅｄ )シンボル、未知( ｕｎｋｎｏｗｎ )シンボルがあり、例えば、準静的ＤＬ / ＵＬ構成情報によってスロットフォーマットを構成し、この構成情報は、スロット内のＤＬ、ＵＬ、予約シンボル、未知シンボルの個数、位置などを示すことができる。ここで、予約シンボルはＤＬまたはＵＬの伝送のために使用されないが、未知のシンボルは、ＤＬまたはＵＬの送信のために下り制御情報( Ｄｏｗｎｌｉｎｋ Ｃｏｎｔｒｏｌ Ｉｎｆｏｒｍａｔｉｏｎ、ＤＣＩ )シグナリングによって上書き、たとえば、基地局は、動的シグナリンググループ共通下り制御チャネル( ｇｒｏｕｐ ｃｏｍｍｏｎ ＰＤＣＣＨ、ＧＣ−ＰＤＣＣＨ )を介してスロットフォーマット指示( ｓｌｏｔ ｆｏｒｍａｔ ｉｎｄｉｃａｔｏｒ、ＳＦＩ )を送信することができ、半静的に構成された未知のシンボルは、ＤＬまたはＵＬシンボルに変更されることにより、新しいスロットフォーマットを示し、ＳＦＩにおいて、ＤＬのためのシンボル、ＵＬのためのシンボル、およびｕｎｋｎｏｗｎシンボルを示すことができる。
【０００３】
複数のキャリアシステムにおけるキャリア間のスロットフォーマット指示をサポートし、すなわち、あるキャリア上で送信されるＳＦＩが別のキャリア上のスロットフォーマットを示すことができ、このキャリア上で送信されるＳＦＩによって別のキャリア上のスロットフォーマットをどのように示すかが、当業者によって検討されている技術的課題である。
【発明の概要】
【０００４】
本願の実施例は、特定キャリアのサブキャリア間隔に依存せずに、一つ又は複数のキャリアのスロットフォーマット指示を可能にするスロットフォーマット方法及び関連製品を提供する。
【０００５】
第１の態様として、本願の実施例は、スロットフォーマット指示方法を提供し、
ネットワークデバイスが端末にスロットフォーマット指示ＳＦＩを送信することを含み、前記ＳＦＩが少なくとも１つのキャリアのスロットフォーマットを示し、前記少なくとも１つのキャリアが第１のキャリアを含み、前記ＳＦＩが示すスロットフォーマットが第１のサブキャリア間隔に基づいて決定され、前記第１のキャリアのサブキャリア間隔が前記第１のサブキャリア間隔の整数倍である。
【０００６】
第２の態様として、本願の実施例は、スロットフォーマット指示方法を提供し、
端末がネットワークデバイスにより送信されたスロットフォーマット指示ＳＦＩを受信することと、
前記端末が前記ＳＦＩに基づいて、少なくとも１つのキャリアの各キャリアのスロットフォーマットを決定することとを含み、
前記ＳＦＩが少なくとも１つのキャリアのスロットフォーマットを示し、前記少なくとも１つのキャリアが第１のキャリアを含み、前記ＳＦＩが示すスロットフォーマットが第１のサブキャリア間隔に基づいて決定され、前記第１のキャリアのサブキャリア間隔が前記第１のサブキャリア間隔の整数倍である。
【０００７】
第３の態様として、本願の実施例は、上記第１の態様のネットワークデバイスの動作を実現する機能を有するネットワークデバイスを提供する。これらの機能は、ハードウェアで実現してもよいし、対応するソフトウェアをハードウェアで実行することで実現してもよい。ハードウェア又はソフトウェアは、上述の機能に対応する１つ以上のモジュールを含む。１つの可能な設計では、ネットワークデバイスは、上記の方法のそれぞれの機能を実行するようにネットワークデバイスをサポートするように構成されたプロセッサを含む。さらに、ネットワークデバイスは、ネットワークデバイスと端末との間の通信をサポートするための送受信機をさらに含み得る。さらに、ネットワークデバイスは、プロセッサと結合し、ネットワークデバイスに必要なプログラム命令及びデータを記憶するメモリをさらに含み得る。
【０００８】
第４の態様として、本願の実施例は、上記第２の態様の端末の動作を実現する機能を有する端末を提供する。これらの機能は、ハードウェアで実現してもよいし、対応するソフトウェアをハードウェアで実行することで実現してもよい。ハードウェア又はソフトウェアは、上述の機能に対応する１つ以上のモジュールを含む。１つの可能な設計では、端末は、上記の方法のそれぞれの機能を実行するように端末をサポートするように構成されたプロセッサを含む。さらに、端末は、ネットワークデバイスと端末との間の通信をサポートするための送受信機をさらに含み得る。さらに、端末は、プロセッサと結合し、端末に必要なプログラム命令及びデータを記憶するメモリをさらに含み得る。
【０００９】
第５の態様として、本願の実施例は、プロセッサと、メモリと、送受信機と、１つまたは複数のプログラムとを備えるネットワークデバイスを提供し、１つまたは複数のプログラムは、メモリに記憶され、プロセッサによって実行されるように構成され、プログラムは、本願の実施例の第１の態様のいずれかの方法のステップを実行するための命令を含む。
【００１０】
第６の態様として、本願の実施例は、プロセッサと、メモリと、通信インターフェースと、１つまたは複数のプログラムとを含む端末を提供し、１つまたは複数のプログラムは、メモリに記憶され、プロセッサによって実行されるように構成され、プログラムは、本願の実施形態の第２の態様のいずれかの方法のステップを実行するための命令を含む。
【００１１】
第７の態様として、本願の実施例は、スロットフォーマット指示のためのコンピュータプログラムを記憶するコンピュータ可読記憶媒体を提供し、ここで、前記コンピュータプログラムは、本願の実施例の第１の態様のいずれかに記載のステップの一部又は全部をコンピュータに実行させる。
【００１２】
第８の態様として、本願の実施例は、スロットフォーマット指示のためのコンピュータプログラムを記憶するコンピュータ可読記憶媒体を提供し、ここで、前記コンピュータプログラムは、本願の実施例の第２の態様のいずれかに記載のステップの一部又は全部をコンピュータに実行させる。
【００１３】
第９の態様として、本願の実施例は、コンピュータプログラムを記憶する非一時的コンピュータ可読記憶媒体を備えるコンピュータプログラム製品を提供し、コンピュータプログラムは、本願の実施例の第１の態様のいずれか１つに記載のステップの一部または全部をコンピュータに実行させるように動作可能である。前記コンピュータプログラムは、ソフトウェアのインストールパッケージであってもよい。
【００１４】
第１０の態様として、本願の実施例は、コンピュータプログラムを記憶する非一時的コンピュータ可読記憶媒体を備えるコンピュータプログラム製品を提供し、コンピュータプログラムは、本願の実施例の第２の態様のいずれか１つに記載のステップの一部または全部をコンピュータに実行させるように動作可能である。前記コンピュータプログラムは、ソフトウェアのインストールパッケージであってもよい。
【００１５】
このように、本願の実施例において、このＳＦＩによって指示されるスロットフォーマットは、第１のサブキャリア間隔に基づいて決定され、上記の少なくとも１つのキャリアのうちのいずれかのキャリアのサブキャリア間隔は、この第１のサブキャリア間隔の整数倍であり、したがって、少なくとも１つのキャリアが複数のキャリアである場合、本願の実施例を用いて、複数のキャリアのスロットフォーマットの指示を可能にし、この少なくとも１つのキャリアが第１のキャリアのみを含む場合、本願の実施例を用いて、この第１のキャリアのキャリア間隔に依存せずに、第１のキャリアのスロットフォーマットの指示を可能にする。
【図面の簡単な説明】
【００１６】
以下、本発明の実施の形態について図面を参照して説明する。
【図１】本願の実施例における無線通信システムの構成図である。
【図２】本願の実施例におけるスロットフォーマット指示方法のフローチャートである。
【図３】本願の実施例におけるスロットフォーマット指示ＳＦＩに含まれるフィールド構成の模式図である。
【図４】本願の実施例における他のスロットフォーマット指示方法のフローチャートである。
【図５】本願の実施例における他のスロットフォーマット指示方法フローチャートである。
【図６】本願の実施例におけるネットワークデバイスの構成図である。
【図７】本願の実施例における端末の構成図である。
【図８】本願の実施例における他のネットワークデバイスの構成図である。
【図９】本願の実施例における他の端末の構成図である。
【発明を実施するための形態】
【００１７】
以下、本発明の実施例について図面を参照して説明する。
【００１８】
図１は、本発明の実施例において、端末１０１、ネットワークデバイス１０２、及びコアネットワーク１０３を少なくとも含む無線通信システム１００の構造を示す模式図である。任意選択で、無線通信システム１０内のデバイスは、無線通信技術を使用して通信することができ、たとえば、この無線通信技術は、第２の世代移動体通信技術( Ｔｈｅ２ ｎｄ−Ｇｅｎｅｒａｔｉｏｎ、２Ｇ )、第３世代移動体通信技術( Ｔｈｅ３ ｒｄ−Ｇｅｎｅｒａｔｉｏｎ、３Ｇ )、ロングタームエボリューション( ｌｏｎｇ ｔｅｒｍ ｅｖｏｌｕｔｉｏｎ、ＬＴＥ )、第４世代移動体通信技術( ｔｈｅ４ｔｈ  Ｇｅｎｅｒａｔｉｏｎ ｍｏｂｉｌｅ Ｃｏｍｍｕｎｉｃａｔｉｏｎ、４Ｇ )、第５世代移動体通信技術( ｔｈｅ５ ｔｈ−Ｇｅｎｅｒａｔｉｏｎ、５Ｇ )、またはワイヤレスフィデリティ( ＷＩｒｅｌｅｓｓ−Ｆｉｄｅｌｉｔｙ、Ｗｉ−ＦＩ )技術、またはブルートゥース技術、またはｚｉｇｂｅｅ技術、または他の既存の通信技術、またはその後に検討される通信技術などであり得る。
【００１９】
端末１０１は、無線通信機能を有するハンドヘルドデバイス(例えば、携帯電話、タブレット、パームトップなど)、車載デバイス(例えば、自動車、自転車、電気自動車、航空機、船舶、列車、鉄道など)、ウェアラブルデバイス(例えば、スマートウォッチ、スマートブレスレット、歩数計など)、スマートホーム機器(例えば、冷蔵庫、テレビ、エアコン、電力計など)、飛行機器(例えば、無人機、航空機)、スマートロボット、プラント機器、無線モデムに接続可能な他の処理機器、及び様々な形態のユーザ機器、移動局( ｍｏｂｉｌｅ ｓｔａｔｉｏｎ、ＭＳ )、端末( ｔｅｒｍｉｎａｌ ）、端末装置（ ｔｅｒｍｉｎａｌ Ｅｑｕｉｐｍｅｎｔ )などであってもよい。
【００２０】
ネットワークデバイス１０２ ( １つまたは複数である)は、ネットワーク側のデバイス、例えば、５Ｇの基地局、４Ｇの基地局、または無線ネットワークアクセス機能を実装し得る任意の他のデバイスなどであり得る。コアネットワーク１０３は、ネットワークデバイス１０２に対するトランスポートサービスの設定、例えばサービス品質( Ｑｕａｌｉｔｙ ｏｆ Ｓｅｒｖｉｃｅ、ＱｏＳ )に関するパラメータの設定に用いられる。
【００２１】
なお、図１に示す無線通信システム１００は、本開示の技術的解決策をより明確に説明するためのものに過ぎず、本開示を限定するものではなく、ネットワークアーキテクチャの進化と新たなビジネスシナリオの出現に伴い、本開示が提供する技術的解決策が、類似の技術的課題に対して同様に適用されることは、当業者にとって明らかである。
【００２２】
以下、本願に関連する技術を紹介する。
【００２３】
現在、複数のキャリアシステム及び複数の帯域幅部分（ｂａｎｄｗｉｄｔｈ ｐａｒｔ、ＢＷＰ）においてキャリア間のスロットフォーマット指示をサポートし、すなわち、あるキャリア上で送信されるＳＦＩが別のキャリア上のスロットフォーマットを示すことができ、このキャリア上で送信されるＳＦＩによって別のキャリア上のスロットフォーマットをどのように示すかが、当業者によって検討されている技術的課題である。
【００２４】
上記課題に対し、本願の実施例では、以下の実施例を提案し、添付図面を参照して説明する。
【００２５】
図２を参照すると、図２は、本発明の実施例によるスロットフォーマット指示方法のフローチャート図であり、この方法は、図１に示されたアーキテクチャに基づいて実現し、または、他のアーキテクチャに基づいて、実現してもよく、方法は、以下のステップを含むが、これらに限定されない。
【００２６】
ステップＳ２０１において、ネットワークデバイスが端末にスロットフォーマット指示ＳＦＩを送信し、該ＳＦＩが少なくとも１つのキャリアのスロットフォーマットを示し、該少なくとも１つのキャリアが第１のキャリアを含み、ＳＦＩによって示すスロットフォーマットが第１のサブキャリア間隔に基づいて決定され、第１のキャリアのサブキャリア間隔が該第１のサブキャリア間隔の整数倍である。
【００２７】
具体的に、該第１のサブキャリア間隔が該第１のキャリアの以外の他のキャリアのサブキャリア間隔であり、又は、該第１のサブキャリア間隔は、ある特定のキャリアのサブキャリア間隔ではなく、サブキャリア間隔を判断することができる値であり、該第１のサブキャリア間隔の値が該第１のキャリアのサブキャリア間隔と同じであることを排除しないが、本質的に、このＳＦＩによって示すスロットフォーマットは、該第１のキャリアのサブキャリア間隔に基づいて決定されるものではない。また、該ＳＦＩは、該第１のキャリアの１つのスロットのスロットフォーマットに使用され、又は、該ＳＦＩは、該第１のキャリアの少なくとも２つのスロットのスロットフォーマットに使用される。
【００２８】
該少なくとも１つのキャリアの各キャリアにおいてスロットフォーマットが指示されるスロット数が該第１のサブキャリアと一定の関係があり、目標キャリアが該少なくとも１つのキャリアのうちのいずれかのキャリアである場合、目標キャリアのサブキャリア間隔が該第１のサブキャリア間隔のＸ倍であり、該目標キャリアにおいて該ＳＦＩによって示すスロット数がＸ＊Ｙ倍であり、ＸとＹともが正の整数である。なお、該目標キャリアが異なるキャリアである場合、このＸの値が異なっても良い。このように、前記第１のキャリアのサブキャリア間隔が前記第１のサブキャリア間隔の整数倍である。
【００２９】
ある可能な方式において、該少なくとも１つのキャリアがさらに第２のキャリアを含み、該第２のキャリアのサブキャリア間隔が該第１のサブキャリア間隔であり（任意選択で、前記第１のサブキャリア間隔が前記ＳＦＩの送信時刻において第２のキャリアのサブキャリア間隔である）、該第１のキャリアのサブキャリア間隔が第２のサブキャリア間隔であり、該第２のサブキャリア間隔が該第１のサブキャリア間隔のＮ倍である場合、該第１のキャリアにおいて該ＳＦＩによって示すスロット数が該第２のキャリアにおいて該ＳＦＩによって示すスロット数のＮ倍である、Ｎが正の整数である。
【００３０】
例えば、第２のキャリアのサブキャリア間隔が１５ＫＨｚであり、第１のキャリアのサブキャリア間隔が６０ＫＨｚであり、即ち、該第１のキャリアのサブキャリア間隔が該第２のキャリアのサブキャリア間隔の４倍である場合、該第１のキャリアのスロットの数が該第２のキャリアのスロットの数の４倍であり、例えば、該第２のキャリアに１０個のスロットがある場合、該第１のキャリアにおいて同じ時間に４０個のスロットがある。キャリアのサブキャリア間隔とスロット数とがこの関係があるため、本願の実施例は、該ＳＦＩによって第１のキャリアのスロットフォーマット及び第２のキャリアのスロットフォーマットを示す場合、該第１のキャリアにおいて指示されるスロット数と該第２のキャリアにおいて指示されるスロット数との関係を考え、具体的に、該第１のキャリアのサブキャリア間隔（即ち第２のサブキャリア間隔）が該第２のキャリアのサブキャリア間隔（即ち第１のサブキャリア間隔）のＮ倍である場合、該第１のキャリアにおいて該ＳＦＩによって示すスロット数が該第２のキャリアにおいて該ＳＦＩによって示すスロット数のＮ倍である。
【００３１】
例えば、第２のキャリアのサブキャリア間隔（即ち第１のサブキャリア間隔）が１５ＫＨｚであり、第２のキャリア上のスロット数が１００個であり、且つ第１のキャリアのサブキャリア間隔（即ち第２のサブキャリア間隔）が６０ＫＨｚである場合、第１のキャリアの同じ時間内のスロット数が４００個である。又は、各ＳＦＩが第２のキャリア上の１０個のスロットの構成を示す場合、該各ＳＦＩが第１のキャリア上の４０個のスロットフォーマットを示す。このように、１０個のＳＦＩで第２のキャリア上の１００個のスロットのスロットフォーマット及び第１のキャリア上の４００個のスロットのスロットフォーマットを示す。
【００３２】
また、例えば、第２のキャリアのサブキャリア間隔（即ち第１のサブキャリア間隔）が１５ＫＨｚであり、第２のキャリア上のスロット数が１００個であり、且つ第１のキャリアのサブキャリア間隔（即ち第２のサブキャリア間隔）が６０ＫＨｚである場合、第１のキャリアの同じ時間内のスロット数が４００個である。又は、各ＳＦＩが第２のキャリア上の１０個のスロットの構成を示し、且つ該各ＳＦＩが第１のキャリア上の１０個のスロットフォーマットを示す。このように、１０個のＳＦＩで第２のキャリア上の１００個のスロットのスロットフォーマット及び第１のキャリア上の１００個のスロットのスロットフォーマットを示すが、第１のキャリアにおいて３００個のスロットのスロットフォーマットが示されない。この結果、第１のキャリア上に残る３００個のスロットのスロットフォーマットを示すために、ＳＦＩの一部が追加で構成され、この場合、追加の通信オーバーヘッドをもたらす可能性があり、又は、第１のキャリア上に残る３００個のスロット分の構成を示さず、この場合、３００個のスロットリソースの浪費が生じる。
【００３３】
また、第２のキャリアのＳＦＩが示すスロット数と第１のキャリアにおいてこのＳＦＩが示すスロット数との関係は、一例であり、実際には、この複数のキャリアのうちの任意の２つのキャリア間において、一方のキャリアのサブキャリア間隔が他方のキャリアのサブキャリア間隔のＮ倍である場合、他方のキャリアにおいてＳＦＩが示すスロット数は、一方のキャリアにおいてこのＳＦＩが示すスロット数のＮ倍である。
【００３４】
例えば、複数キャリアのうち、サブキャリア間隔が最小のキャリアをキャリア１とし、この複数のキャリアが少なくともキャリア２、キャリア３、キャリア４、キャリア５を含み、キャリア１のサブキャリア間隔が７.５ＫＨｚ、キャリア２のサブキャリア間隔が１５ＫＨｚ、キャリア３のサブキャリア間隔が３０ＫＨｚ、キャリア４のサブキャリア間隔が６０ＫＨｚ、キャリア５のサブキャリア間隔が１２０ＫＨｚであるとする。上記ＳＦＩが示すキャリア２上のスロット数は、ＳＦＩが示すキャリア１上のスロット数の２倍であり、上記ＳＦＩが示すキャリア３上のスロット数は、ＳＦＩが示すキャリア１上のスロット数の４倍であり、上記ＳＦＩが示すキャリア４上のスロット数は、ＳＦＩが示すキャリア１上のスロット数の８倍であり、上記ＳＦＩが示すキャリア５上のスロット数は、ＳＦＩが示すキャリア１上のスロット数の１６倍である。
【００３５】
本願の実施例は、各キャリアにおいて指示されたスロットの数を述べたが、具体的に指示されたスロットがどのようなものか、またどれであるかは限定しない。例えば、第１のキャリアには１００個のスロットが含まれ、上記ＳＦＩは、この１００個のスロットのうち５個のスロットを指示しているが、この５個のスロットは、具体的には、この１００個のスロットのうちのどの５個であるかは限定されない。
【００３６】
ある可能な例において、前記第２のキャリアにおいて前記ＳＦＩによって示すｉ番目のスロットの開始時間が前記第１のキャリアにおいて前記ＳＦＩによって示す（ｉ−１）＊Ｎ＋１番目のスロットの開始時間と同じであり、前記第２のキャリアにおいて前記ＳＦＩによって示すｉ番目のスロットの終了時間が前記第１のキャリアにおいて前記ＳＦＩによって示すｉ＊Ｎ番目のスロットの終了時間と同じであり、且つ前記第１のキャリアにおいて前記ＳＦＩによって示す（ｉ−１）＊Ｎ＋１番目〜ｉ＊Ｎ番目のスロットのスロットフォーマットが同じであり、ｉは正の整数であり、厳密に、ｉは、前記第２のキャリア上の前記ＳＦＩで示されるスロットの数以下である。
【００３７】
例えば、Ｎ＝５、第２のキャリアに１０個のスロットがある場合、第１のキャリアに５０個のスロットがある。以上の規則から、ｉは１〜５までの正の整数であっても良く、ｉ＝１のとき、前記第２のキャリア上の前記ＳＦＩが指示する１番のスロットの開始時間は、前記第１のキャリア上の前記ＳＦＩが指示する１番目のスロットの開始時間と同じであり、前記第２のキャリア上のＳＦＩが指示する１番目のスロットの終了時間は、前記第１のキャリア上の前記ＳＦＩが指示する５番目のスロットの終了時間と同じであり、前記第１のキャリア上の前記ＳＦＩが指示する１番目のスロット〜５番目のスロットのスロットフォーマットは同じである。ｉ＝２のとき、前記第２のキャリア上の前記ＳＦＩが指示する２番目のスロットの開始時刻は、前記第１のキャリア上の前記ＳＦＩが指示する６番目のスロットの開始時刻と同一であり、前記第２のキャリア上の前記ＳＦＩが指示する２番目のスロットの終了時刻は、前記第１のキャリア上の前記ＳＦＩが指示する１０番目のスロットの終了時刻と同一であり、前記第１のキャリア上の前記ＳＦＩが指示する６番目〜１０番目のスロットのスロットフォーマットは同一である。ｉが他の値である場合、以下のように類推され、ここで一々列挙はしない。
【００３８】
ある可能な例において、第２のキャリア上のＳＦＩが示すｉ番目のスロットの開始時間が、第１のキャリア上のＳＦＩが示す（j-１） ＊ Ｎ ＋ １番目のスロットの開始時間と整合される場合、第２のキャリア上のＳＦＩが示すｉ番目のスロットの終了時間は、第１のキャリア上のＳＦＩが示すｊ ＊ Ｎ番目のスロットの終了時間と整合され、第１のキャリア上のＳＦＩが示す（ ｊ−１ ） ＊ Ｎ ＋ １〜ｊ ＊ Ｎ番目のスロットのスロットフォーマットは同じであり、ｉ及びjが正の整数である。
【００３９】
ある可能な方式において、前記第１のサブキャリア間隔が予め構成されたサブキャリア間隔であり、例えば、プロトコルにおいて該第１のサブキャリア間隔が使用のために予め定義され、ネットワークデバイス及び端末が該第１のサブキャリア間隔を知る。
【００４０】
ある可能な方式において、前記第１のサブキャリア間隔が、前記ＳＦＩを搬送するキャリアのサブキャリア間隔であり、すなわち、ＳＦＩがどのキャリア上でこのサブキャリア間隔が送信されるかは、第１のサブキャリア間隔であり、ＳＦＩを搬送するキャリアは、上記の第１のキャリアではない、すなわち、ＳＦＩが第１のキャリア上のスロットのスロットフォーマットを示すことを可能にするために、ＳＦＩを搬送するキャリアのサブキャリア間隔によって、ＳＦＩが最初に決定される。
【００４１】
ある可能な方式において、前記ネットワークデバイスが端末にスロットフォーマット指示ＳＦＩを送信する前に、該方法は、さらに、前記ネットワークデバイスが前記端末に構成情報を送信することを含み、これに対応し、該端末が該ネットワークデバイスにより送信された構成情報を受信し、前記構成情報は、前記第１のサブキャリア間隔を示す。つまり、該第１のサブキャリア間隔は、ネットワークデバイスが準静又は動的に構成情報を送信して示し、該構成情報は、ＳＦＩに含めることができる。
【００４２】
さらに、ネットワークデバイスによって送信される構成情報は、ブロードキャスト情報、無線リソース管理ＲＲＣシグナリング、または制御情報であっても良い。
【００４３】
ある可能な方式において、該ＳＦＩがキャリア数の識別情報を含み、該キャリア数の識別情報が前記少なくとも１つのキャリアのキャリア数を示す。すなわち、上記の少なくとも１つのキャリアの数は、キャリア数識別情報によって示される必要があり、例えば、ＳＦＩには、このキャリア数の識別情報をカプセル化するためのフィールドが含まれ、このフィールドの値が０１１である場合には、少なくとも１つのキャリア数が具体的に３つであることを示し、フィールドの値が１０１である場合には、少なくとも１つのキャリア数が具体的に５つであることを示す。
【００４４】
ある可能な方式において、前記ＳＦＩが少なくとも１つのキャリアインデックスを含み、前記少なくとも１つのキャリアインデックス内のキャリアインデックスの数が前記少なくとも１つのキャリア内のキャリアの数と同じであり、前記少なくとも１つのキャリアインデックスの各キャリアインデックスは、前記少なくとも１つのキャリア内の１つのキャリアを示し、前記少なくとも１つのキャリアインデックス内の異なるキャリアインデックスが示すキャリアが異なる。
【００４５】
ある可能な方式において、該ＳＦＩがスロットフォーマットインデックスを含み、任意選択で、該スロットフォーマットのインデックスが１つ以上であり、１つの場合、該少なくとも１つのキャリア上のスロットのスロットフォーマットは、全て、１つのスロットフォーマットインデックスによって表されるスロットフォーマットであり、複数の場合、該複数のスロットフォーマットインデックスのうちのスロットフォーマットインデックスの数と少なくとも１つのキャリアのキャリア数とが同じであってもよく、その場合、１つのスロットフォーマットインデックスが１つのキャリア上のスロットフォーマットを示す。
【００４６】
ある可能な方式において、該少なくとも１つのキャリアが複数のキャリアである場合、このＳＦＩは、スロットフォーマット同一指示フィールドを含み、このフィールドは、ＳＦＩによって示されるすべてのキャリア上のスロットが同じスロットフォーマットを採用するかどうかを示すために使用される。例えば、ＳＦＩに１ビットのスロットフォーマット同一指示フィールドが含まれ、該ビットが１である場合、該ＳＦＩが指示する全キャリア上のスロットが同一のスロットフォーマットを有することを示し、この時、１つのスロットフォーマットインデックスで全キャリア上のスロットのスロットフォーマットを指示でき、このビットが０の場合、ＳＦＩが示す全キャリア上のスロットが異なるスロットフォーマットを有することを示し、この時、各キャリア上のスロットフォーマットは、ＳＦＩが示すキャリア数と同数のスロットフォーマットインデックスでそれぞれ指示される必要がある。
【００４７】
例えば、複数のキャリアシステム又は複数のＢＷＰにおいて、この端末が８個のキャリア(それぞれ０〜７の番号を有する)をサポートし、ネットワークデバイスは、Ｎ個のキャリアのスロットフォーマットを示すＳＦＩを構成することができ、ここで、１＜＝ Ｎ＜＝ ８、例えば、Ｎ ＝ ３、すなわち、ＳＦＩにおける３個のキャリアのスロットフォーマットを示し、具体的には、ＳＦＩには、３ビットのキャリア識別情報のようにキャリアの数を示すフィールドが含まれ、ＳＦＩが適用キャリア数を示す。このＳＦＩは、キャリアインデックスが０、３、６の順になるキャリアのスロットフォーマットを示す必要があり、キャリア０でＳＦＩが送信されるものとし、キャリア０のサブキャリア間隔が１５ｋＨｚ、キャリア３のサブキャリア間隔が３０ｋＨｚ、キャリア６のサブキャリア間隔が６０ｋＨｚとし、ＳＦＩが示すスロットフォーマットは、キャリア０のサブキャリア間隔、すなわち１５ｋＨｚを基準とすることを予め定められた方法で決定される。図３に示すように、図３には７つのフィールドが示されており、左から右に、１番目のフィールドがをカプセル化するキャリア数の識別情報０１１は、３つのキャリアのスロットフォーマットが必要であることを示し、２番目のフィールドがカプセル化するキャリアインデックス０００は、キャリアインデックスが０であるキャリアを示し、３番目のフィールドがカプセルするスロットフォーマットインデックス００００１０は、キャリアインデックスが０であるキャリア上のスロットのスロットフォーマットが該スロットフォーマットインデックス００００１０が示すスロットフォーマットであることを示し、該スロットフォーマットインデックスがキャリア０上の１つのスロットのスロットフォーマットを示し、４番目のフィールドがカプセル化するキャリアインデックス０１１は、キャリアインデックスが３であるキャリアを示し、５番目のフィールドがカプセル化するスロットフォーマットインデックス０００００１は、キャリアインデックスが３であるキャリア上のスロットのスロットフォーマットが該スロットフォーマットインデックス０００００１が示すスロットフォーマットであることを示し、該スロットフォーマットインデックスがキャリア３上の２個のスロットのスロットフォーマットを示し、この２個のスロットのスロットフォーマットが同じであり、６番目のフィールドがカプセル化するキャリアインデックス１１０は、キャリアインデックスが６であるキャリアを示し、７番目のフィールドがカプセル化するスロットフォーマットインデックス００００１１は、キャリアインデックスが６であるキャリア上のスロットのスロットフォーマットが該スロットフォーマットインデックス００００１１が示すスロットフォーマットであることを示し、該スロットフォーマットインデックスがキャリア６上の４個のスロットのスロットフォーマットを示し、さらに、これらの４個のスロットのスロットフォーマットが同じである。なお、該端末にスロットフォーマットインデックス表が予め記憶され、該スロットフォーマットインデックス表の各スロットフォーマットインデックスがスロットフォーマットを示す。
【００４８】
なお、端末が該ＳＦＩを受信した後、該ＳＦＩ内の情報を解析し、該ＳＦＩ指示の内容を知る。
【００４９】
任意選択で、端末は、どのキャリア上のスロットフォーマットをＳＦＩが示すべきかを解析し、例えば、解析されたキャリアインデックスから、どのキャリア上のスロットフォーマットをＳＦＩが示すべきかを決定する。
【００５０】
任意選択で、少なくとも１つのキャリアの各キャリア上のスロットフォーマットが示されるスロットの数は、第１のサブキャリアと一定の関係にあるので、目標キャリアのサブキャリア間隔は、第１のサブキャリア間隔のＸ倍であり、該目標キャリアにおいて該ＳＦＩによって示すスロット数がＸ＊Ｙ倍であり、ＸとＹともが正の整数である。従って、端末は、ここでＸ、Ｙの値を取得する必要があり、ここで、Ｘ及びＹの値は、プロトコルで規定されてもよいし、端末が取得するためにＳＦＩにカプセル化されてもよい。該端末が該第１のサブキャリアの値を自ら取得し、該ＳＦＩから上記少なくとも１つのキャリアを解析し、該少なくとも１つのキャリアにおける目標キャリアのサブキャリア間隔からＸを算出した場合、Ｙの値はプロトコルで規定されていてもよいし、該ＳＦＩにカプセル化して端末が取得するようにしてもよく、このように該端末がＸ及びＹの値を取得することができる。ここで、端末が該第１のサブキャリアの値を取得する仕方は、プロトコルで規定されていてもよいし、該端末がプロトコルから直接取得してもよいし、該ＳＦＩに該第１のサブキャリア間隔が示されていてもよいし、該端末が上りデータを受信した際に検出してもよい。
【００５１】
図２に示す方法において、該ＳＦＩによって示すスロットフォーマットが第１のサブキャリア間隔に基づいて決定され、上記の少なくとも１つのキャリアのいずれかのキャリアのサブキャリア間隔が該第１のサブキャリア間隔の整数倍であるため、該少なくとも１つのキャリアが複数のキャリアである場合、本願の実施例を利用して複数のキャリアのスロットフォーマットの指示を行い、該少なくとも１つのキャリアが第１のキャリアのみを含む場合、本願の実施例を利用して、該第１のキャリアのキャリア間隔に依存しなく、該第１のキャリアのスロットフォーマットの指示を実現する。
【００５２】
図２に示される実施例と一致し、図４を参照すると、図４は、本願の実施例が提供する他のスロットフォーマット指示方法であり、この方法は、図１に示されるアーキテクチャに基づいて実現されてもよく、また、他のアーキテクチャに基づいて実現されてもよく、この方法は、以下のステップを含むが、これらに限定されない。
【００５３】
ステップＳ４０１において、端末がネットワークデバイスにより送信されたスロットフォーマット指示ＳＦＩを受信する。該ＳＦＩが少なくとも１つのキャリアのスロットフォーマットを示し、該少なくとも１つのキャリアが第１のキャリアを含み、ＳＦＩによって示すスロットフォーマットが第１のサブキャリア間隔に基づいて決定され、第１のキャリアのサブキャリア間隔が該第１のサブキャリア間隔の整数倍である。
【００５４】
具体的に、該第１のサブキャリア間隔が該第１のキャリアの以外の他のキャリアのサブキャリア間隔であり、又は、該第１のサブキャリア間隔は、ある特定のキャリアのサブキャリア間隔ではなく、サブキャリア間隔を判断することができる値であり、該第１のサブキャリア間隔の値が該第１のキャリアのサブキャリア間隔と同じであることを排除しないが、本質的に、このＳＦＩによって示すスロットフォーマットは、該第１のキャリアのサブキャリア間隔に基づいて決定されるものではない。また、該ＳＦＩは、該第１のキャリアの１つのスロットのスロットフォーマットに使用され、又は、該ＳＦＩは、該第１のキャリアの少なくとも２つのスロットのスロットフォーマットに使用される。
【００５５】
該少なくとも１つのキャリアの各キャリアにおいてスロットフォーマットが指示されるスロット数が該第１のサブキャリアと一定の関係があり、目標キャリアが該少なくとも１つのキャリアのうちのいずれかのキャリアである場合、目標キャリアのサブキャリア間隔が該第１のサブキャリア間隔のＸ倍であり、該目標キャリアにおいて該ＳＦＩによって示すスロット数がＸ＊Ｙ倍であり、ＸとＹともが正の整数である。なお、該目標キャリアが異なるキャリアである場合、このＸの値が異なっても良い。このように、前記第１のキャリアのサブキャリア間隔が前記第１のサブキャリア間隔の整数倍である。
【００５６】
ある可能な方式において、該少なくとも１つのキャリアがさらに第２のキャリアを含み、該第２のキャリアのサブキャリア間隔が該第１のサブキャリア間隔であり（任意選択で、前記第１のサブキャリア間隔が前記ＳＦＩの送信時刻において第２のキャリアのサブキャリア間隔である）、該第１のキャリアのサブキャリア間隔が第２のサブキャリア間隔であり、該第２のサブキャリア間隔が該第１のサブキャリア間隔のＮ倍である場合、該第１のキャリアにおいて該ＳＦＩによって示すスロット数が該第２のキャリアにおいて該ＳＦＩによって示すスロット数のＮ倍である、Ｎが正の整数である。
【００５７】
例えば、第２のキャリアのサブキャリア間隔が１５ＫＨｚであり、第１のキャリアのサブキャリア間隔が６０ＫＨｚであり、即ち、該第１のキャリアのサブキャリア間隔が該第２のキャリアのサブキャリア間隔の４倍である場合、該第１のキャリアのスロットの数が該第２のキャリアのスロットの数の４倍であり、例えば、該第２のキャリアに１０個のスロットがある場合、該第１のキャリアにおいて同じ時間に４０個のスロットがある。キャリアのサブキャリア間隔とスロット数とがこの関係があるため、本願の実施例は、該ＳＦＩによって第１のキャリアのスロットフォーマット及び第２のキャリアのスロットフォーマットを示す場合、該第１のキャリアにおいて指示されるスロット数と該第２のキャリアにおいて指示されるスロット数との関係を考え、具体的に、該第１のキャリアのサブキャリア間隔（即ち第２のサブキャリア間隔）が該第２のキャリアのサブキャリア間隔（即ち第１のサブキャリア間隔）のＮ倍である場合、該第１のキャリアにおいて該ＳＦＩによって示すスロット数が該第２のキャリアにおいて該ＳＦＩによって示すスロット数のＮ倍である。
【００５８】
例えば、第２のキャリアのサブキャリア間隔（即ち第１のサブキャリア間隔）が１５ＫＨｚであり、第２のキャリア上のスロット数が１００個であり、且つ第１のキャリアのサブキャリア間隔（即ち第２のサブキャリア間隔）が６０ＫＨｚである場合、第１のキャリアの同じ時間内のスロット数が４００個である。又は、各ＳＦＩが第２のキャリア上の１０個のスロットの構成を示す場合、該各ＳＦＩが第１のキャリア上の４０個のスロットフォーマットを示す。このように、１０個のＳＦＩで第２のキャリア上の１００個のスロットのスロットフォーマット及び第１のキャリア上の４００個のスロットのスロットフォーマットを示す。
【００５９】
また、例えば、第２のキャリアのサブキャリア間隔（即ち第１のサブキャリア間隔）が１５ＫＨｚであり、第２のキャリア上のスロット数が１００個であり、且つ第１のキャリアのサブキャリア間隔（即ち第２のサブキャリア間隔）が６０ＫＨｚである場合、第１のキャリアの同じ時間内のスロット数が４００個である。又は、各ＳＦＩが第２のキャリア上の１０個のスロットの構成を示し、且つ該各ＳＦＩが第１のキャリア上の１０個のスロットフォーマットを示す。このように、１０個のＳＦＩで第２のキャリア上の１００個のスロットのスロットフォーマット及び第１のキャリア上の１００個のスロットのスロットフォーマットを示すが、第１のキャリアにおいて３００個のスロットのスロットフォーマットが示されない。この結果、第１のキャリア上に残る３００個のスロットのスロットフォーマットを示すために、ＳＦＩの一部が追加で構成され、この場合、追加の通信オーバーヘッドをもたらす可能性があり、又は、第１のキャリア上に残る３００個のスロット分の構成を示さず、この場合、３００個のスロットリソースの浪費が生じる。
【００６０】
また、第２のキャリアのＳＦＩが示すスロット数と第１のキャリアにおいてこのＳＦＩが示すスロット数との関係は、一例であり、実際には、この複数のキャリアのうちの任意の２つのキャリア間において、一方のキャリアのサブキャリア間隔が他方のキャリアのサブキャリア間隔のＮ倍である場合、他方のキャリアにおいてＳＦＩが示すスロット数は、一方のキャリアにおいてこのＳＦＩが示すスロット数のＮ倍である。
【００６１】
例えば、複数キャリアのうち、サブキャリア間隔が最小のキャリアをキャリア１とし、この複数のキャリアが少なくともキャリア２、キャリア３、キャリア４、キャリア５を含み、キャリア１のサブキャリア間隔が７.５ＫＨｚ、キャリア２のサブキャリア間隔が１５ＫＨｚ、キャリア３のサブキャリア間隔が３０ＫＨｚ、キャリア４のサブキャリア間隔が６０ＫＨｚ、キャリア５のサブキャリア間隔が１２０ＫＨｚであるとする。上記ＳＦＩが示すキャリア２上のスロット数は、ＳＦＩが示すキャリア１上のスロット数の２倍であり、上記ＳＦＩが示すキャリア３上のスロット数は、ＳＦＩが示すキャリア１上のスロット数の４倍であり、上記ＳＦＩが示すキャリア４上のスロット数は、ＳＦＩが示すキャリア１上のスロット数の８倍であり、上記ＳＦＩが示すキャリア５上のスロット数は、ＳＦＩが示すキャリア１上のスロット数の１６倍である。
【００６２】
本願の実施例は、各キャリアにおいて指示されたスロットの数を述べたが、具体的に指示されたスロットがどのようなものか、またどれであるかは限定しない。例えば、第１のキャリアには１００個のスロットが含まれ、上記ＳＦＩは、この１００個のスロットのうち５個のスロットを指示しているが、この５個のスロットは、具体的には、この１００個のスロットのうちのどの５個であるかは限定されない。
【００６３】
ある可能な例において、前記第２のキャリアにおいて前記ＳＦＩによって示すｉ番目のスロットの開始時間が前記第１のキャリアにおいて前記ＳＦＩによって示す（ｉ−１）＊Ｎ＋１番目のスロットの開始時間と同じであり、前記第２のキャリアにおいて前記ＳＦＩによって示すｉ番目のスロットの終了時間が前記第１のキャリアにおいて前記ＳＦＩによって示すｉ＊Ｎ番目のスロットの終了時間と同じであり、且つ前記第１のキャリアにおいて前記ＳＦＩによって示す（ｉ−１）＊Ｎ＋１番目〜ｉ＊Ｎ番目のスロットのスロットフォーマットが同じであり、ｉは正の整数であり、厳密に、ｉは、前記第２のキャリア上の前記ＳＦＩで示されるスロットの数以下である。
【００６４】
例えば、Ｎ＝５、第２のキャリアに１０個のスロットがある場合、第１のキャリアに５０個のスロットがある。以上の規則から、ｉは１〜５までの正の整数であっても良く、ｉ＝１のとき、前記第２のキャリア上の前記ＳＦＩが指示する１番のスロットの開始時間は、前記第１のキャリア上の前記ＳＦＩが指示する１番目のスロットの開始時間と同じであり、前記第２のキャリア上のＳＦＩが指示する１番目のスロットの終了時間は、前記第１のキャリア上の前記ＳＦＩが指示する５番目のスロットの終了時間と同じであり、前記第１のキャリア上の前記ＳＦＩが指示する１番目のスロット〜５番目のスロットのスロットフォーマットは同じである。ｉ＝２のとき、前記第２のキャリア上の前記ＳＦＩが指示する２番目のスロットの開始時刻は、前記第１のキャリア上の前記ＳＦＩが指示する６番目のスロットの開始時刻と同一であり、前記第２のキャリア上の前記ＳＦＩが指示する２番目のスロットの終了時刻は、前記第１のキャリア上の前記ＳＦＩが指示する１０番目のスロットの終了時刻と同一であり、前記第１のキャリア上の前記ＳＦＩが指示する６番目〜１０番目のスロットのスロットフォーマットは同一である。ｉが他の値である場合、以下のように類推され、ここで一々列挙はしない。
【００６５】
ある可能な例において、第２のキャリア上のＳＦＩが示すｉ番目のスロットの開始時間が、第１のキャリア上のＳＦＩが示す（j-１） ＊ Ｎ ＋ １番目のスロットの開始時間と整合される場合、第２のキャリア上のＳＦＩが示すｉ番目のスロットの終了時間は、第１のキャリア上のＳＦＩが示すｊ ＊ Ｎ番目のスロットの終了時間と整合され、第１のキャリア上のＳＦＩが示す（ ｊ−１ ） ＊ Ｎ ＋ １〜ｊ ＊ Ｎ番目のスロットのスロットフォーマットは同じであり、ｉ及びjが正の整数である。
【００６６】
ある可能な方式において、前記第１のサブキャリア間隔が予め構成されたサブキャリア間隔であり、例えば、プロトコルにおいて該第１のサブキャリア間隔が使用のために予め定義され、ネットワークデバイス及び端末が該第１のサブキャリア間隔を知る。
【００６７】
ある可能な方式において、前記第１のサブキャリア間隔が、前記ＳＦＩを搬送するキャリアのサブキャリア間隔であり、すなわち、ＳＦＩがどのキャリア上でこのサブキャリア間隔が送信されるかは、第１のサブキャリア間隔であり、ＳＦＩを搬送するキャリアは、上記の第１のキャリアではない、すなわち、ＳＦＩが第１のキャリア上のスロットのスロットフォーマットを示すことを可能にするために、ＳＦＩを搬送するキャリアのサブキャリア間隔によって、ＳＦＩが最初に決定される。
【００６８】
ある可能な方式において、前記端末がネットワークデバイスにより送信されたスロットフォーマット指示ＳＦＩを受信する前に、該方法は、さらに、前記端末が該ネットワークデバイスにより送信された構成情報を受信することを含み、前記構成情報は、前記第１のサブキャリア間隔を示す。つまり、この第１のサブキャリア間隔は、ネットワークデバイスが準静又は動に構成情報を送信して示し、この構成情報は、上記ＳＦＩに含まれてもよい。
【００６９】
さらに、ネットワークデバイスによって送信される構成情報は、ブロードキャスト情報、無線リソース管理ＲＲＣシグナリング、または制御情報であっても良い。
【００７０】
ある可能な方式において、該ＳＦＩがキャリア数の識別情報を含み、該キャリア数の識別情報が前記少なくとも１つのキャリアのキャリア数を示す。すなわち、上記の少なくとも１つのキャリアの数は、キャリア数識別情報によって示される必要があり、例えば、ＳＦＩには、このキャリア数の識別情報をカプセル化するためのフィールドが含まれ、このフィールドの値が０１１である場合には、少なくとも１つのキャリア数が具体的に３つであることを示し、フィールドの値が１０１である場合には、少なくとも１つのキャリア数が具体的に５つであることを示す。
【００７１】
ある可能な方式において、前記ＳＦＩが少なくとも１つのキャリアインデックスを含み、前記少なくとも１つのキャリアインデックス内のキャリアインデックスの数が前記少なくとも１つのキャリア内のキャリアの数と同じであり、前記少なくとも１つのキャリアインデックスの各キャリアインデックスは、前記少なくとも１つのキャリア内の１つのキャリアを示し、前記少なくとも１つのキャリアインデックス内の異なるキャリアインデックスが示すキャリアが異なる。
【００７２】
ある可能な方式において、該ＳＦＩがスロットフォーマットインデックスを含み、任意選択で、該スロットフォーマットのインデックスが１つ以上であり、１つの場合、該少なくとも１つのキャリア上のスロットのスロットフォーマットは、全て、１つのスロットフォーマットインデックスによって表されるスロットフォーマットであり、複数の場合、該複数のスロットフォーマットインデックスのうちのスロットフォーマットインデックスの数と少なくとも１つのキャリアのキャリア数とが同じであってもよく、その場合、１つのスロットフォーマットインデックスが１つのキャリア上のスロットフォーマットを示す。
【００７３】
ある可能な方式において、該少なくとも１つのキャリアが複数のキャリアである場合、このＳＦＩは、スロットフォーマット同一指示フィールドを含み、このフィールドは、ＳＦＩによって示されるすべてのキャリア上のスロットが同じスロットフォーマットを採用するかどうかを示すために使用される。例えば、ＳＦＩに１ビットのスロットフォーマット同一指示フィールドが含まれ、該ビットが１である場合、該ＳＦＩが指示する全キャリア上のスロットが同一のスロットフォーマットを有することを示し、この時、１つのスロットフォーマットインデックスで全キャリア上のスロットのスロットフォーマットを指示でき、このビットが０の場合、ＳＦＩが示す全キャリア上のスロットが異なるスロットフォーマットを有することを示し、この時、各キャリア上のスロットフォーマットは、ＳＦＩが示すキャリア数と同数のスロットフォーマットインデックスでそれぞれ指示される必要がある。
【００７４】
例えば、複数のキャリアシステム又は複数のＢＷＰにおいて、この端末が８個のキャリア(それぞれ０〜７の番号を有する)をサポートし、ネットワークデバイスは、Ｎ個のキャリアのスロットフォーマットを示すＳＦＩを構成することができ、ここで、１＜＝ Ｎ＜＝ ８、例えば、Ｎ ＝ ３、すなわち、ＳＦＩにおける３個のキャリアのスロットフォーマットを示し、具体的には、ＳＦＩには、３ビットのキャリア識別情報のようにキャリアの数を示すフィールドが含まれ、ＳＦＩが適用キャリア数を示す。このＳＦＩは、キャリアインデックスが０、３、６の順になるキャリアのスロットフォーマットを示す必要があり、キャリア０でＳＦＩが送信されるものとし、キャリア０のサブキャリア間隔が１５ｋＨｚ、キャリア３のサブキャリア間隔が３０ｋＨｚ、キャリア６のサブキャリア間隔が６０ｋＨｚとし、ＳＦＩが示すスロットフォーマットは、キャリア０のサブキャリア間隔、すなわち１５ｋＨｚを基準とすることを予め定められた方法で決定される。図３に示すように、図３には７つのフィールドが示されており、左から右に、１番目のフィールドがをカプセル化するキャリア数の識別情報０１１は、３つのキャリアのスロットフォーマットが必要であることを示し、２番目のフィールドがカプセル化するキャリアインデックス０００は、キャリアインデックスが０であるキャリアを示し、３番目のフィールドがカプセルするスロットフォーマットインデックス００００１０は、キャリアインデックスが０であるキャリア上のスロットのスロットフォーマットが該スロットフォーマットインデックス００００１０が示すスロットフォーマットであることを示し、該スロットフォーマットインデックスがキャリア０上の１つのスロットのスロットフォーマットを示し、４番目のフィールドがカプセル化するキャリアインデックス０１１は、キャリアインデックスが３であるキャリアを示し、５番目のフィールドがカプセル化するスロットフォーマットインデックス０００００１は、キャリアインデックスが３であるキャリア上のスロットのスロットフォーマットが該スロットフォーマットインデックス０００００１が示すスロットフォーマットであることを示し、該スロットフォーマットインデックスがキャリア３上の２個のスロットのスロットフォーマットを示し、この２個のスロットのスロットフォーマットが同じであり、６番目のフィールドがカプセル化するキャリアインデックス１１０は、キャリアインデックスが６であるキャリアを示し、７番目のフィールドがカプセル化するスロットフォーマットインデックス００００１１は、キャリアインデックスが６であるキャリア上のスロットのスロットフォーマットが該スロットフォーマットインデックス００００１１が示すスロットフォーマットであることを示し、該スロットフォーマットインデックスがキャリア６上の４個のスロットのスロットフォーマットを示し、さらに、これらの４個のスロットのスロットフォーマットが同じである。なお、該端末にスロットフォーマットインデックス表が予め記憶され、該スロットフォーマットインデックス表の各スロットフォーマットインデックスがスロットフォーマットを示す。
【００７５】
ステップＳ４０２において、端末が該ＳＦＩに基づいて、該複数のキャリアの各キャリア上のスロットフォーマットを決定する。
【００７６】
具体的に、この端末は、ＳＦＩ内の情報を解析し、ＳＦＩが示す内容を知る。
【００７７】
任意選択で、端末は、どのキャリア上のスロットフォーマットをＳＦＩが示すべきかを解析し、例えば、解析されたキャリアインデックスから、どのキャリア上のスロットフォーマットをＳＦＩが示すべきかを決定する。
【００７８】
任意選択で、少なくとも１つのキャリアの各キャリア上のスロットフォーマットが示されるスロットの数は、第１のサブキャリアと一定の関係にあるので、目標キャリアのサブキャリア間隔は、第１のサブキャリア間隔のＸ倍であり、該目標キャリアにおいて該ＳＦＩによって示すスロット数がＸ＊Ｙ倍であり、ＸとＹともが正の整数である。従って、端末は、ここでＸ、Ｙの値を取得する必要があり、ここで、Ｘ及びＹの値は、プロトコルで規定されてもよいし、端末が取得するためにＳＦＩにカプセル化されてもよい。該端末が該第１のサブキャリアの値を自ら取得し、該ＳＦＩから上記少なくとも１つのキャリアを解析し、該少なくとも１つのキャリアにおける目標キャリアのサブキャリア間隔からＸを算出した場合、Ｙの値はプロトコルで規定されていてもよいし、該ＳＦＩにカプセル化して端末が取得するようにしてもよく、このように該端末がＸ及びＹの値を取得することができる。ここで、端末が該第１のサブキャリアの値を取得する仕方は、プロトコルで規定されていてもよいし、該端末がプロトコルから直接取得してもよいし、該ＳＦＩに該第１のサブキャリア間隔が示されていてもよいし、該端末が上りデータを受信した際に検出してもよい。
【００７９】
選択可能で、端末は、解析したスロットフォーマットインデックスから、どのようなスロットフォーマットを具体的に使用するかを決定する。
【００８０】
例えば、この端末が図３に示す７つのフィールドを解析し、左から右に見ると、１番目のフィールドはキャリア識別情報０１１をカプセル化しているので、ＳＦＩが３個のキャリアのスロットフォーマットを示すことを決定することができる。さらに、ＳＦＩで示されるスロットフォーマットは、キャリア０のサブキャリア間隔、すなわち１５ｋＨｚを基準に定められていることが、予め定められた方法で既知である。２番目のフィールドのカプセル化するキャリアインデックス０００と、３番目のフィールドのカプセル化するスロットフォーマットインデックス００００１０とにより、キャリアのインデックスが０であるキャリアのスロットフォーマットがそのスロットフォーマットインデックス００００１０が示すスロットフォーマットであることが決定され、そのスロットフォーマットインデックスは、キャリア０上の１つのスロットのスロットフォーマットを示すものである。４番目のフィールドのカプセル化するキャリアインデックス０１１と、５番目のフィールドのカプセル化するスロットフォーマットインデックス０００００１とにより、キャリアインデックスが３であるキャリアのスロットフォーマットは、このスロットフォーマットインデックス０００００１が示すスロットフォーマットであることが決定され、該スロットフォーマットインデックスがキャリア３上の２個のスロットのスロットフォーマットを示し、この２個のスロットのスロットフォーマットが同じである。６番目のフィールドがカプセル化するキャリアインデックス１１０と、７番目のフィールドのカプセル化するスロットフォーマットインデックス００００１１とより、キャリアインデックスが６のキャリアのスロットフォーマットは、このスロットフォーマットインデックス００００１１が示すスロットフォーマットであることが決定され、該スロットフォーマットインデックスがキャリア６上の４個のスロットのスロットフォーマットを示し、さらに、これらの４個のスロットのスロットフォーマットが同じである。
【００８１】
図４に示す方法において、該ＳＦＩによって示すスロットフォーマットが第１のサブキャリア間隔に基づいて決定され、上記の少なくとも１つのキャリアのいずれかのキャリアのサブキャリア間隔が該第１のサブキャリア間隔の整数倍であるため、該少なくとも１つのキャリアが複数のキャリアである場合、本願の実施例を利用して複数のキャリアのスロットフォーマットの指示を行い、該少なくとも１つのキャリアが第１のキャリアのみを含む場合、本願の実施例を利用して、該第１のキャリアのキャリア間隔に依存しなく、該第１のキャリアのスロットフォーマットの指示を実現する。
【００８２】
図２に示される実施例と一致し、図５を参照すると、図５は、本願の実施例が提供する他のスロットフォーマット指示方法であり、この方法は、図１に示されるアーキテクチャに基づいて実現されてもよく、また、他のアーキテクチャに基づいて実現されてもよく、この方法は、以下のステップを含むが、これらに限定されない。
【００８３】
ステップＳ５０１において、ネットワークデバイスが端末にスロットフォーマット指示ＳＦＩを送信し、該ＳＦＩが少なくとも１つのキャリアのスロットフォーマットを示し、該少なくとも１つのキャリアが第１のキャリアを含み、ＳＦＩによって示すスロットフォーマットが第１のサブキャリア間隔に基づいて決定され、第１のキャリアのサブキャリア間隔が該第１のサブキャリア間隔の整数倍である。
【００８４】
具体的に、該第１のサブキャリア間隔が該第１のキャリアの以外の他のキャリアのサブキャリア間隔であり、又は、該第１のサブキャリア間隔は、ある特定のキャリアのサブキャリア間隔ではなく、サブキャリア間隔を判断することができる値であり、該第１のサブキャリア間隔の値が該第１のキャリアのサブキャリア間隔と同じであることを排除しないが、本質的に、このＳＦＩによって示すスロットフォーマットは、該第１のキャリアのサブキャリア間隔に基づいて決定されるものではない。また、該ＳＦＩは、該第１のキャリアの１つのスロットのスロットフォーマットに使用され、又は、該ＳＦＩは、該第１のキャリアの少なくとも２つのスロットのスロットフォーマットに使用される。
【００８５】
該少なくとも１つのキャリアの各キャリアにおいてスロットフォーマットが指示されるスロット数が該第１のサブキャリアと一定の関係があり、目標キャリアが該少なくとも１つのキャリアのうちのいずれかのキャリアである場合、目標キャリアのサブキャリア間隔が該第１のサブキャリア間隔のＸ倍であり、該目標キャリアにおいて該ＳＦＩによって示すスロット数がＸ＊Ｙ倍であり、ＸとＹともが正の整数である。なお、該目標キャリアが異なるキャリアである場合、このＸの値が異なっても良い。このように、前記第１のキャリアのサブキャリア間隔が前記第１のサブキャリア間隔の整数倍である。
【００８６】
ある可能な方式において、該少なくとも１つのキャリアがさらに第２のキャリアを含み、該第２のキャリアのサブキャリア間隔が該第１のサブキャリア間隔であり（任意選択で、前記第１のサブキャリア間隔が前記ＳＦＩの送信時刻において第２のキャリアのサブキャリア間隔である）、該第１のキャリアのサブキャリア間隔が第２のサブキャリア間隔であり、該第２のサブキャリア間隔が該第１のサブキャリア間隔のＮ倍である場合、該第１のキャリアにおいて該ＳＦＩによって示すスロット数が該第２のキャリアにおいて該ＳＦＩによって示すスロット数のＮ倍である、Ｎが正の整数である。
【００８７】
例えば、第２のキャリアのサブキャリア間隔が１５ＫＨｚであり、第１のキャリアのサブキャリア間隔が６０ＫＨｚであり、即ち、該第１のキャリアのサブキャリア間隔が該第２のキャリアのサブキャリア間隔の４倍である場合、該第１のキャリアのスロットの数が該第２のキャリアのスロットの数の４倍であり、例えば、該第２のキャリアに１０個のスロットがある場合、該第１のキャリアにおいて同じ時間に４０個のスロットがある。キャリアのサブキャリア間隔とスロット数とがこの関係があるため、本願の実施例は、該ＳＦＩによって第１のキャリアのスロットフォーマット及び第２のキャリアのスロットフォーマットを示す場合、該第１のキャリアにおいて指示されるスロット数と該第２のキャリアにおいて指示されるスロット数との関係を考え、具体的に、該第１のキャリアのサブキャリア間隔（即ち第２のサブキャリア間隔）が該第２のキャリアのサブキャリア間隔（即ち第１のサブキャリア間隔）のＮ倍である場合、該第１のキャリアにおいて該ＳＦＩによって示すスロット数が該第２のキャリアにおいて該ＳＦＩによって示すスロット数のＮ倍である。
【００８８】
例えば、第２のキャリアのサブキャリア間隔（即ち第１のサブキャリア間隔）が１５ＫＨｚであり、第２のキャリア上のスロット数が１００個であり、且つ第１のキャリアのサブキャリア間隔（即ち第２のサブキャリア間隔）が６０ＫＨｚである場合、第１のキャリアの同じ時間内のスロット数が４００個である。又は、各ＳＦＩが第２のキャリア上の１０個のスロットの構成を示す場合、該各ＳＦＩが第１のキャリア上の４０個のスロットフォーマットを示す。このように、１０個のＳＦＩで第２のキャリア上の１００個のスロットのスロットフォーマット及び第１のキャリア上の４００個のスロットのスロットフォーマットを示す。
【００８９】
また、例えば、第２のキャリアのサブキャリア間隔（即ち第１のサブキャリア間隔）が１５ＫＨｚであり、第２のキャリア上のスロット数が１００個であり、且つ第１のキャリアのサブキャリア間隔（即ち第２のサブキャリア間隔）が６０ＫＨｚである場合、第１のキャリアの同じ時間内のスロット数が４００個である。又は、各ＳＦＩが第２のキャリア上の１０個のスロットの構成を示し、且つ該各ＳＦＩが第１のキャリア上の１０個のスロットフォーマットを示す。このように、１０個のＳＦＩで第２のキャリア上の１００個のスロットのスロットフォーマット及び第１のキャリア上の１００個のスロットのスロットフォーマットを示すが、第１のキャリアにおいて３００個のスロットのスロットフォーマットが示されない。この結果、第１のキャリア上に残る３００個のスロットのスロットフォーマットを示すために、ＳＦＩの一部が追加で構成され、この場合、追加の通信オーバーヘッドをもたらす可能性があり、又は、第１のキャリア上に残る３００個のスロット分の構成を示さず、この場合、３００個のスロットリソースの浪費が生じる。
【００９０】
また、第２のキャリアのＳＦＩが示すスロット数と第１のキャリアにおいてこのＳＦＩが示すスロット数との関係は、一例であり、実際には、この複数のキャリアのうちの任意の２つのキャリア間において、一方のキャリアのサブキャリア間隔が他方のキャリアのサブキャリア間隔のＮ倍である場合、他方のキャリアにおいてＳＦＩが示すスロット数は、一方のキャリアにおいてこのＳＦＩが示すスロット数のＮ倍である。
【００９１】
例えば、複数キャリアのうち、サブキャリア間隔が最小のキャリアをキャリア１とし、この複数のキャリアが少なくともキャリア２、キャリア３、キャリア４、キャリア５を含み、キャリア１のサブキャリア間隔が７.５ＫＨｚ、キャリア２のサブキャリア間隔が１５ＫＨｚ、キャリア３のサブキャリア間隔が３０ＫＨｚ、キャリア４のサブキャリア間隔が６０ＫＨｚ、キャリア５のサブキャリア間隔が１２０ＫＨｚであるとする。上記ＳＦＩが示すキャリア２上のスロット数は、ＳＦＩが示すキャリア１上のスロット数の２倍であり、上記ＳＦＩが示すキャリア３上のスロット数は、ＳＦＩが示すキャリア１上のスロット数の４倍であり、上記ＳＦＩが示すキャリア４上のスロット数は、ＳＦＩが示すキャリア１上のスロット数の８倍であり、上記ＳＦＩが示すキャリア５上のスロット数は、ＳＦＩが示すキャリア１上のスロット数の１６倍である。
【００９２】
本願の実施例は、各キャリアにおいて指示されたスロットの数を述べたが、具体的に指示されたスロットがどのようなものか、またどれであるかは限定しない。例えば、第１のキャリアには１００個のスロットが含まれ、上記ＳＦＩは、この１００個のスロットのうち５個のスロットを指示しているが、この５個のスロットは、具体的には、この１００個のスロットのうちのどの５個であるかは限定されない。
【００９３】
ある可能な例において、前記第２のキャリアにおいて前記ＳＦＩによって示すｉ番目のスロットの開始時間が前記第１のキャリアにおいて前記ＳＦＩによって示す（ｉ−１）＊Ｎ＋１番目のスロットの開始時間と同じであり、前記第２のキャリアにおいて前記ＳＦＩによって示すｉ番目のスロットの終了時間が前記第１のキャリアにおいて前記ＳＦＩによって示すｉ＊Ｎ番目のスロットの終了時間と同じであり、且つ前記第１のキャリアにおいて前記ＳＦＩによって示す（ｉ−１）＊Ｎ＋１番目〜ｉ＊Ｎ番目のスロットのスロットフォーマットが同じであり、ｉは正の整数であり、厳密に、ｉは、前記第２のキャリア上の前記ＳＦＩで示されるスロットの数以下である。
【００９４】
例えば、Ｎ＝５、第２のキャリアに１０個のスロットがある場合、第１のキャリアに５０個のスロットがある。以上の規則から、ｉは１〜５までの正の整数であっても良く、ｉ＝１のとき、前記第２のキャリア上の前記ＳＦＩが指示する１番のスロットの開始時間は、前記第１のキャリア上の前記ＳＦＩが指示する１番目のスロットの開始時間と同じであり、前記第２のキャリア上のＳＦＩが指示する１番目のスロットの終了時間は、前記第１のキャリア上の前記ＳＦＩが指示する５番目のスロットの終了時間と同じであり、前記第１のキャリア上の前記ＳＦＩが指示する１番目のスロット〜５番目のスロットのスロットフォーマットは同じである。ｉ＝２のとき、前記第２のキャリア上の前記ＳＦＩが指示する２番目のスロットの開始時刻は、前記第１のキャリア上の前記ＳＦＩが指示する６番目のスロットの開始時刻と同一であり、前記第２のキャリア上の前記ＳＦＩが指示する２番目のスロットの終了時刻は、前記第１のキャリア上の前記ＳＦＩが指示する１０番目のスロットの終了時刻と同一であり、前記第１のキャリア上の前記ＳＦＩが指示する６番目〜１０番目のスロットのスロットフォーマットは同一である。ｉが他の値である場合、以下のように類推され、ここで一々列挙はしない。
【００９５】
ある可能な例において、第２のキャリア上のＳＦＩが示すｉ番目のスロットの開始時間が、第１のキャリア上のＳＦＩが示す（j-１） ＊ Ｎ ＋ １番目のスロットの開始時間と整合される場合、第２のキャリア上のＳＦＩが示すｉ番目のスロットの終了時間は、第１のキャリア上のＳＦＩが示すｊ ＊ Ｎ番目のスロットの終了時間と整合され、第１のキャリア上のＳＦＩが示す（ ｊ−１ ） ＊ Ｎ ＋ １〜ｊ ＊ Ｎ番目のスロットのスロットフォーマットは同じであり、ｉ及びjが正の整数である。
【００９６】
ある可能な方式において、前記第１のサブキャリア間隔が予め構成されたサブキャリア間隔であり、例えば、プロトコルにおいて該第１のサブキャリア間隔が使用のために予め定義され、ネットワークデバイス及び端末が該第１のサブキャリア間隔を知る。
【００９７】
ある可能な方式において、前記第１のサブキャリア間隔が、前記ＳＦＩを搬送するキャリアのサブキャリア間隔であり、すなわち、ＳＦＩがどのキャリア上でこのサブキャリア間隔が送信されるかは、第１のサブキャリア間隔であり、ＳＦＩを搬送するキャリアは、上記の第１のキャリアではない、すなわち、ＳＦＩが第１のキャリア上のスロットのスロットフォーマットを示すことを可能にするために、ＳＦＩを搬送するキャリアのサブキャリア間隔によって、ＳＦＩが最初に決定される。
【００９８】
ある可能な方式において、前記ネットワークデバイスが端末にスロットフォーマット指示ＳＦＩを送信する前に、該方法は、さらに、前記ネットワークデバイスが前記端末に構成情報を送信することを含み、これに対応し、該端末が該ネットワークデバイスにより送信された構成情報を受信し、前記構成情報は、前記第１のサブキャリア間隔を示す。つまり、該第１のサブキャリア間隔は、ネットワークデバイスが準静又は動的に送信した構成情報により指示し、該構成情報は、上記のＳＦＩに含めることができる。
【００９９】
さらに、ネットワークデバイスによって送信される構成情報は、ブロードキャスト情報、無線リソース管理ＲＲＣシグナリング、または制御情報であっても良い。
【０１００】
ある可能な方式において、該ＳＦＩがキャリア数の識別情報を含み、該キャリア数の識別情報が前記少なくとも１つのキャリアのキャリア数を示す。すなわち、上記の少なくとも１つのキャリアの数は、キャリア数識別情報によって示される必要があり、例えば、ＳＦＩには、このキャリア数の識別情報をカプセル化するためのフィールドが含まれ、このフィールドの値が０１１である場合には、少なくとも１つのキャリア数が具体的に３つであることを示し、フィールドの値が１０１である場合には、少なくとも１つのキャリア数が具体的に５つであることを示す。
【０１０１】
ある可能な方式において、前記ＳＦＩが少なくとも１つのキャリアインデックスを含み、前記少なくとも１つのキャリアインデックス内のキャリアインデックスの数が前記少なくとも１つのキャリア内のキャリアの数と同じであり、前記少なくとも１つのキャリアインデックスの各キャリアインデックスは、前記少なくとも１つのキャリア内の１つのキャリアを示し、前記少なくとも１つのキャリアインデックス内の異なるキャリアインデックスが示すキャリアが異なる。
【０１０２】
ある可能な方式において、該ＳＦＩがスロットフォーマットインデックスを含み、任意選択で、該スロットフォーマットのインデックスが１つ以上であり、１つの場合、該少なくとも１つのキャリア上のスロットのスロットフォーマットは、全て、１つのスロットフォーマットインデックスによって表されるスロットフォーマットであり、複数の場合、該複数のスロットフォーマットインデックスのうちのスロットフォーマットインデックスの数と少なくとも１つのキャリアのキャリア数とが同じであってもよく、その場合、１つのスロットフォーマットインデックスが１つのキャリア上のスロットフォーマットを示す。
【０１０３】
ある可能な方式において、該少なくとも１つのキャリアが複数のキャリアである場合、このＳＦＩは、スロットフォーマット同一指示フィールドを含み、このフィールドは、ＳＦＩによって示されるすべてのキャリア上のスロットが同じスロットフォーマットを採用するかどうかを示すために使用される。例えば、ＳＦＩに１ビットのスロットフォーマット同一指示フィールドが含まれ、該ビットが１である場合、該ＳＦＩが指示する全キャリア上のスロットが同一のスロットフォーマットを有することを示し、この時、１つのスロットフォーマットインデックスで全キャリア上のスロットのスロットフォーマットを指示でき、このビットが０の場合、ＳＦＩが示す全キャリア上のスロットが異なるスロットフォーマットを有することを示し、この時、各キャリア上のスロットフォーマットは、ＳＦＩが示すキャリア数と同数のスロットフォーマットインデックスでそれぞれ指示される必要がある。
【０１０４】
例えば、複数のキャリアシステム又は複数のＢＷＰにおいて、この端末が８個のキャリア(それぞれ０〜７の番号を有する)をサポートし、ネットワークデバイスは、Ｎ個のキャリアのスロットフォーマットを示すＳＦＩを構成することができ、ここで、１＜＝ Ｎ＜＝ ８、例えば、Ｎ ＝ ３、すなわち、ＳＦＩにおける３個のキャリアのスロットフォーマットを示し、具体的には、ＳＦＩには、３ビットのキャリア識別情報のようにキャリアの数を示すフィールドが含まれ、ＳＦＩが適用キャリア数を示す。このＳＦＩは、キャリアインデックスが０、３、６の順になるキャリアのスロットフォーマットを示す必要があり、キャリア０でＳＦＩが送信されるものとし、キャリア０のサブキャリア間隔が１５ｋＨｚ、キャリア３のサブキャリア間隔が３０ｋＨｚ、キャリア６のサブキャリア間隔が６０ｋＨｚとし、ＳＦＩが示すスロットフォーマットは、キャリア０のサブキャリア間隔、すなわち１５ｋＨｚを基準とすることを予め定められた方法で決定される。図３に示すように、図３には７つのフィールドが示されており、左から右に、１番目のフィールドがをカプセル化するキャリア数の識別情報０１１は、３つのキャリアのスロットフォーマットが必要であることを示し、２番目のフィールドがカプセル化するキャリアインデックス０００は、キャリアインデックスが０であるキャリアを示し、３番目のフィールドがカプセルするスロットフォーマットインデックス００００１０は、キャリアインデックスが０であるキャリア上のスロットのスロットフォーマットが該スロットフォーマットインデックス００００１０が示すスロットフォーマットであることを示し、該スロットフォーマットインデックスがキャリア０上の１つのスロットのスロットフォーマットを示し、４番目のフィールドがカプセル化するキャリアインデックス０１１は、キャリアインデックスが３であるキャリアを示し、５番目のフィールドがカプセル化するスロットフォーマットインデックス０００００１は、キャリアインデックスが３であるキャリア上のスロットのスロットフォーマットが該スロットフォーマットインデックス０００００１が示すスロットフォーマットであることを示し、該スロットフォーマットインデックスがキャリア３上の２個のスロットのスロットフォーマットを示し、この２個のスロットのスロットフォーマットが同じであり、６番目のフィールドがカプセル化するキャリアインデックス１１０は、キャリアインデックスが６であるキャリアを示し、７番目のフィールドがカプセル化するスロットフォーマットインデックス００００１１は、キャリアインデックスが６であるキャリア上のスロットのスロットフォーマットが該スロットフォーマットインデックス００００１１が示すスロットフォーマットであることを示し、該スロットフォーマットインデックスがキャリア６上の４個のスロットのスロットフォーマットを示し、さらに、これらの４個のスロットのスロットフォーマットが同じである。なお、該端末にスロットフォーマットインデックス表が予め記憶され、該スロットフォーマットインデックス表の各スロットフォーマットインデックスがスロットフォーマットを示す。
【０１０５】
ステップＳ５０２において、端末がネットワークデバイスにより送信されたスロットフォーマット指示ＳＦＩを受信する。
【０１０６】
ステップＳ５０３において、端末が該ＳＦＩに基づいて、該複数のキャリアの各キャリア上のスロットフォーマットを決定する。
【０１０７】
具体的に、この端末は、ＳＦＩ内の情報を解析し、ＳＦＩが示す内容を知る。
【０１０８】
任意選択で、端末は、どのキャリア上のスロットフォーマットをＳＦＩが示すべきかを解析し、例えば、解析されたキャリアインデックスから、どのキャリア上のスロットフォーマットをＳＦＩが示すべきかを決定する。
【０１０９】
任意選択で、少なくとも１つのキャリアの各キャリア上のスロットフォーマットが示されるスロットの数は、第１のサブキャリアと一定の関係にあるので、目標キャリアのサブキャリア間隔は、第１のサブキャリア間隔のＸ倍であり、該目標キャリアにおいて該ＳＦＩによって示すスロット数がＸ＊Ｙ倍であり、ＸとＹともが正の整数である。従って、端末は、ここでＸ、Ｙの値を取得する必要があり、ここで、Ｘ及びＹの値は、プロトコルで規定されてもよいし、端末が取得するためにＳＦＩにカプセル化されてもよい。該端末が該第１のサブキャリアの値を自ら取得し、該ＳＦＩから上記少なくとも１つのキャリアを解析し、該少なくとも１つのキャリアにおける目標キャリアのサブキャリア間隔からＸを算出した場合、Ｙの値はプロトコルで規定されていてもよいし、該ＳＦＩにカプセル化して端末が取得するようにしてもよく、このように該端末がＸ及びＹの値を取得することができる。ここで、端末が該第１のサブキャリアの値を取得する仕方は、プロトコルで規定されていてもよいし、該端末がプロトコルから直接取得してもよいし、該ＳＦＩに該第１のサブキャリア間隔が示されていてもよいし、該端末が上りデータを受信した際に検出してもよい。
【０１１０】
選択可能で、端末は、解析したスロットフォーマットインデックスから、どのようなスロットフォーマットを具体的に使用するかを決定する。
【０１１１】
例えば、この端末が図３に示す７つのフィールドを解析し、左から右に見ると、１番目のフィールドはキャリア識別情報０１１をカプセル化しているので、ＳＦＩが３個のキャリアのスロットフォーマットを示すことを決定することができる。さらに、ＳＦＩで示されるスロットフォーマットは、キャリア０のサブキャリア間隔、すなわち１５ｋＨｚを基準に定められていることが、予め定められた方法で既知である。２番目のフィールドのカプセル化するキャリアインデックス０００と、３番目のフィールドのカプセル化するスロットフォーマットインデックス００００１０とにより、キャリアのインデックスが０であるキャリアのスロットフォーマットがそのスロットフォーマットインデックス００００１０が示すスロットフォーマットであることが決定され、そのスロットフォーマットインデックスは、キャリア０上の１つのスロットのスロットフォーマットを示すものである。４番目のフィールドのカプセル化するキャリアインデックス０１１と、５番目のフィールドのカプセル化するスロットフォーマットインデックス０００００１とにより、キャリアインデックスが３であるキャリアのスロットフォーマットは、このスロットフォーマットインデックス０００００１が示すスロットフォーマットであることが決定され、該スロットフォーマットインデックスがキャリア３上の２個のスロットのスロットフォーマットを示し、この２個のスロットのスロットフォーマットが同じである。６番目のフィールドがカプセル化するキャリアインデックス１１０と、７番目のフィールドのカプセル化するスロットフォーマットインデックス００００１１とより、キャリアインデックスが６のキャリアのスロットフォーマットは、このスロットフォーマットインデックス００００１１が示すスロットフォーマットであることが決定され、該スロットフォーマットインデックスがキャリア６上の４個のスロットのスロットフォーマットを示し、さらに、これらの４個のスロットのスロットフォーマットが同じである。
【０１１２】
図５に示す方法において、該ＳＦＩによって示すスロットフォーマットが第１のサブキャリア間隔に基づいて決定され、上記の少なくとも１つのキャリアのいずれかのキャリアのサブキャリア間隔が該第１のサブキャリア間隔の整数倍であるため、該少なくとも１つのキャリアが複数のキャリアである場合、本願の実施例を利用して複数のキャリアのスロットフォーマットの指示を行い、該少なくとも１つのキャリアが第１のキャリアのみを含む場合、本願の実施例を利用して、該第１のキャリアのキャリア間隔に依存しなく、該第１のキャリアのスロットフォーマットの指示を実現する。
【０１１３】
上述の実施形態と一致し、図６を参照すると、図６は、プロセッサと、メモリと、トランシーバと、１つ以上のプログラムとを備える第１のネットワークデバイスである本願の実施形態によって提供されるネットワークデバイスの構造の概略図であり、１つ以上のプログラムは、メモリに記憶され、プロセッサによって実行されるように構成され、プログラムは、以下のステップを実行するための命令を含む
スロットフォーマット指示ＳＦＩを送信し、前記ＳＦＩが少なくとも１つのキャリアのスロットフォーマットを示し、前記少なくとも１つのキャリアが第１のキャリアを含み、前記ＳＦＩが示すスロットフォーマットが第１のサブキャリア間隔に基づいて決定され、前記第１のキャリアのサブキャリア間隔が前記第１のサブキャリア間隔の整数倍である。
【０１１４】
このように、本願の実施例において、該ＳＦＩによって示すスロットフォーマットが第１のサブキャリア間隔に基づいて決定され、上記の少なくとも１つのキャリアのいずれかのキャリアのサブキャリア間隔が該第１のサブキャリア間隔の整数倍であるため、該少なくとも１つのキャリアが複数のキャリアである場合、本願の実施例を利用して複数のキャリアのスロットフォーマットの指示を行い、該少なくとも１つのキャリアが第１のキャリアのみを含む場合、本願の実施例を利用して、該第１のキャリアのキャリア間隔に依存しなく、該第１のキャリアのスロットフォーマットの指示を実現する。
【０１１５】
ある可能な例において、前記少なくとも１つのキャリアがさらに第２のキャリアを含み、前記第２のキャリアのサブキャリア間隔が前記第１のサブキャリア間隔であり、前記第１のキャリアのサブキャリア間隔が第２のサブキャリア間隔であり、前記第２のサブキャリア間隔が前記第１のサブキャリア間隔のＮ倍である場合、前記第１のキャリアにおいて前記ＳＦＩによって示すスロット数が前記第２のキャリアにおいて前記ＳＦＩによって示すスロット数のＮ倍であり、Ｎが正の整数である。
【０１１６】
ある可能な例において、前記第２のキャリアにおいて前記ＳＦＩによって示すｉ番目のスロットの開始時間が前記第１のキャリアにおいて前記ＳＦＩによって示す（ｉ−１）＊Ｎ＋１番目のスロットの開始時間と同じであり、前記第２のキャリアにおいて前記ＳＦＩによって示すｉ番目のスロットの終了時間が前記第１のキャリアにおいて前記ＳＦＩによって示すｉ＊Ｎ番目のスロットの終了時間と同じであり、且つ前記第１のキャリアにおいて前記ＳＦＩによって示す（ｉ−１）＊Ｎ＋１番目〜ｉ＊Ｎ番目のスロットのスロットフォーマットが同じであり、ｉが正の整数である。
【０１１７】
ある可能な例において、前記第１のサブキャリア間隔が予め構成されたサブキャリア間隔であり、又は、前記第１のサブキャリア間隔が、前記ＳＦＩを搬送するキャリアのサブキャリア間隔であり、又は、前記第１のサブキャリア間隔が、前記ネットワークデバイスからの構成情報により構成されたサブキャリア間隔である。
【０１１８】
ある可能な例において、前記ＳＦＩがキャリア数の識別情報を含み、前記キャリア数の識別情報が、前記少なくとも１つのキャリアに含まれるキャリア数を示す。
【０１１９】
ある可能な例において、前記ＳＦＩが少なくとも１つのキャリアアイデンティティを含み、前記少なくとも１つのキャリアアイデンティティのキャリアアイデンティティの数が前記キャリアの数と同じであり、前記少なくとも１つのキャリアアイデンティティの各キャリアアイデンティティが、前記少なくとも１つのキャリアのうちの１つのキャリアを示し、前記少なくとも１つのキャリアアイデンティティのうちの異なるキャリアアイデンティティによって示すキャリアが異なる。
【０１２０】
上述の実施形態と一致し、図７を参照し、図７は端末の構造を示す概略図であり、この端末は、プロセッサと、メモリと、通信インターフェースと、１つ以上のプログラムとを備え、１つ以上のプログラムはメモリに記憶され、プロセッサによって実行されるように構成され、プログラムは、以下のステップを実行するための命令を含む
まず、ネットワークデバイスにより送信されたスロットフォーマット指示ＳＦＩを受信し、前記ＳＦＩが少なくとも１つのキャリアのスロットフォーマットを示し、前記少なくとも１つのキャリアが第１のキャリアを含み、前記ＳＦＩが示すスロットフォーマットが第１のサブキャリア間隔に基づいて決定され、前記第１のキャリアのサブキャリア間隔が前記第１のサブキャリア間隔の整数倍である。
【０１２１】
次に、前記ＳＦＩに基づいて、前記少なくとも１つのキャリアの各キャリア上のスロットフォーマットを決定する。
【０１２２】
このように、本願の実施例において、該ＳＦＩによって示すスロットフォーマットが第１のサブキャリア間隔に基づいて決定され、上記の少なくとも１つのキャリアのいずれかのキャリアのサブキャリア間隔が該第１のサブキャリア間隔の整数倍であるため、該少なくとも１つのキャリアが複数のキャリアである場合、本願の実施例を利用して複数のキャリアのスロットフォーマットの指示を行い、該少なくとも１つのキャリアが第１のキャリアのみを含む場合、本願の実施例を利用して、該第１のキャリアのキャリア間隔に依存しなく、該第１のキャリアのスロットフォーマットの指示を実現する。
【０１２３】
ある可能な例において、前記少なくとも１つのキャリアがさらに第２のキャリアを含み、前記第２のキャリアのサブキャリア間隔が前記第１のサブキャリア間隔であり、前記第１のキャリアのサブキャリア間隔が第２のサブキャリア間隔であり、前記第２のサブキャリア間隔が前記第１のサブキャリア間隔のＮ倍である場合、前記第１のキャリアにおいて前記ＳＦＩによって示すスロット数が前記第２のキャリアにおいて前記ＳＦＩによって示すスロット数のＮ倍であり、Ｎが正の整数である。
【０１２４】
ある可能な例において、前記第２のキャリアにおいて前記ＳＦＩによって示すｉ番目のスロットの開始時間が前記第１のキャリアにおいて前記ＳＦＩによって示す（ｉ−１）＊Ｎ＋１番目のスロットの開始時間と同じであり、前記第２のキャリアにおいて前記ＳＦＩによって示すｉ番目のスロットの終了時間が前記第１のキャリアにおいて前記ＳＦＩによって示すｉ＊Ｎ番目のスロットの終了時間と同じであり、且つ前記第１のキャリアにおいて前記ＳＦＩによって示す（ｉ−１）＊Ｎ＋１番目〜ｉ＊Ｎ番目のスロットのスロットフォーマットが同じであり、ｉが正の整数である。
【０１２５】
ある可能な例において、前記第１のサブキャリア間隔が予め構成されたサブキャリア間隔であり、又は、前記第１のサブキャリア間隔が、前記ＳＦＩを搬送するキャリアのサブキャリア間隔であり、又は、前記第１のサブキャリア間隔が、前記ネットワークデバイスからの構成情報により構成されたサブキャリア間隔である。
【０１２６】
ある可能な例において、前記ＳＦＩがキャリア数の識別情報を含み、前記キャリア数の識別情報が、前記少なくとも１つのキャリアに含まれるキャリア数を示す。
【０１２７】
ある可能な例において、前記ＳＦＩが少なくとも１つのキャリアアイデンティティを含み、前記少なくとも１つのキャリアアイデンティティのキャリアアイデンティティの数が前記キャリアの数と同じであり、前記少なくとも１つのキャリアアイデンティティの各キャリアアイデンティティが、前記少なくとも１つのキャリアのうちの１つのキャリアを示し、前記少なくとも１つのキャリアアイデンティティのうちの異なるキャリアアイデンティティによって示すキャリアが異なる。
【０１２８】
以上、主に各ネットワークエンティティ間のインタラクションという観点から本願実施例の仕組みを紹介した。端末及びネットワークデバイスは、上記機能を実現するために、それぞれの機能を実行するためのハードウェア構成及び/又はソフトウェアモジュールを含むことが理解されよう。当業者は、本明細書に開示される実施形態に関連して説明される様々な例のユニットおよびアルゴリズムステップが、ハードウェアまたはハードウェアとコンピュータソフトウェアとの組合せの形態で本開示が実施され得ることを容易に認識するであろう。ある機能がハードウェアで実行されるか、コンピュータソフトウェアドライバハードウェアで実行されるかは、特許請求の範囲の特定のアプリケーション及び設計制約に依存する。当業者は、説明された機能を実施するために、特定のアプリケーションごとに異なる方法を使用することができるが、そのような実施は、本開示の範囲を超えると考えられるべきではない。
【０１２９】
本発明の実施形態は、上記の方法例に従って端末及びネットワークデバイスを機能ユニットに分割してもよく、例えば、各機能ユニットを各機能に応じて分割してもよく、２つ以上の機能を１つの処理ユニットに統合してもよい。上記の統合されたユニットは、ハードウェアの形態で実現されてもよいし、ソフトウェアプログラムモジュールの形態で実現されてもよい。なお、本願実施例におけるユニットの分割は模式的なものであり、一の論理的な機能分割のみのものであり、実際の実現には別の分割形態があり得る。 
図８は、統合ユニットを用いる場合における、上記実施例に係るネットワークデバイス、すなわち第１のネットワークデバイスの機能構成の一例を示すブロック図である。ネットワークデバイス８００は、処理ユニット８０２と、通信ユニット８０３とを備える。処理ユニット８０２は、ネットワークデバイスの動作を制御管理するために使用され、例えば、処理ユニット８０２は、図２のステップＳ２０１、図５の５０１、及び/又は本明細書に記載される技術のための他のプロセスを実行するネットワークデバイスをサポートするために使用される。通信ユニット８０３は、ネットワークデバイスと他の機器、例えば図７に示す端末との通信を支援するためのものである。また、ネットワークデバイスは、そのプログラムコード及びデータを記憶する記憶ユニット８０１を有していてもよい。
【０１３０】
ここで、処理ユニット８０２は、プロセッサ又はコントローラであってよく、通信ユニット８０３は、送受信機、送受信回路、無線周波数チップ等であってよく、記憶ユニット８０１は、メモリであってよい。
【０１３１】
ここで、前記処理ユニット８０２は、通信ユニット８０３を介して端末にスロットフォーマット指示ＳＦＩを送信するように構成され、前記ＳＦＩが少なくとも１つのキャリアのスロットフォーマットを示し、前記少なくとも１つのキャリアが第１のキャリアを含み、前記ＳＦＩが示すスロットフォーマットが第１のサブキャリア間隔に基づいて決定され、前記第１のキャリアのサブキャリア間隔が前記第１のサブキャリア間隔の整数倍である。
【０１３２】
ある可能な例において、前記少なくとも１つのキャリアがさらに第２のキャリアを含み、前記第２のキャリアのサブキャリア間隔が前記第１のサブキャリア間隔であり、前記第１のキャリアのサブキャリア間隔が第２のサブキャリア間隔であり、前記第２のサブキャリア間隔が前記第１のサブキャリア間隔のＮ倍である場合、前記第１のキャリアにおいて前記ＳＦＩによって示すスロット数が前記第２のキャリアにおいて前記ＳＦＩによって示すスロット数のＮ倍であり、Ｎが正の整数である。
【０１３３】
ある可能な例において、前記第２のキャリアにおいて前記ＳＦＩによって示すｉ番目のスロットの開始時間が前記第１のキャリアにおいて前記ＳＦＩによって示す（ｉ−１）＊Ｎ＋１番目のスロットの開始時間と同じであり、前記第２のキャリアにおいて前記ＳＦＩによって示すｉ番目のスロットの終了時間が前記第１のキャリアにおいて前記ＳＦＩによって示すｉ＊Ｎ番目のスロットの終了時間と同じであり、且つ前記第１のキャリアにおいて前記ＳＦＩによって示す（ｉ−１）＊Ｎ＋１番目〜ｉ＊Ｎ番目のスロットのスロットフォーマットが同じであり、ｉが正の整数である。
【０１３４】
ある可能な例において、前記第１のサブキャリア間隔が予め構成されたサブキャリア間隔であり、又は、前記第１のサブキャリア間隔が、前記ＳＦＩを搬送するキャリアのサブキャリア間隔であり、又は、前記第１のサブキャリア間隔が、前記ネットワークデバイスからの構成情報により構成されたサブキャリア間隔である。
【０１３５】
ある可能な例において、前記ＳＦＩがキャリア数の識別情報を含み、前記キャリア数の識別情報が、前記少なくとも１つのキャリアに含まれるキャリア数を示す。
【０１３６】
ある可能な例において、前記ＳＦＩが少なくとも１つのキャリアアイデンティティを含み、前記少なくとも１つのキャリアアイデンティティのキャリアアイデンティティの数が前記キャリアの数と同じであり、前記少なくとも１つのキャリアアイデンティティの各キャリアアイデンティティが、前記少なくとも１つのキャリアのうちの１つのキャリアを示し、前記少なくとも１つのキャリアアイデンティティのうちの異なるキャリアアイデンティティによって示すキャリアが異なる。
【０１３７】
処理ユニット８０２がプロセッサであり、通信ユニット８０３が通信インタフェースであり、記憶ユニット８０１がメモリである場合、本願の実施形態に係るネットワークデバイスは、図６に示すネットワークデバイスであってもよい。
【０１３８】
図９は、一体型の装置を用いる場合における、上記実施形態に係る端末デバイスの機能的な構成を示すブロック図である。端末９００は、処理ユニット９０２及び通信ユニット９０３を有する。処理ユニット９０２は、端末の動作を制御管理するために使用され、例えば、処理ユニット９０２は、図４のステップ４０１-４０２、図５のステップ４０２-４０３、及び/又は本明細書に記載される技術のための他のプロセスを実行する端末をサポートするために使用される。通信ユニット９０３は、端末と他の装置との通信、例えば、図６に示すネットワークデバイスとの通信を支援するためのものである。端末は、端末のプログラムコード及びデータを記憶するための記憶ユニット９０１を更に含むことができる。
【０１３９】
ここで、処理ユニット９０２は、プロセッサ又はコントローラであってよく、例えば、中央処理装置( Ｃｅｎｔｒａｌ Ｐｒｏｃｅｓｓｉｎｇ Ｕｎｉｔ、ＣＰＵ )、汎用プロセッサ、デジタル信号プロセッサ( Ｄｉｇｉｔａｌ Ｓｉｇｎａｌ Ｐｒｏｃｅｓｓｏｒ、ＤＳＰ )、特定用途向け集積回路( Ａｐｐｌｉｃａｔｉｏｎ−Ｓｐｅｃｉｆｉｃ Ｉｎｔｅｇｒａｔｅｄ Ｃｉｒｃｕｉｔ、ＡＳＩＣ )、フィールドプログラマブルゲートアレイ( Ｆｉｅｌｄ Ｐｒｏｇｒａｍｍａｂｌｅ Ｇａｔｅ Ａｒｒａｙ、ＦＰＧＡ )、又は他のプログラマブル論理デバイス、トランジスタロジックデバイス、ハードウェアコンポーネント、又はこれらの任意の組み合わせであってよい。本開示に関連して説明された様々な例示的な論理ブロック、モジュール、および回路を実装または実行することができる。プロセッサはまた、例えば、１つ以上のマイクロプロセッサの組み合わせ、ＤＳＰとマイクロプロセッサの組み合わせなどを含む、計算機能を実装する組み合わせであってもよい。通信ユニット９０３は、送受信機、送受信回路等であり、記憶ユニット９０１は、メモリ等である。
【０１４０】
ここで、前記処理ユニット９０２は、通信ユニット９０３を介してネットワークデバイスからのスロットフォーマット指示ＳＦＩを受信するように構成され、前記ＳＦＩが少なくとも１つのキャリアのスロットフォーマットを示し、前記少なくとも１つのキャリアが第１のキャリアを含み、前記ＳＦＩが示すスロットフォーマットが第１のサブキャリア間隔に基づいて決定され、前記第１のキャリアのサブキャリア間隔が前記第１のサブキャリア間隔の整数倍であり、該処理ユニット９０２は、さらに前記ＳＦＩに基づいて、前記少なくとも１つのキャリアの各キャリア上のスロットフォーマットを決定するように構成される。
【０１４１】
ある可能な例において、前記少なくとも１つのキャリアがさらに第２のキャリアを含み、前記第２のキャリアのサブキャリア間隔が前記第１のサブキャリア間隔であり、前記第１のキャリアのサブキャリア間隔が第２のサブキャリア間隔であり、前記第２のサブキャリア間隔が前記第１のサブキャリア間隔のＮ倍である場合、前記第１のキャリアにおいて前記ＳＦＩによって示すスロット数が前記第２のキャリアにおいて前記ＳＦＩによって示すスロット数のＮ倍であり、Ｎが正の整数である。
【０１４２】
ある可能な例において、前記第２のキャリアにおいて前記ＳＦＩによって示すｉ番目のスロットの開始時間が前記第１のキャリアにおいて前記ＳＦＩによって示す（ｉ−１）＊Ｎ＋１番目のスロットの開始時間と同じであり、前記第２のキャリアにおいて前記ＳＦＩによって示すｉ番目のスロットの終了時間が前記第１のキャリアにおいて前記ＳＦＩによって示すｉ＊Ｎ番目のスロットの終了時間と同じであり、且つ前記第１のキャリアにおいて前記ＳＦＩによって示す（ｉ−１）＊Ｎ＋１番目〜ｉ＊Ｎ番目のスロットのスロットフォーマットが同じであり、ｉが正の整数である。
【０１４３】
ある可能な例において、前記第１のサブキャリア間隔が予め構成されたサブキャリア間隔であり、又は、前記第１のサブキャリア間隔が、前記ＳＦＩを搬送するキャリアのサブキャリア間隔であり、又は、前記第１のサブキャリア間隔が、前記ネットワークデバイスからの構成情報により構成されたサブキャリア間隔である。
【０１４４】
ある可能な例において、前記ＳＦＩがキャリア数の識別情報を含み、前記キャリア数の識別情報が、前記少なくとも１つのキャリアに含まれるキャリア数を示す。
【０１４５】
ある可能な例において、前記ＳＦＩが少なくとも１つのキャリアアイデンティティを含み、前記少なくとも１つのキャリアアイデンティティのキャリアアイデンティティの数が前記キャリアの数と同じであり、前記少なくとも１つのキャリアアイデンティティの各キャリアアイデンティティが、前記少なくとも１つのキャリアのうちの１つのキャリアを示し、前記少なくとも１つのキャリアアイデンティティのうちの異なるキャリアアイデンティティによって示すキャリアが異なる。
【０１４６】
処理ユニット９０２がプロセッサであり、通信ユニット９０３が通信インタフェースであり、記憶ユニット９０１がメモリである場合、本願の実施形態に係る端末は、図７に示す端末であってもよい。
【０１４７】
本願の実施例は、電子データ交換のためのコンピュータプログラムを記憶するコンピュータ可読記憶媒体をさらに提供し、コンピュータプログラムは、コンピュータに、上述の方法の実施例の端末に記載されるステップの一部又は全部を実行させる。
【０１４８】
本願の実施例は、電子データ交換のためのコンピュータプログラムを記憶するコンピュータ可読記憶媒体をさらに提供し、コンピュータプログラムは、コンピュータに、上述の方法の実施例のネットワークデバイスに記載されるステップの一部又は全部を実行させる。
【０１４９】
本発明の実施例は、コンピュータプログラムを記憶する非一時的コンピュータ可読記憶媒体を含むコンピュータプログラム製品をさらに提供し、コンピュータプログラムは、上述の方法の実施例の端末に記載されるステップの一部又は全部をコンピュータに実行させるように動作可能である。また、前記コンピュータプログラムは、ソフトウェアのインストールパッケージであってもよい。
【０１５０】
本発明の実施例は、コンピュータプログラムを記憶する非一時的コンピュータ可読記憶媒体を含むコンピュータプログラム製品をさらに提供し、コンピュータプログラムは、上述の方法の実施例のネットワークデバイスに記載されるステップの一部又は全部をコンピュータに実行させるように動作可能である。また、前記コンピュータプログラムは、ソフトウェアのインストールパッケージであってもよい。
【０１５１】
本願の実施例に記載された方法またはアルゴリズムのステップは、ハードウェアで実現されてもよく、プロセッサがソフトウェア命令を実行する方式で実現されてもよい。ソフトウェア命令は、ランダムアクセスメモリ( Ｒａｎｄｏｍ Ａｃｃｅｓｓ Ｍｅｍｏｒｙ、ＲＡＭ )、フラッシュメモリ、リードオンリーメモリ( Ｒｅａｄ Ｏｎｌｙ Ｍｅｍｏｒｙ、ＲＯＭ )、消去可能プログラマブルリードオンリーメモリ( Ｅｒａｓａｂｌｅ Ｐｒｏｇｒａｍｍａｂｌｅ ＲＯＭ、ＥＰＲＯＭ )、電気的消去可能プログラマブルリードオンリーメモリ( Ｅｌｅｃｔｒｉｃａｌｌｙ ＥＰＲＯＭ、ＥＥＰＲＯＭ )、レジスタ、ハードディスク、モバイルハードディスク、リードオンリーディスク( ＣＤ−ＲＯＭ )、または当技術分野で周知の任意の他の形態の記憶媒体に格納され得る、対応するソフトウェアモジュールから構成され得る。例示的な記憶媒体は、プロセッサが記憶媒体から情報を読み取り、記憶媒体に情報を書き込むことを可能にするように、プロセッサに結合される。もちろん、記憶媒体はプロセッサの一部であってもよい。プロセッサおよび記憶媒体は、AＳIC内に配置され得る。また、ＡＳＩＣは、アクセスネットワークデバイス、ターゲットネットワークデバイス、またはコアネットワークデバイス内に配置され得る。もちろん、プロセッサおよび記憶媒体は、アクセスネットワークデバイス、ターゲットネットワークデバイス、またはコアネットワークデバイス内に個別構成要素として存在してもよい。
【０１５２】
当業者は、上述の１つ以上の例において、本願の実施例に記載される機能が、ソフトウェア、ハードウェア、ファームウェア、またはそれらの任意の組合せによって、全体的にまたは部分的に実装され得ることを認識するであろう。ソフトウェアで実装する場合、全体的に又は部分的にコンピュータプログラム製品の形態で実装することができる。コンピュータプログラム製品は、１つ以上のコンピュータ命令を含む。コンピュータプログラム命令は、コンピュータ上でロードされ実行されると、本願の実施形態にしたがったフローまたは機能を全体的にまたは部分的に生成する。コンピュータは、汎用コンピュータ、専用コンピュータ、コンピュータネットワーク、又は他のプログラム可能な装置であってもよい。コンピュータ命令は、コンピュータ可読記憶媒体に記憶されてもよく、または、例えば、１つのウェブサイト、コンピュータ、サーバ、またはデータセンターから、別のウェブサイト、コンピュータ、サーバ、またはデータセンターへ、有線(例えば、同軸ケーブル、光ファイバ、デジタル加入者線( Ｄｉｇｉｔａｌ Ｓｕｂｓｃｒｉｂｅｒ Ｌｉｎｅ、ＤＳＬ ) )、または無線(例えば、赤外線、無線、マイクロ波など)手段によって送信されてもよい。コンピュータ可読記憶媒体は、コンピュータによってアクセス可能な任意の利用可能な媒体、または１つ以上の利用可能な媒体と一体化されたサーバ、データセンターなどを含むデータ記憶デバイスであり得る。利用可能な媒体は、磁気媒体(例えば、フロッピーディスク、ハードディスク、磁気テープ)、光学媒体(例えば、デジタルビデオディスク( Ｄｉｇｉｔａｌ Ｖｉｄｅｏ Ｄｉｓｃ、ＤＶＤ ) )、又は半導体媒体(例えば、ソリッドステートドライブ( ＳＳＤ ) )などであってもよい。
【０１５３】
本発明の実施例の目的、技術的解決策、および効果を、上記の具体的な実施例についてさらに詳細に説明したが、上記の説明は、本発明の実施例の具体的な実施形態にすぎず、本発明の実施形態の保護範囲を制限するものではなく、本発明の実施形態の技術的解決策に基づいて、本発明の実施例の保護範囲内に含まれるあらゆる修正、均等物、および改良がなされるべきであることが理解される。
【図１】
2021510019.tif 000003
【図２】
2021510019.tif 000004
【図３】
2021510019.tif 000005
【図４】
2021510019.tif 000006
【図５】
2021510019.tif 000007
【図６】
2021510019.tif 000008
【図７】
2021510019.tif 000009
【図８】
2021510019.tif 000010
【図９】
2021510019.tif 000011
【手続補正書】
【提出日】令和2年10月19日(2020.10.19)
【手続補正１】
【補正対象書類名】明細書
【補正対象項目名】全文
【補正方法】変更
【補正の内容】
【発明の詳細な説明】
【技術分野】
【０００１】
本願は、通信技術分野に関し、特に、スロットフォーマット指示方法及び関連製品に関する。
【背景技術】
【０００２】
新しいラジオ( ｎｅｗ ｒａｄｉｏ、ＮＲ )システムでは、スロット（ｓｌｏｔ）または直交周波数分割多重( Ｏｒｔｈｏｇｏｎａｌ Ｆｒｅｑｕｅｎｃｙ Ｄｉｖｉｓｉｏｎ Ｍｕｌｔｉｐｌｅｘｉｎｇ、ＯＦＤＭ )シンボルをスケジューリング単位とし、各スロットは１４個のＯＦＤＭシンボルを含む。ＮＲシステムのフレーム構成は、柔軟な構成とすることができ、１つのスロットにＤＬ ( ｄｏｗｎｌｉｎｋ )のためのシンボル、ＵＬ ( ｕｐｌｉｎｋ )のための用シンボル、予約( ｒｅｓｅｒｖｅｄ )シンボル、未知( ｕｎｋｎｏｗｎ )シンボルがあり、例えば、準静的ＤＬ / ＵＬ構成情報によってスロットフォーマットを構成し、この構成情報は、スロット内のＤＬ、ＵＬ、予約シンボル、未知シンボルの個数、位置などを示すことができる。ここで、予約シンボルはＤＬまたはＵＬの伝送のために使用されないが、未知のシンボルは、ＤＬまたはＵＬの送信のために下り制御情報( Ｄｏｗｎｌｉｎｋ Ｃｏｎｔｒｏｌ Ｉｎｆｏｒｍａｔｉｏｎ、ＤＣＩ )シグナリングによって上書き、たとえば、基地局は、動的シグナリンググループ共通下り制御チャネル( ｇｒｏｕｐ ｃｏｍｍｏｎ ＰＤＣＣＨ、ＧＣ−ＰＤＣＣＨ )を介してスロットフォーマット指示( ｓｌｏｔ ｆｏｒｍａｔ ｉｎｄｉｃａｔｏｒ、ＳＦＩ )を送信することができ、半静的に構成された未知のシンボルは、ＤＬまたはＵＬシンボルに変更されることにより、新しいスロットフォーマットを示し、ＳＦＩにおいて、ＤＬのためのシンボル、ＵＬのためのシンボル、およびｕｎｋｎｏｗｎシンボルを示すことができる。
【０００３】
複数のキャリアシステムにおけるキャリア間のスロットフォーマット指示をサポートし、すなわち、あるキャリア上で送信されるＳＦＩが別のキャリア上のスロットフォーマットを示すことができ、このキャリア上で送信されるＳＦＩによって別のキャリア上のスロットフォーマットをどのように示すかが、当業者によって検討されている技術的課題である。
【発明の概要】
【０００４】
本願の実施例は、特定キャリアのサブキャリア間隔に依存せずに、一つ又は複数のキャリアのスロットフォーマット指示を可能にするスロットフォーマット方法及び関連製品を提供する。
【０００５】
第１の態様として、本願の実施例は、スロットフォーマット指示方法を提供し、
ネットワークデバイスが端末にスロットフォーマット指示ＳＦＩを送信することを含み、前記ＳＦＩが少なくとも１つのキャリアのスロットフォーマットを示し、前記少なくとも１つのキャリアが第１のキャリアを含み、前記ＳＦＩが示すスロットフォーマットが第１のサブキャリア間隔に基づいて決定され、前記第１のキャリアのサブキャリア間隔が前記第１のサブキャリア間隔の整数倍である。
【０００６】
第２の態様として、本願の実施例は、スロットフォーマット指示方法を提供し、
端末がネットワークデバイスにより送信されたスロットフォーマット指示ＳＦＩを受信することと、
前記端末が前記ＳＦＩに基づいて、少なくとも１つのキャリアの各キャリアのスロットフォーマットを決定することとを含み、
前記ＳＦＩが少なくとも１つのキャリアのスロットフォーマットを示し、前記少なくとも１つのキャリアが第１のキャリアを含み、前記ＳＦＩが示すスロットフォーマットが第１のサブキャリア間隔に基づいて決定され、前記第１のキャリアのサブキャリア間隔が前記第１のサブキャリア間隔の整数倍である。
【０００７】
第３の態様として、本願の実施例は、上記第１の態様のネットワークデバイスの動作を実現する機能を有するネットワークデバイスを提供する。これらの機能は、ハードウェアで実現してもよいし、対応するソフトウェアをハードウェアで実行することで実現してもよい。ハードウェア又はソフトウェアは、上述の機能に対応する１つ以上のモジュールを含む。１つの可能な設計では、ネットワークデバイスは、上記の方法のそれぞれの機能を実行するようにネットワークデバイスをサポートするように構成されたプロセッサを含む。さらに、ネットワークデバイスは、ネットワークデバイスと端末との間の通信をサポートするための送受信機をさらに含み得る。さらに、ネットワークデバイスは、プロセッサと結合し、ネットワークデバイスに必要なプログラム命令及びデータを記憶するメモリをさらに含み得る。
【０００８】
第４の態様として、本願の実施例は、上記第２の態様の端末の動作を実現する機能を有する端末を提供する。これらの機能は、ハードウェアで実現してもよいし、対応するソフトウェアをハードウェアで実行することで実現してもよい。ハードウェア又はソフトウェアは、上述の機能に対応する１つ以上のモジュールを含む。１つの可能な設計では、端末は、上記の方法のそれぞれの機能を実行するように端末をサポートするように構成されたプロセッサを含む。さらに、端末は、ネットワークデバイスと端末との間の通信をサポートするための送受信機をさらに含み得る。さらに、端末は、プロセッサと結合し、端末に必要なプログラム命令及びデータを記憶するメモリをさらに含み得る。
【０００９】
第５の態様として、本願の実施例は、プロセッサと、メモリと、送受信機と、１つまたは複数のプログラムとを備えるネットワークデバイスを提供し、１つまたは複数のプログラムは、メモリに記憶され、プロセッサによって実行されるように構成され、プログラムは、本願の実施例の第１の態様のいずれかの方法のステップを実行するための命令を含む。
【００１０】
第６の態様として、本願の実施例は、プロセッサと、メモリと、通信インターフェースと、１つまたは複数のプログラムとを含む端末を提供し、１つまたは複数のプログラムは、メモリに記憶され、プロセッサによって実行されるように構成され、プログラムは、本願の実施形態の第２の態様のいずれかの方法のステップを実行するための命令を含む。
【００１１】
第７の態様として、本願の実施例は、スロットフォーマット指示のためのコンピュータプログラムを記憶するコンピュータ可読記憶媒体を提供し、ここで、前記コンピュータプログラムは、本願の実施例の第１の態様のいずれかに記載のステップの一部又は全部をコンピュータに実行させる。
【００１２】
第８の態様として、本願の実施例は、スロットフォーマット指示のためのコンピュータプログラムを記憶するコンピュータ可読記憶媒体を提供し、ここで、前記コンピュータプログラムは、本願の実施例の第２の態様のいずれかに記載のステップの一部又は全部をコンピュータに実行させる。
【００１３】
第９の態様として、本願の実施例は、コンピュータプログラムを記憶する非一時的コンピュータ可読記憶媒体を備えるコンピュータプログラム製品を提供し、コンピュータプログラムは、本願の実施例の第１の態様のいずれか１つに記載のステップの一部または全部をコンピュータに実行させるように動作可能である。前記コンピュータプログラムは、ソフトウェアのインストールパッケージであってもよい。
【００１４】
第１０の態様として、本願の実施例は、コンピュータプログラムを記憶する非一時的コンピュータ可読記憶媒体を備えるコンピュータプログラム製品を提供し、コンピュータプログラムは、本願の実施例の第２の態様のいずれか１つに記載のステップの一部または全部をコンピュータに実行させるように動作可能である。前記コンピュータプログラムは、ソフトウェアのインストールパッケージであってもよい。
【００１５】
このように、本願の実施例において、このＳＦＩによって指示されるスロットフォーマットは、第１のサブキャリア間隔に基づいて決定され、上記の少なくとも１つのキャリアのうちのいずれかのキャリアのサブキャリア間隔は、この第１のサブキャリア間隔の整数倍であり、したがって、少なくとも１つのキャリアが複数のキャリアである場合、本願の実施例を用いて、複数のキャリアのスロットフォーマットの指示を可能にし、この少なくとも１つのキャリアが第１のキャリアのみを含む場合、本願の実施例を用いて、この第１のキャリアのキャリア間隔に依存せずに、第１のキャリアのスロットフォーマットの指示を可能にする。
【図面の簡単な説明】
【００１６】
以下、本発明の実施の形態について図面を参照して説明する。
【図１】本願の実施例における無線通信システムの構成図である。
【図２】本願の実施例におけるスロットフォーマット指示方法のフローチャートである。
【図３】本願の実施例におけるスロットフォーマット指示ＳＦＩに含まれるフィールド構成の模式図である。
【図４】本願の実施例における他のスロットフォーマット指示方法のフローチャートである。
【図５】本願の実施例における他のスロットフォーマット指示方法フローチャートである。
【図６】本願の実施例におけるネットワークデバイスの構成図である。
【図７】本願の実施例における端末の構成図である。
【図８】本願の実施例における他のネットワークデバイスの構成図である。
【図９】本願の実施例における他の端末の構成図である。
【発明を実施するための形態】
【００１７】
以下、本発明の実施例について図面を参照して説明する。
【００１８】
図１は、本発明の実施例において、端末１０１、ネットワークデバイス１０２、及びコアネットワーク１０３を少なくとも含む無線通信システム１００の構造を示す模式図である。任意選択で、無線通信システム１０内のデバイスは、無線通信技術を使用して通信することができ、たとえば、この無線通信技術は、第２の世代移動体通信技術( Ｔｈｅ２ ｎｄ−Ｇｅｎｅｒａｔｉｏｎ、２Ｇ )、第３世代移動体通信技術( Ｔｈｅ３ ｒｄ−Ｇｅｎｅｒａｔｉｏｎ、３Ｇ )、ロングタームエボリューション( ｌｏｎｇ ｔｅｒｍ ｅｖｏｌｕｔｉｏｎ、ＬＴＥ )、第４世代移動体通信技術( ｔｈｅ４ｔｈ  Ｇｅｎｅｒａｔｉｏｎ ｍｏｂｉｌｅ Ｃｏｍｍｕｎｉｃａｔｉｏｎ、４Ｇ )、第５世代移動体通信技術( ｔｈｅ５ ｔｈ−Ｇｅｎｅｒａｔｉｏｎ、５Ｇ )、またはワイヤレスフィデリティ( ＷＩｒｅｌｅｓｓ−Ｆｉｄｅｌｉｔｙ、Ｗｉ−ＦＩ )技術、またはブルートゥース技術、またはｚｉｇｂｅｅ技術、または他の既存の通信技術、またはその後に検討される通信技術などであり得る。
【００１９】
端末１０１は、無線通信機能を有するハンドヘルドデバイス(例えば、携帯電話、タブレット、パームトップなど)、車載デバイス(例えば、自動車、自転車、電気自動車、航空機、船舶、列車、鉄道など)、ウェアラブルデバイス(例えば、スマートウォッチ、スマートブレスレット、歩数計など)、スマートホーム機器(例えば、冷蔵庫、テレビ、エアコン、電力計など)、飛行機器(例えば、無人機、航空機)、スマートロボット、プラント機器、無線モデムに接続可能な他の処理機器、及び様々な形態のユーザ機器、移動局( ｍｏｂｉｌｅ ｓｔａｔｉｏｎ、ＭＳ )、端末( ｔｅｒｍｉｎａｌ ）、端末装置（ ｔｅｒｍｉｎａｌ Ｅｑｕｉｐｍｅｎｔ )などであってもよい。
【００２０】
ネットワークデバイス１０２ ( １つまたは複数である)は、ネットワーク側のデバイス、例えば、５Ｇの基地局、４Ｇの基地局、または無線ネットワークアクセス機能を実装し得る任意の他のデバイスなどであり得る。コアネットワーク１０３は、ネットワークデバイス１０２に対するトランスポートサービスの設定、例えばサービス品質( Ｑｕａｌｉｔｙ ｏｆ Ｓｅｒｖｉｃｅ、ＱｏＳ )に関するパラメータの設定に用いられる。
【００２１】
なお、図１に示す無線通信システム１００は、本開示の技術的解決策をより明確に説明するためのものに過ぎず、本開示を限定するものではなく、ネットワークアーキテクチャの進化と新たなビジネスシナリオの出現に伴い、本開示が提供する技術的解決策が、類似の技術的課題に対して同様に適用されることは、当業者にとって明らかである。
【００２２】
以下、本願に関連する技術を紹介する。
【００２３】
現在、複数のキャリアシステム及び複数の帯域幅部分（ｂａｎｄｗｉｄｔｈ ｐａｒｔ、ＢＷＰ）においてキャリア間のスロットフォーマット指示をサポートし、すなわち、あるキャリア上で送信されるＳＦＩが別のキャリア上のスロットフォーマットを示すことができ、このキャリア上で送信されるＳＦＩによって別のキャリア上のスロットフォーマットをどのように示すかが、当業者によって検討されている技術的課題である。
【００２４】
上記課題に対し、本願の実施例では、以下の実施例を提案し、添付図面を参照して説明する。
【００２５】
図２を参照すると、図２は、本発明の実施例によるスロットフォーマット指示方法のフローチャート図であり、この方法は、図１に示されたアーキテクチャに基づいて実現し、または、他のアーキテクチャに基づいて、実現してもよく、方法は、以下のステップを含むが、これらに限定されない。
【００２６】
ステップＳ２０１において、ネットワークデバイスが端末にスロットフォーマット指示ＳＦＩを送信し、該ＳＦＩが少なくとも１つのキャリアのスロットフォーマットを示し、該少なくとも１つのキャリアが第１のキャリアを含み、ＳＦＩによって示すスロットフォーマットが第１のサブキャリア間隔に基づいて決定され、第１のキャリアのサブキャリア間隔が該第１のサブキャリア間隔の整数倍である。
【００２７】
具体的に、該第１のサブキャリア間隔が該第１のキャリアの以外の他のキャリアのサブキャリア間隔であり、又は、該第１のサブキャリア間隔は、ある特定のキャリアのサブキャリア間隔ではなく、サブキャリア間隔を判断することができる値であり、該第１のサブキャリア間隔の値が該第１のキャリアのサブキャリア間隔と同じであることを排除しないが、本質的に、このＳＦＩによって示すスロットフォーマットは、該第１のキャリアのサブキャリア間隔に基づいて決定されるものではない。また、該ＳＦＩは、該第１のキャリアの１つのスロットのスロットフォーマットに使用され、又は、該ＳＦＩは、該第１のキャリアの少なくとも２つのスロットのスロットフォーマットに使用される。
【００２８】
該少なくとも１つのキャリアの各キャリアにおいてスロットフォーマットが指示されるスロット数が該第１のサブキャリアと一定の関係があり、目標キャリアが該少なくとも１つのキャリアのうちのいずれかのキャリアである場合、目標キャリアのサブキャリア間隔が該第１のサブキャリア間隔のＸ倍であり、該目標キャリアにおいて該ＳＦＩによって示すスロット数がＸ＊Ｙ倍であり、ＸとＹともが正の整数である。なお、該目標キャリアが異なるキャリアである場合、このＸの値が異なっても良い。このように、前記第１のキャリアのサブキャリア間隔が前記第１のサブキャリア間隔の整数倍である。
【００２９】
ある可能な方式において、該少なくとも１つのキャリアがさらに第２のキャリアを含み、該第２のキャリアのサブキャリア間隔が該第１のサブキャリア間隔であり（任意選択で、前記第１のサブキャリア間隔が前記ＳＦＩの送信時刻において第２のキャリアのサブキャリア間隔である）、該第１のキャリアのサブキャリア間隔が第２のサブキャリア間隔であり、該第２のサブキャリア間隔が該第１のサブキャリア間隔のＮ倍である場合、該第１のキャリアにおいて該ＳＦＩによって示すスロット数が該第２のキャリアにおいて該ＳＦＩによって示すスロット数のＮ倍である、Ｎが正の整数である。
【００３０】
例えば、第２のキャリアのサブキャリア間隔が１５ＫＨｚであり、第１のキャリアのサブキャリア間隔が６０ＫＨｚであり、即ち、該第１のキャリアのサブキャリア間隔が該第２のキャリアのサブキャリア間隔の４倍である場合、該第１のキャリアのスロットの数が該第２のキャリアのスロットの数の４倍であり、例えば、該第２のキャリアに１０個のスロットがある場合、該第１のキャリアにおいて同じ時間に４０個のスロットがある。キャリアのサブキャリア間隔とスロット数とがこの関係があるため、本願の実施例は、該ＳＦＩによって第１のキャリアのスロットフォーマット及び第２のキャリアのスロットフォーマットを示す場合、該第１のキャリアにおいて指示されるスロット数と該第２のキャリアにおいて指示されるスロット数との関係を考え、具体的に、該第１のキャリアのサブキャリア間隔（即ち第２のサブキャリア間隔）が該第２のキャリアのサブキャリア間隔（即ち第１のサブキャリア間隔）のＮ倍である場合、該第１のキャリアにおいて該ＳＦＩによって示すスロット数が該第２のキャリアにおいて該ＳＦＩによって示すスロット数のＮ倍である。
【００３１】
例えば、第２のキャリアのサブキャリア間隔（即ち第１のサブキャリア間隔）が１５ＫＨｚであり、第２のキャリア上のスロット数が１００個であり、且つ第１のキャリアのサブキャリア間隔（即ち第２のサブキャリア間隔）が６０ＫＨｚである場合、第１のキャリアの同じ時間内のスロット数が４００個である。又は、各ＳＦＩが第２のキャリア上の１０個のスロットの構成を示す場合、該各ＳＦＩが第１のキャリア上の４０個のスロットフォーマットを示す。このように、１０個のＳＦＩで第２のキャリア上の１００個のスロットのスロットフォーマット及び第１のキャリア上の４００個のスロットのスロットフォーマットを示す。
【００３２】
また、例えば、第２のキャリアのサブキャリア間隔（即ち第１のサブキャリア間隔）が１５ＫＨｚであり、第２のキャリア上のスロット数が１００個であり、且つ第１のキャリアのサブキャリア間隔（即ち第２のサブキャリア間隔）が６０ＫＨｚである場合、第１のキャリアの同じ時間内のスロット数が４００個である。又は、各ＳＦＩが第２のキャリア上の１０個のスロットの構成を示し、且つ該各ＳＦＩが第１のキャリア上の１０個のスロットフォーマットを示す。このように、１０個のＳＦＩで第２のキャリア上の１００個のスロットのスロットフォーマット及び第１のキャリア上の１００個のスロットのスロットフォーマットを示すが、第１のキャリアにおいて３００個のスロットのスロットフォーマットが示されない。この結果、第１のキャリア上に残る３００個のスロットのスロットフォーマットを示すために、ＳＦＩの一部が追加で構成され、この場合、追加の通信オーバーヘッドをもたらす可能性があり、又は、第１のキャリア上に残る３００個のスロット分の構成を示さず、この場合、３００個のスロットリソースの浪費が生じる。
【００３３】
また、第２のキャリアのＳＦＩが示すスロット数と第１のキャリアにおいてこのＳＦＩが示すスロット数との関係は、一例であり、実際には、この複数のキャリアのうちの任意の２つのキャリア間において、一方のキャリアのサブキャリア間隔が他方のキャリアのサブキャリア間隔のＮ倍である場合、他方のキャリアにおいてＳＦＩが示すスロット数は、一方のキャリアにおいてこのＳＦＩが示すスロット数のＮ倍である。
【００３４】
例えば、複数キャリアのうち、サブキャリア間隔が最小のキャリアをキャリア１とし、この複数のキャリアが少なくともキャリア２、キャリア３、キャリア４、キャリア５を含み、キャリア１のサブキャリア間隔が７.５ＫＨｚ、キャリア２のサブキャリア間隔が１５ＫＨｚ、キャリア３のサブキャリア間隔が３０ＫＨｚ、キャリア４のサブキャリア間隔が６０ＫＨｚ、キャリア５のサブキャリア間隔が１２０ＫＨｚであるとする。上記ＳＦＩが示すキャリア２上のスロット数は、ＳＦＩが示すキャリア１上のスロット数の２倍であり、上記ＳＦＩが示すキャリア３上のスロット数は、ＳＦＩが示すキャリア１上のスロット数の４倍であり、上記ＳＦＩが示すキャリア４上のスロット数は、ＳＦＩが示すキャリア１上のスロット数の８倍であり、上記ＳＦＩが示すキャリア５上のスロット数は、ＳＦＩが示すキャリア１上のスロット数の１６倍である。
【００３５】
本願の実施例は、各キャリアにおいて指示されたスロットの数を述べたが、具体的に指示されたスロットがどのようなものか、またどれであるかは限定しない。例えば、第１のキャリアには１００個のスロットが含まれ、上記ＳＦＩは、この１００個のスロットのうち５個のスロットを指示しているが、この５個のスロットは、具体的には、この１００個のスロットのうちのどの５個であるかは限定されない。
【００３６】
ある可能な例において、前記第２のキャリアにおいて前記ＳＦＩによって示すｉ番目のスロットの開始時間が前記第１のキャリアにおいて前記ＳＦＩによって示す（ｉ−１）＊Ｎ＋１番目のスロットの開始時間と同じであり、前記第２のキャリアにおいて前記ＳＦＩによって示すｉ番目のスロットの終了時間が前記第１のキャリアにおいて前記ＳＦＩによって示すｉ＊Ｎ番目のスロットの終了時間と同じであり、且つ前記第１のキャリアにおいて前記ＳＦＩによって示す（ｉ−１）＊Ｎ＋１番目〜ｉ＊Ｎ番目のスロットのスロットフォーマットが同じであり、ｉは正の整数であり、厳密に、ｉは、前記第２のキャリア上の前記ＳＦＩで示されるスロットの数以下である。
【００３７】
例えば、Ｎ＝５、第２のキャリアに１０個のスロットがある場合、第１のキャリアに５０個のスロットがある。以上の規則から、ｉは１〜５までの正の整数であっても良く、ｉ＝１のとき、前記第２のキャリア上の前記ＳＦＩが指示する１番のスロットの開始時間は、前記第１のキャリア上の前記ＳＦＩが指示する１番目のスロットの開始時間と同じであり、前記第２のキャリア上のＳＦＩが指示する１番目のスロットの終了時間は、前記第１のキャリア上の前記ＳＦＩが指示する５番目のスロットの終了時間と同じであり、前記第１のキャリア上の前記ＳＦＩが指示する１番目のスロット〜５番目のスロットのスロットフォーマットは同じである。ｉ＝２のとき、前記第２のキャリア上の前記ＳＦＩが指示する２番目のスロットの開始時刻は、前記第１のキャリア上の前記ＳＦＩが指示する６番目のスロットの開始時刻と同一であり、前記第２のキャリア上の前記ＳＦＩが指示する２番目のスロットの終了時刻は、前記第１のキャリア上の前記ＳＦＩが指示する１０番目のスロットの終了時刻と同一であり、前記第１のキャリア上の前記ＳＦＩが指示する６番目〜１０番目のスロットのスロットフォーマットは同一である。ｉが他の値である場合、以下のように類推され、ここで一々列挙はしない。
【００３８】
ある可能な例において、第２のキャリア上のＳＦＩが示すｉ番目のスロットの開始時間が、第１のキャリア上のＳＦＩが示す（j-１） ＊ Ｎ ＋ １番目のスロットの開始時間と整合される場合、第２のキャリア上のＳＦＩが示すｉ番目のスロットの終了時間は、第１のキャリア上のＳＦＩが示すｊ ＊ Ｎ番目のスロットの終了時間と整合され、第１のキャリア上のＳＦＩが示す（ ｊ−１ ） ＊ Ｎ ＋ １〜ｊ ＊ Ｎ番目のスロットのスロットフォーマットは同じであり、ｉ及びjが正の整数である。
【００３９】
ある可能な方式において、前記第１のサブキャリア間隔が予め構成されたサブキャリア間隔であり、例えば、プロトコルにおいて該第１のサブキャリア間隔が使用のために予め定義され、ネットワークデバイス及び端末が該第１のサブキャリア間隔を知る。
【００４０】
ある可能な方式において、前記第１のサブキャリア間隔が、前記ＳＦＩを搬送するキャリアのサブキャリア間隔であり、すなわち、ＳＦＩがどのキャリア上でこのサブキャリア間隔が送信されるかは、第１のサブキャリア間隔であり、ＳＦＩを搬送するキャリアは、上記の第１のキャリアではない、すなわち、ＳＦＩが第１のキャリア上のスロットのスロットフォーマットを示すことを可能にするために、ＳＦＩを搬送するキャリアのサブキャリア間隔によって、ＳＦＩが最初に決定される。
【００４１】
ある可能な方式において、前記ネットワークデバイスが端末にスロットフォーマット指示ＳＦＩを送信する前に、該方法は、さらに、前記ネットワークデバイスが前記端末に構成情報を送信することを含み、これに対応し、該端末が該ネットワークデバイスにより送信された構成情報を受信し、前記構成情報は、前記第１のサブキャリア間隔を示す。つまり、該第１のサブキャリア間隔は、ネットワークデバイスが準静又は動的に構成情報を送信して示し、該構成情報は、ＳＦＩに含めることができる。
【００４２】
さらに、ネットワークデバイスによって送信される構成情報は、ブロードキャスト情報、無線リソース管理ＲＲＣシグナリング、または制御情報であっても良い。
【００４３】
ある可能な方式において、該ＳＦＩがキャリア数の識別情報を含み、該キャリア数の識別情報が前記少なくとも１つのキャリアのキャリア数を示す。すなわち、上記の少なくとも１つのキャリアの数は、キャリア数識別情報によって示される必要があり、例えば、ＳＦＩには、このキャリア数の識別情報をカプセル化するためのフィールドが含まれ、このフィールドの値が０１１である場合には、少なくとも１つのキャリア数が具体的に３つであることを示し、フィールドの値が１０１である場合には、少なくとも１つのキャリア数が具体的に５つであることを示す。
【００４４】
ある可能な方式において、前記ＳＦＩが少なくとも１つのキャリアインデックスを含み、前記少なくとも１つのキャリアインデックス内のキャリアインデックスの数が前記少なくとも１つのキャリア内のキャリアの数と同じであり、前記少なくとも１つのキャリアインデックスの各キャリアインデックスは、前記少なくとも１つのキャリア内の１つのキャリアを示し、前記少なくとも１つのキャリアインデックス内の異なるキャリアインデックスが示すキャリアが異なる。
【００４５】
ある可能な方式において、該ＳＦＩがスロットフォーマットインデックスを含み、任意選択で、該スロットフォーマットのインデックスが１つ以上であり、１つの場合、該少なくとも１つのキャリア上のスロットのスロットフォーマットは、全て、１つのスロットフォーマットインデックスによって表されるスロットフォーマットであり、複数の場合、該複数のスロットフォーマットインデックスのうちのスロットフォーマットインデックスの数と少なくとも１つのキャリアのキャリア数とが同じであってもよく、その場合、１つのスロットフォーマットインデックスが１つのキャリア上のスロットフォーマットを示す。
【００４６】
ある可能な方式において、該少なくとも１つのキャリアが複数のキャリアである場合、このＳＦＩは、スロットフォーマット同一指示フィールドを含み、このフィールドは、ＳＦＩによって示されるすべてのキャリア上のスロットが同じスロットフォーマットを採用するかどうかを示すために使用される。例えば、ＳＦＩに１ビットのスロットフォーマット同一指示フィールドが含まれ、該ビットが１である場合、該ＳＦＩが指示する全キャリア上のスロットが同一のスロットフォーマットを有することを示し、この時、１つのスロットフォーマットインデックスで全キャリア上のスロットのスロットフォーマットを指示でき、このビットが０の場合、ＳＦＩが示す全キャリア上のスロットが異なるスロットフォーマットを有することを示し、この時、各キャリア上のスロットフォーマットは、ＳＦＩが示すキャリア数と同数のスロットフォーマットインデックスでそれぞれ指示される必要がある。
【００４７】
例えば、複数のキャリアシステム又は複数のＢＷＰにおいて、この端末が８個のキャリア(それぞれ０〜７の番号を有する)をサポートし、ネットワークデバイスは、Ｎ個のキャリアのスロットフォーマットを示すＳＦＩを構成することができ、ここで、１＜＝ Ｎ＜＝ ８、例えば、Ｎ ＝ ３、すなわち、ＳＦＩにおける３個のキャリアのスロットフォーマットを示し、具体的には、ＳＦＩには、３ビットのキャリア識別情報のようにキャリアの数を示すフィールドが含まれ、ＳＦＩが適用キャリア数を示す。このＳＦＩは、キャリアインデックスが０、３、６の順になるキャリアのスロットフォーマットを示す必要があり、キャリア０でＳＦＩが送信されるものとし、キャリア０のサブキャリア間隔が１５ｋＨｚ、キャリア３のサブキャリア間隔が３０ｋＨｚ、キャリア６のサブキャリア間隔が６０ｋＨｚとし、ＳＦＩが示すスロットフォーマットは、キャリア０のサブキャリア間隔、すなわち１５ｋＨｚを基準とすることを予め定められた方法で決定される。図３に示すように、図３には７つのフィールドが示されており、左から右に、１番目のフィールドがをカプセル化するキャリア数の識別情報０１１は、３つのキャリアのスロットフォーマットが必要であることを示し、２番目のフィールドがカプセル化するキャリアインデックス０００は、キャリアインデックスが０であるキャリアを示し、３番目のフィールドがカプセルするスロットフォーマットインデックス００００１０は、キャリアインデックスが０であるキャリア上のスロットのスロットフォーマットが該スロットフォーマットインデックス００００１０が示すスロットフォーマットであることを示し、該スロットフォーマットインデックスがキャリア０上の１つのスロットのスロットフォーマットを示し、４番目のフィールドがカプセル化するキャリアインデックス０１１は、キャリアインデックスが３であるキャリアを示し、５番目のフィールドがカプセル化するスロットフォーマットインデックス０００００１は、キャリアインデックスが３であるキャリア上のスロットのスロットフォーマットが該スロットフォーマットインデックス０００００１が示すスロットフォーマットであることを示し、該スロットフォーマットインデックスがキャリア３上の２個のスロットのスロットフォーマットを示し、この２個のスロットのスロットフォーマットが同じであり、６番目のフィールドがカプセル化するキャリアインデックス１１０は、キャリアインデックスが６であるキャリアを示し、７番目のフィールドがカプセル化するスロットフォーマットインデックス００００１１は、キャリアインデックスが６であるキャリア上のスロットのスロットフォーマットが該スロットフォーマットインデックス００００１１が示すスロットフォーマットであることを示し、該スロットフォーマットインデックスがキャリア６上の４個のスロットのスロットフォーマットを示し、さらに、これらの４個のスロットのスロットフォーマットが同じである。なお、該端末にスロットフォーマットインデックス表が予め記憶され、該スロットフォーマットインデックス表の各スロットフォーマットインデックスがスロットフォーマットを示す。
【００４８】
なお、端末が該ＳＦＩを受信した後、該ＳＦＩ内の情報を解析し、該ＳＦＩ指示の内容を知る。
【００４９】
任意選択で、端末は、どのキャリア上のスロットフォーマットをＳＦＩが示すべきかを解析し、例えば、解析されたキャリアインデックスから、どのキャリア上のスロットフォーマットをＳＦＩが示すべきかを決定する。
【００５０】
任意選択で、少なくとも１つのキャリアの各キャリア上のスロットフォーマットが示されるスロットの数は、第１のサブキャリアと一定の関係にあるので、目標キャリアのサブキャリア間隔は、第１のサブキャリア間隔のＸ倍であり、該目標キャリアにおいて該ＳＦＩによって示すスロット数がＸ＊Ｙ倍であり、ＸとＹともが正の整数である。従って、端末は、ここでＸ、Ｙの値を取得する必要があり、ここで、Ｘ及びＹの値は、プロトコルで規定されてもよいし、端末が取得するためにＳＦＩにカプセル化されてもよい。該端末が該第１のサブキャリアの値を自ら取得し、該ＳＦＩから上記少なくとも１つのキャリアを解析し、該少なくとも１つのキャリアにおける目標キャリアのサブキャリア間隔からＸを算出した場合、Ｙの値はプロトコルで規定されていてもよいし、該ＳＦＩにカプセル化して端末が取得するようにしてもよく、このように該端末がＸ及びＹの値を取得することができる。ここで、端末が該第１のサブキャリアの値を取得する仕方は、プロトコルで規定されていてもよいし、該端末がプロトコルから直接取得してもよいし、該ＳＦＩに該第１のサブキャリア間隔が示されていてもよいし、該端末が上りデータを受信した際に検出してもよい。
【００５１】
図２に示す方法において、該ＳＦＩによって示すスロットフォーマットが第１のサブキャリア間隔に基づいて決定され、上記の少なくとも１つのキャリアのいずれかのキャリアのサブキャリア間隔が該第１のサブキャリア間隔の整数倍であるため、該少なくとも１つのキャリアが複数のキャリアである場合、本願の実施例を利用して複数のキャリアのスロットフォーマットの指示を行い、該少なくとも１つのキャリアが第１のキャリアのみを含む場合、本願の実施例を利用して、該第１のキャリアのキャリア間隔に依存しなく、該第１のキャリアのスロットフォーマットの指示を実現する。
【００５２】
図２に示される実施例と一致し、図４を参照すると、図４は、本願の実施例が提供する他のスロットフォーマット指示方法であり、この方法は、図１に示されるアーキテクチャに基づいて実現されてもよく、また、他のアーキテクチャに基づいて実現されてもよく、この方法は、以下のステップを含むが、これらに限定されない。
【００５３】
ステップＳ４０１において、端末がネットワークデバイスにより送信されたスロットフォーマット指示ＳＦＩを受信する。該ＳＦＩが少なくとも１つのキャリアのスロットフォーマットを示し、該少なくとも１つのキャリアが第１のキャリアを含み、ＳＦＩによって示すスロットフォーマットが第１のサブキャリア間隔に基づいて決定され、第１のキャリアのサブキャリア間隔が該第１のサブキャリア間隔の整数倍である。
【００５４】
具体的に、該第１のサブキャリア間隔が該第１のキャリアの以外の他のキャリアのサブキャリア間隔であり、又は、該第１のサブキャリア間隔は、ある特定のキャリアのサブキャリア間隔ではなく、サブキャリア間隔を判断することができる値であり、該第１のサブキャリア間隔の値が該第１のキャリアのサブキャリア間隔と同じであることを排除しないが、本質的に、このＳＦＩによって示すスロットフォーマットは、該第１のキャリアのサブキャリア間隔に基づいて決定されるものではない。また、該ＳＦＩは、該第１のキャリアの１つのスロットのスロットフォーマットに使用され、又は、該ＳＦＩは、該第１のキャリアの少なくとも２つのスロットのスロットフォーマットに使用される。
【００５５】
該少なくとも１つのキャリアの各キャリアにおいてスロットフォーマットが指示されるスロット数が該第１のサブキャリアと一定の関係があり、目標キャリアが該少なくとも１つのキャリアのうちのいずれかのキャリアである場合、目標キャリアのサブキャリア間隔が該第１のサブキャリア間隔のＸ倍であり、該目標キャリアにおいて該ＳＦＩによって示すスロット数がＸ＊Ｙ倍であり、ＸとＹともが正の整数である。なお、該目標キャリアが異なるキャリアである場合、このＸの値が異なっても良い。このように、前記第１のキャリアのサブキャリア間隔が前記第１のサブキャリア間隔の整数倍である。
【００５６】
ある可能な方式において、該少なくとも１つのキャリアがさらに第２のキャリアを含み、該第２のキャリアのサブキャリア間隔が該第１のサブキャリア間隔であり（任意選択で、前記第１のサブキャリア間隔が前記ＳＦＩの送信時刻において第２のキャリアのサブキャリア間隔である）、該第１のキャリアのサブキャリア間隔が第２のサブキャリア間隔であり、該第２のサブキャリア間隔が該第１のサブキャリア間隔のＮ倍である場合、該第１のキャリアにおいて該ＳＦＩによって示すスロット数が該第２のキャリアにおいて該ＳＦＩによって示すスロット数のＮ倍である、Ｎが正の整数である。
【００５７】
例えば、第２のキャリアのサブキャリア間隔が１５ＫＨｚであり、第１のキャリアのサブキャリア間隔が６０ＫＨｚであり、即ち、該第１のキャリアのサブキャリア間隔が該第２のキャリアのサブキャリア間隔の４倍である場合、該第１のキャリアのスロットの数が該第２のキャリアのスロットの数の４倍であり、例えば、該第２のキャリアに１０個のスロットがある場合、該第１のキャリアにおいて同じ時間に４０個のスロットがある。キャリアのサブキャリア間隔とスロット数とがこの関係があるため、本願の実施例は、該ＳＦＩによって第１のキャリアのスロットフォーマット及び第２のキャリアのスロットフォーマットを示す場合、該第１のキャリアにおいて指示されるスロット数と該第２のキャリアにおいて指示されるスロット数との関係を考え、具体的に、該第１のキャリアのサブキャリア間隔（即ち第２のサブキャリア間隔）が該第２のキャリアのサブキャリア間隔（即ち第１のサブキャリア間隔）のＮ倍である場合、該第１のキャリアにおいて該ＳＦＩによって示すスロット数が該第２のキャリアにおいて該ＳＦＩによって示すスロット数のＮ倍である。
【００５８】
例えば、第２のキャリアのサブキャリア間隔（即ち第１のサブキャリア間隔）が１５ＫＨｚであり、第２のキャリア上のスロット数が１００個であり、且つ第１のキャリアのサブキャリア間隔（即ち第２のサブキャリア間隔）が６０ＫＨｚである場合、第１のキャリアの同じ時間内のスロット数が４００個である。又は、各ＳＦＩが第２のキャリア上の１０個のスロットの構成を示す場合、該各ＳＦＩが第１のキャリア上の４０個のスロットフォーマットを示す。このように、１０個のＳＦＩで第２のキャリア上の１００個のスロットのスロットフォーマット及び第１のキャリア上の４００個のスロットのスロットフォーマットを示す。
【００５９】
また、例えば、第２のキャリアのサブキャリア間隔（即ち第１のサブキャリア間隔）が１５ＫＨｚであり、第２のキャリア上のスロット数が１００個であり、且つ第１のキャリアのサブキャリア間隔（即ち第２のサブキャリア間隔）が６０ＫＨｚである場合、第１のキャリアの同じ時間内のスロット数が４００個である。又は、各ＳＦＩが第２のキャリア上の１０個のスロットの構成を示し、且つ該各ＳＦＩが第１のキャリア上の１０個のスロットフォーマットを示す。このように、１０個のＳＦＩで第２のキャリア上の１００個のスロットのスロットフォーマット及び第１のキャリア上の１００個のスロットのスロットフォーマットを示すが、第１のキャリアにおいて３００個のスロットのスロットフォーマットが示されない。この結果、第１のキャリア上に残る３００個のスロットのスロットフォーマットを示すために、ＳＦＩの一部が追加で構成され、この場合、追加の通信オーバーヘッドをもたらす可能性があり、又は、第１のキャリア上に残る３００個のスロット分の構成を示さず、この場合、３００個のスロットリソースの浪費が生じる。
【００６０】
また、第２のキャリアのＳＦＩが示すスロット数と第１のキャリアにおいてこのＳＦＩが示すスロット数との関係は、一例であり、実際には、この複数のキャリアのうちの任意の２つのキャリア間において、一方のキャリアのサブキャリア間隔が他方のキャリアのサブキャリア間隔のＮ倍である場合、他方のキャリアにおいてＳＦＩが示すスロット数は、一方のキャリアにおいてこのＳＦＩが示すスロット数のＮ倍である。
【００６１】
例えば、複数キャリアのうち、サブキャリア間隔が最小のキャリアをキャリア１とし、この複数のキャリアが少なくともキャリア２、キャリア３、キャリア４、キャリア５を含み、キャリア１のサブキャリア間隔が７.５ＫＨｚ、キャリア２のサブキャリア間隔が１５ＫＨｚ、キャリア３のサブキャリア間隔が３０ＫＨｚ、キャリア４のサブキャリア間隔が６０ＫＨｚ、キャリア５のサブキャリア間隔が１２０ＫＨｚであるとする。上記ＳＦＩが示すキャリア２上のスロット数は、ＳＦＩが示すキャリア１上のスロット数の２倍であり、上記ＳＦＩが示すキャリア３上のスロット数は、ＳＦＩが示すキャリア１上のスロット数の４倍であり、上記ＳＦＩが示すキャリア４上のスロット数は、ＳＦＩが示すキャリア１上のスロット数の８倍であり、上記ＳＦＩが示すキャリア５上のスロット数は、ＳＦＩが示すキャリア１上のスロット数の１６倍である。
【００６２】
本願の実施例は、各キャリアにおいて指示されたスロットの数を述べたが、具体的に指示されたスロットがどのようなものか、またどれであるかは限定しない。例えば、第１のキャリアには１００個のスロットが含まれ、上記ＳＦＩは、この１００個のスロットのうち５個のスロットを指示しているが、この５個のスロットは、具体的には、この１００個のスロットのうちのどの５個であるかは限定されない。
【００６３】
ある可能な例において、前記第２のキャリアにおいて前記ＳＦＩによって示すｉ番目のスロットの開始時間が前記第１のキャリアにおいて前記ＳＦＩによって示す（ｉ−１）＊Ｎ＋１番目のスロットの開始時間と同じであり、前記第２のキャリアにおいて前記ＳＦＩによって示すｉ番目のスロットの終了時間が前記第１のキャリアにおいて前記ＳＦＩによって示すｉ＊Ｎ番目のスロットの終了時間と同じであり、且つ前記第１のキャリアにおいて前記ＳＦＩによって示す（ｉ−１）＊Ｎ＋１番目〜ｉ＊Ｎ番目のスロットのスロットフォーマットが同じであり、ｉは正の整数であり、厳密に、ｉは、前記第２のキャリア上の前記ＳＦＩで示されるスロットの数以下である。
【００６４】
例えば、Ｎ＝５、第２のキャリアに１０個のスロットがある場合、第１のキャリアに５０個のスロットがある。以上の規則から、ｉは１〜５までの正の整数であっても良く、ｉ＝１のとき、前記第２のキャリア上の前記ＳＦＩが指示する１番のスロットの開始時間は、前記第１のキャリア上の前記ＳＦＩが指示する１番目のスロットの開始時間と同じであり、前記第２のキャリア上のＳＦＩが指示する１番目のスロットの終了時間は、前記第１のキャリア上の前記ＳＦＩが指示する５番目のスロットの終了時間と同じであり、前記第１のキャリア上の前記ＳＦＩが指示する１番目のスロット〜５番目のスロットのスロットフォーマットは同じである。ｉ＝２のとき、前記第２のキャリア上の前記ＳＦＩが指示する２番目のスロットの開始時刻は、前記第１のキャリア上の前記ＳＦＩが指示する６番目のスロットの開始時刻と同一であり、前記第２のキャリア上の前記ＳＦＩが指示する２番目のスロットの終了時刻は、前記第１のキャリア上の前記ＳＦＩが指示する１０番目のスロットの終了時刻と同一であり、前記第１のキャリア上の前記ＳＦＩが指示する６番目〜１０番目のスロットのスロットフォーマットは同一である。ｉが他の値である場合、以下のように類推され、ここで一々列挙はしない。
【００６５】
ある可能な例において、第２のキャリア上のＳＦＩが示すｉ番目のスロットの開始時間が、第１のキャリア上のＳＦＩが示す（j-１） ＊ Ｎ ＋ １番目のスロットの開始時間と整合される場合、第２のキャリア上のＳＦＩが示すｉ番目のスロットの終了時間は、第１のキャリア上のＳＦＩが示すｊ ＊ Ｎ番目のスロットの終了時間と整合され、第１のキャリア上のＳＦＩが示す（ ｊ−１ ） ＊ Ｎ ＋ １〜ｊ ＊ Ｎ番目のスロットのスロットフォーマットは同じであり、ｉ及びjが正の整数である。
【００６６】
ある可能な方式において、前記第１のサブキャリア間隔が予め構成されたサブキャリア間隔であり、例えば、プロトコルにおいて該第１のサブキャリア間隔が使用のために予め定義され、ネットワークデバイス及び端末が該第１のサブキャリア間隔を知る。
【００６７】
ある可能な方式において、前記第１のサブキャリア間隔が、前記ＳＦＩを搬送するキャリアのサブキャリア間隔であり、すなわち、ＳＦＩがどのキャリア上でこのサブキャリア間隔が送信されるかは、第１のサブキャリア間隔であり、ＳＦＩを搬送するキャリアは、上記の第１のキャリアではない、すなわち、ＳＦＩが第１のキャリア上のスロットのスロットフォーマットを示すことを可能にするために、ＳＦＩを搬送するキャリアのサブキャリア間隔によって、ＳＦＩが最初に決定される。
【００６８】
ある可能な方式において、前記端末がネットワークデバイスにより送信されたスロットフォーマット指示ＳＦＩを受信する前に、該方法は、さらに、前記端末が該ネットワークデバイスにより送信された構成情報を受信することを含み、前記構成情報は、前記第１のサブキャリア間隔を示す。つまり、この第１のサブキャリア間隔は、ネットワークデバイスが準静又は動に構成情報を送信して示し、この構成情報は、上記ＳＦＩに含まれてもよい。
【００６９】
さらに、ネットワークデバイスによって送信される構成情報は、ブロードキャスト情報、無線リソース管理ＲＲＣシグナリング、または制御情報であっても良い。
【００７０】
ある可能な方式において、該ＳＦＩがキャリア数の識別情報を含み、該キャリア数の識別情報が前記少なくとも１つのキャリアのキャリア数を示す。すなわち、上記の少なくとも１つのキャリアの数は、キャリア数識別情報によって示される必要があり、例えば、ＳＦＩには、このキャリア数の識別情報をカプセル化するためのフィールドが含まれ、このフィールドの値が０１１である場合には、少なくとも１つのキャリア数が具体的に３つであることを示し、フィールドの値が１０１である場合には、少なくとも１つのキャリア数が具体的に５つであることを示す。
【００７１】
ある可能な方式において、前記ＳＦＩが少なくとも１つのキャリアインデックスを含み、前記少なくとも１つのキャリアインデックス内のキャリアインデックスの数が前記少なくとも１つのキャリア内のキャリアの数と同じであり、前記少なくとも１つのキャリアインデックスの各キャリアインデックスは、前記少なくとも１つのキャリア内の１つのキャリアを示し、前記少なくとも１つのキャリアインデックス内の異なるキャリアインデックスが示すキャリアが異なる。
【００７２】
ある可能な方式において、該ＳＦＩがスロットフォーマットインデックスを含み、任意選択で、該スロットフォーマットのインデックスが１つ以上であり、１つの場合、該少なくとも１つのキャリア上のスロットのスロットフォーマットは、全て、１つのスロットフォーマットインデックスによって表されるスロットフォーマットであり、複数の場合、該複数のスロットフォーマットインデックスのうちのスロットフォーマットインデックスの数と少なくとも１つのキャリアのキャリア数とが同じであってもよく、その場合、１つのスロットフォーマットインデックスが１つのキャリア上のスロットフォーマットを示す。
【００７３】
ある可能な方式において、該少なくとも１つのキャリアが複数のキャリアである場合、このＳＦＩは、スロットフォーマット同一指示フィールドを含み、このフィールドは、ＳＦＩによって示されるすべてのキャリア上のスロットが同じスロットフォーマットを採用するかどうかを示すために使用される。例えば、ＳＦＩに１ビットのスロットフォーマット同一指示フィールドが含まれ、該ビットが１である場合、該ＳＦＩが指示する全キャリア上のスロットが同一のスロットフォーマットを有することを示し、この時、１つのスロットフォーマットインデックスで全キャリア上のスロットのスロットフォーマットを指示でき、このビットが０の場合、ＳＦＩが示す全キャリア上のスロットが異なるスロットフォーマットを有することを示し、この時、各キャリア上のスロットフォーマットは、ＳＦＩが示すキャリア数と同数のスロットフォーマットインデックスでそれぞれ指示される必要がある。
【００７４】
例えば、複数のキャリアシステム又は複数のＢＷＰにおいて、この端末が８個のキャリア(それぞれ０〜７の番号を有する)をサポートし、ネットワークデバイスは、Ｎ個のキャリアのスロットフォーマットを示すＳＦＩを構成することができ、ここで、１＜＝ Ｎ＜＝ ８、例えば、Ｎ ＝ ３、すなわち、ＳＦＩにおける３個のキャリアのスロットフォーマットを示し、具体的には、ＳＦＩには、３ビットのキャリア識別情報のようにキャリアの数を示すフィールドが含まれ、ＳＦＩが適用キャリア数を示す。このＳＦＩは、キャリアインデックスが０、３、６の順になるキャリアのスロットフォーマットを示す必要があり、キャリア０でＳＦＩが送信されるものとし、キャリア０のサブキャリア間隔が１５ｋＨｚ、キャリア３のサブキャリア間隔が３０ｋＨｚ、キャリア６のサブキャリア間隔が６０ｋＨｚとし、ＳＦＩが示すスロットフォーマットは、キャリア０のサブキャリア間隔、すなわち１５ｋＨｚを基準とすることを予め定められた方法で決定される。図３に示すように、図３には７つのフィールドが示されており、左から右に、１番目のフィールドがをカプセル化するキャリア数の識別情報０１１は、３つのキャリアのスロットフォーマットが必要であることを示し、２番目のフィールドがカプセル化するキャリアインデックス０００は、キャリアインデックスが０であるキャリアを示し、３番目のフィールドがカプセルするスロットフォーマットインデックス００００１０は、キャリアインデックスが０であるキャリア上のスロットのスロットフォーマットが該スロットフォーマットインデックス００００１０が示すスロットフォーマットであることを示し、該スロットフォーマットインデックスがキャリア０上の１つのスロットのスロットフォーマットを示し、４番目のフィールドがカプセル化するキャリアインデックス０１１は、キャリアインデックスが３であるキャリアを示し、５番目のフィールドがカプセル化するスロットフォーマットインデックス０００００１は、キャリアインデックスが３であるキャリア上のスロットのスロットフォーマットが該スロットフォーマットインデックス０００００１が示すスロットフォーマットであることを示し、該スロットフォーマットインデックスがキャリア３上の２個のスロットのスロットフォーマットを示し、この２個のスロットのスロットフォーマットが同じであり、６番目のフィールドがカプセル化するキャリアインデックス１１０は、キャリアインデックスが６であるキャリアを示し、７番目のフィールドがカプセル化するスロットフォーマットインデックス００００１１は、キャリアインデックスが６であるキャリア上のスロットのスロットフォーマットが該スロットフォーマットインデックス００００１１が示すスロットフォーマットであることを示し、該スロットフォーマットインデックスがキャリア６上の４個のスロットのスロットフォーマットを示し、さらに、これらの４個のスロットのスロットフォーマットが同じである。なお、該端末にスロットフォーマットインデックス表が予め記憶され、該スロットフォーマットインデックス表の各スロットフォーマットインデックスがスロットフォーマットを示す。
【００７５】
ステップＳ４０２において、端末が該ＳＦＩに基づいて、該複数のキャリアの各キャリア上のスロットフォーマットを決定する。
【００７６】
具体的に、この端末は、ＳＦＩ内の情報を解析し、ＳＦＩが示す内容を知る。
【００７７】
任意選択で、端末は、どのキャリア上のスロットフォーマットをＳＦＩが示すべきかを解析し、例えば、解析されたキャリアインデックスから、どのキャリア上のスロットフォーマットをＳＦＩが示すべきかを決定する。
【００７８】
任意選択で、少なくとも１つのキャリアの各キャリア上のスロットフォーマットが示されるスロットの数は、第１のサブキャリアと一定の関係にあるので、目標キャリアのサブキャリア間隔は、第１のサブキャリア間隔のＸ倍であり、該目標キャリアにおいて該ＳＦＩによって示すスロット数がＸ＊Ｙ倍であり、ＸとＹともが正の整数である。従って、端末は、ここでＸ、Ｙの値を取得する必要があり、ここで、Ｘ及びＹの値は、プロトコルで規定されてもよいし、端末が取得するためにＳＦＩにカプセル化されてもよい。該端末が該第１のサブキャリアの値を自ら取得し、該ＳＦＩから上記少なくとも１つのキャリアを解析し、該少なくとも１つのキャリアにおける目標キャリアのサブキャリア間隔からＸを算出した場合、Ｙの値はプロトコルで規定されていてもよいし、該ＳＦＩにカプセル化して端末が取得するようにしてもよく、このように該端末がＸ及びＹの値を取得することができる。ここで、端末が該第１のサブキャリアの値を取得する仕方は、プロトコルで規定されていてもよいし、該端末がプロトコルから直接取得してもよいし、該ＳＦＩに該第１のサブキャリア間隔が示されていてもよいし、該端末が上りデータを受信した際に検出してもよい。
【００７９】
選択可能で、端末は、解析したスロットフォーマットインデックスから、どのようなスロットフォーマットを具体的に使用するかを決定する。
【００８０】
例えば、この端末が図３に示す７つのフィールドを解析し、左から右に見ると、１番目のフィールドはキャリア識別情報０１１をカプセル化しているので、ＳＦＩが３個のキャリアのスロットフォーマットを示すことを決定することができる。さらに、ＳＦＩで示されるスロットフォーマットは、キャリア０のサブキャリア間隔、すなわち１５ｋＨｚを基準に定められていることが、予め定められた方法で既知である。２番目のフィールドのカプセル化するキャリアインデックス０００と、３番目のフィールドのカプセル化するスロットフォーマットインデックス００００１０とにより、キャリアのインデックスが０であるキャリアのスロットフォーマットがそのスロットフォーマットインデックス００００１０が示すスロットフォーマットであることが決定され、そのスロットフォーマットインデックスは、キャリア０上の１つのスロットのスロットフォーマットを示すものである。４番目のフィールドのカプセル化するキャリアインデックス０１１と、５番目のフィールドのカプセル化するスロットフォーマットインデックス０００００１とにより、キャリアインデックスが３であるキャリアのスロットフォーマットは、このスロットフォーマットインデックス０００００１が示すスロットフォーマットであることが決定され、該スロットフォーマットインデックスがキャリア３上の２個のスロットのスロットフォーマットを示し、この２個のスロットのスロットフォーマットが同じである。６番目のフィールドがカプセル化するキャリアインデックス１１０と、７番目のフィールドのカプセル化するスロットフォーマットインデックス００００１１とより、キャリアインデックスが６のキャリアのスロットフォーマットは、このスロットフォーマットインデックス００００１１が示すスロットフォーマットであることが決定され、該スロットフォーマットインデックスがキャリア６上の４個のスロットのスロットフォーマットを示し、さらに、これらの４個のスロットのスロットフォーマットが同じである。
【００８１】
図４に示す方法において、該ＳＦＩによって示すスロットフォーマットが第１のサブキャリア間隔に基づいて決定され、上記の少なくとも１つのキャリアのいずれかのキャリアのサブキャリア間隔が該第１のサブキャリア間隔の整数倍であるため、該少なくとも１つのキャリアが複数のキャリアである場合、本願の実施例を利用して複数のキャリアのスロットフォーマットの指示を行い、該少なくとも１つのキャリアが第１のキャリアのみを含む場合、本願の実施例を利用して、該第１のキャリアのキャリア間隔に依存しなく、該第１のキャリアのスロットフォーマットの指示を実現する。
【００８２】
図２に示される実施例と一致し、図５を参照すると、図５は、本願の実施例が提供する他のスロットフォーマット指示方法であり、この方法は、図１に示されるアーキテクチャに基づいて実現されてもよく、また、他のアーキテクチャに基づいて実現されてもよく、この方法は、以下のステップを含むが、これらに限定されない。
【００８３】
ステップＳ５０１において、ネットワークデバイスが端末にスロットフォーマット指示ＳＦＩを送信し、該ＳＦＩが少なくとも１つのキャリアのスロットフォーマットを示し、該少なくとも１つのキャリアが第１のキャリアを含み、ＳＦＩによって示すスロットフォーマットが第１のサブキャリア間隔に基づいて決定され、第１のキャリアのサブキャリア間隔が該第１のサブキャリア間隔の整数倍である。
【００８４】
具体的に、該第１のサブキャリア間隔が該第１のキャリアの以外の他のキャリアのサブキャリア間隔であり、又は、該第１のサブキャリア間隔は、ある特定のキャリアのサブキャリア間隔ではなく、サブキャリア間隔を判断することができる値であり、該第１のサブキャリア間隔の値が該第１のキャリアのサブキャリア間隔と同じであることを排除しないが、本質的に、このＳＦＩによって示すスロットフォーマットは、該第１のキャリアのサブキャリア間隔に基づいて決定されるものではない。また、該ＳＦＩは、該第１のキャリアの１つのスロットのスロットフォーマットに使用され、又は、該ＳＦＩは、該第１のキャリアの少なくとも２つのスロットのスロットフォーマットに使用される。
【００８５】
該少なくとも１つのキャリアの各キャリアにおいてスロットフォーマットが指示されるスロット数が該第１のサブキャリアと一定の関係があり、目標キャリアが該少なくとも１つのキャリアのうちのいずれかのキャリアである場合、目標キャリアのサブキャリア間隔が該第１のサブキャリア間隔のＸ倍であり、該目標キャリアにおいて該ＳＦＩによって示すスロット数がＸ＊Ｙ倍であり、ＸとＹともが正の整数である。なお、該目標キャリアが異なるキャリアである場合、このＸの値が異なっても良い。このように、前記第１のキャリアのサブキャリア間隔が前記第１のサブキャリア間隔の整数倍である。
【００８６】
ある可能な方式において、該少なくとも１つのキャリアがさらに第２のキャリアを含み、該第２のキャリアのサブキャリア間隔が該第１のサブキャリア間隔であり（任意選択で、前記第１のサブキャリア間隔が前記ＳＦＩの送信時刻において第２のキャリアのサブキャリア間隔である）、該第１のキャリアのサブキャリア間隔が第２のサブキャリア間隔であり、該第２のサブキャリア間隔が該第１のサブキャリア間隔のＮ倍である場合、該第１のキャリアにおいて該ＳＦＩによって示すスロット数が該第２のキャリアにおいて該ＳＦＩによって示すスロット数のＮ倍である、Ｎが正の整数である。
【００８７】
例えば、第２のキャリアのサブキャリア間隔が１５ＫＨｚであり、第１のキャリアのサブキャリア間隔が６０ＫＨｚであり、即ち、該第１のキャリアのサブキャリア間隔が該第２のキャリアのサブキャリア間隔の４倍である場合、該第１のキャリアのスロットの数が該第２のキャリアのスロットの数の４倍であり、例えば、該第２のキャリアに１０個のスロットがある場合、該第１のキャリアにおいて同じ時間に４０個のスロットがある。キャリアのサブキャリア間隔とスロット数とがこの関係があるため、本願の実施例は、該ＳＦＩによって第１のキャリアのスロットフォーマット及び第２のキャリアのスロットフォーマットを示す場合、該第１のキャリアにおいて指示されるスロット数と該第２のキャリアにおいて指示されるスロット数との関係を考え、具体的に、該第１のキャリアのサブキャリア間隔（即ち第２のサブキャリア間隔）が該第２のキャリアのサブキャリア間隔（即ち第１のサブキャリア間隔）のＮ倍である場合、該第１のキャリアにおいて該ＳＦＩによって示すスロット数が該第２のキャリアにおいて該ＳＦＩによって示すスロット数のＮ倍である。
【００８８】
例えば、第２のキャリアのサブキャリア間隔（即ち第１のサブキャリア間隔）が１５ＫＨｚであり、第２のキャリア上のスロット数が１００個であり、且つ第１のキャリアのサブキャリア間隔（即ち第２のサブキャリア間隔）が６０ＫＨｚである場合、第１のキャリアの同じ時間内のスロット数が４００個である。又は、各ＳＦＩが第２のキャリア上の１０個のスロットの構成を示す場合、該各ＳＦＩが第１のキャリア上の４０個のスロットフォーマットを示す。このように、１０個のＳＦＩで第２のキャリア上の１００個のスロットのスロットフォーマット及び第１のキャリア上の４００個のスロットのスロットフォーマットを示す。
【００８９】
また、例えば、第２のキャリアのサブキャリア間隔（即ち第１のサブキャリア間隔）が１５ＫＨｚであり、第２のキャリア上のスロット数が１００個であり、且つ第１のキャリアのサブキャリア間隔（即ち第２のサブキャリア間隔）が６０ＫＨｚである場合、第１のキャリアの同じ時間内のスロット数が４００個である。又は、各ＳＦＩが第２のキャリア上の１０個のスロットの構成を示し、且つ該各ＳＦＩが第１のキャリア上の１０個のスロットフォーマットを示す。このように、１０個のＳＦＩで第２のキャリア上の１００個のスロットのスロットフォーマット及び第１のキャリア上の１００個のスロットのスロットフォーマットを示すが、第１のキャリアにおいて３００個のスロットのスロットフォーマットが示されない。この結果、第１のキャリア上に残る３００個のスロットのスロットフォーマットを示すために、ＳＦＩの一部が追加で構成され、この場合、追加の通信オーバーヘッドをもたらす可能性があり、又は、第１のキャリア上に残る３００個のスロット分の構成を示さず、この場合、３００個のスロットリソースの浪費が生じる。
【００９０】
また、第２のキャリアのＳＦＩが示すスロット数と第１のキャリアにおいてこのＳＦＩが示すスロット数との関係は、一例であり、実際には、この複数のキャリアのうちの任意の２つのキャリア間において、一方のキャリアのサブキャリア間隔が他方のキャリアのサブキャリア間隔のＮ倍である場合、他方のキャリアにおいてＳＦＩが示すスロット数は、一方のキャリアにおいてこのＳＦＩが示すスロット数のＮ倍である。
【００９１】
例えば、複数キャリアのうち、サブキャリア間隔が最小のキャリアをキャリア１とし、この複数のキャリアが少なくともキャリア２、キャリア３、キャリア４、キャリア５を含み、キャリア１のサブキャリア間隔が７.５ＫＨｚ、キャリア２のサブキャリア間隔が１５ＫＨｚ、キャリア３のサブキャリア間隔が３０ＫＨｚ、キャリア４のサブキャリア間隔が６０ＫＨｚ、キャリア５のサブキャリア間隔が１２０ＫＨｚであるとする。上記ＳＦＩが示すキャリア２上のスロット数は、ＳＦＩが示すキャリア１上のスロット数の２倍であり、上記ＳＦＩが示すキャリア３上のスロット数は、ＳＦＩが示すキャリア１上のスロット数の４倍であり、上記ＳＦＩが示すキャリア４上のスロット数は、ＳＦＩが示すキャリア１上のスロット数の８倍であり、上記ＳＦＩが示すキャリア５上のスロット数は、ＳＦＩが示すキャリア１上のスロット数の１６倍である。
【００９２】
本願の実施例は、各キャリアにおいて指示されたスロットの数を述べたが、具体的に指示されたスロットがどのようなものか、またどれであるかは限定しない。例えば、第１のキャリアには１００個のスロットが含まれ、上記ＳＦＩは、この１００個のスロットのうち５個のスロットを指示しているが、この５個のスロットは、具体的には、この１００個のスロットのうちのどの５個であるかは限定されない。
【００９３】
ある可能な例において、前記第２のキャリアにおいて前記ＳＦＩによって示すｉ番目のスロットの開始時間が前記第１のキャリアにおいて前記ＳＦＩによって示す（ｉ−１）＊Ｎ＋１番目のスロットの開始時間と同じであり、前記第２のキャリアにおいて前記ＳＦＩによって示すｉ番目のスロットの終了時間が前記第１のキャリアにおいて前記ＳＦＩによって示すｉ＊Ｎ番目のスロットの終了時間と同じであり、且つ前記第１のキャリアにおいて前記ＳＦＩによって示す（ｉ−１）＊Ｎ＋１番目〜ｉ＊Ｎ番目のスロットのスロットフォーマットが同じであり、ｉは正の整数であり、厳密に、ｉは、前記第２のキャリア上の前記ＳＦＩで示されるスロットの数以下である。
【００９４】
例えば、Ｎ＝５、第２のキャリアに１０個のスロットがある場合、第１のキャリアに５０個のスロットがある。以上の規則から、ｉは１〜５までの正の整数であっても良く、ｉ＝１のとき、前記第２のキャリア上の前記ＳＦＩが指示する１番のスロットの開始時間は、前記第１のキャリア上の前記ＳＦＩが指示する１番目のスロットの開始時間と同じであり、前記第２のキャリア上のＳＦＩが指示する１番目のスロットの終了時間は、前記第１のキャリア上の前記ＳＦＩが指示する５番目のスロットの終了時間と同じであり、前記第１のキャリア上の前記ＳＦＩが指示する１番目のスロット〜５番目のスロットのスロットフォーマットは同じである。ｉ＝２のとき、前記第２のキャリア上の前記ＳＦＩが指示する２番目のスロットの開始時刻は、前記第１のキャリア上の前記ＳＦＩが指示する６番目のスロットの開始時刻と同一であり、前記第２のキャリア上の前記ＳＦＩが指示する２番目のスロットの終了時刻は、前記第１のキャリア上の前記ＳＦＩが指示する１０番目のスロットの終了時刻と同一であり、前記第１のキャリア上の前記ＳＦＩが指示する６番目〜１０番目のスロットのスロットフォーマットは同一である。ｉが他の値である場合、以下のように類推され、ここで一々列挙はしない。
【００９５】
ある可能な例において、第２のキャリア上のＳＦＩが示すｉ番目のスロットの開始時間が、第１のキャリア上のＳＦＩが示す（j-１） ＊ Ｎ ＋ １番目のスロットの開始時間と整合される場合、第２のキャリア上のＳＦＩが示すｉ番目のスロットの終了時間は、第１のキャリア上のＳＦＩが示すｊ ＊ Ｎ番目のスロットの終了時間と整合され、第１のキャリア上のＳＦＩが示す（ ｊ−１ ） ＊ Ｎ ＋ １〜ｊ ＊ Ｎ番目のスロットのスロットフォーマットは同じであり、ｉ及びjが正の整数である。
【００９６】
ある可能な方式において、前記第１のサブキャリア間隔が予め構成されたサブキャリア間隔であり、例えば、プロトコルにおいて該第１のサブキャリア間隔が使用のために予め定義され、ネットワークデバイス及び端末が該第１のサブキャリア間隔を知る。
【００９７】
ある可能な方式において、前記第１のサブキャリア間隔が、前記ＳＦＩを搬送するキャリアのサブキャリア間隔であり、すなわち、ＳＦＩがどのキャリア上でこのサブキャリア間隔が送信されるかは、第１のサブキャリア間隔であり、ＳＦＩを搬送するキャリアは、上記の第１のキャリアではない、すなわち、ＳＦＩが第１のキャリア上のスロットのスロットフォーマットを示すことを可能にするために、ＳＦＩを搬送するキャリアのサブキャリア間隔によって、ＳＦＩが最初に決定される。
【００９８】
ある可能な方式において、前記ネットワークデバイスが端末にスロットフォーマット指示ＳＦＩを送信する前に、該方法は、さらに、前記ネットワークデバイスが前記端末に構成情報を送信することを含み、これに対応し、該端末が該ネットワークデバイスにより送信された構成情報を受信し、前記構成情報は、前記第１のサブキャリア間隔を示す。つまり、該第１のサブキャリア間隔は、ネットワークデバイスが準静又は動的に送信した構成情報により指示し、該構成情報は、上記のＳＦＩに含めることができる。
【００９９】
さらに、ネットワークデバイスによって送信される構成情報は、ブロードキャスト情報、無線リソース管理ＲＲＣシグナリング、または制御情報であっても良い。
【０１００】
ある可能な方式において、該ＳＦＩがキャリア数の識別情報を含み、該キャリア数の識別情報が前記少なくとも１つのキャリアのキャリア数を示す。すなわち、上記の少なくとも１つのキャリアの数は、キャリア数識別情報によって示される必要があり、例えば、ＳＦＩには、このキャリア数の識別情報をカプセル化するためのフィールドが含まれ、このフィールドの値が０１１である場合には、少なくとも１つのキャリア数が具体的に３つであることを示し、フィールドの値が１０１である場合には、少なくとも１つのキャリア数が具体的に５つであることを示す。
【０１０１】
ある可能な方式において、前記ＳＦＩが少なくとも１つのキャリアインデックスを含み、前記少なくとも１つのキャリアインデックス内のキャリアインデックスの数が前記少なくとも１つのキャリア内のキャリアの数と同じであり、前記少なくとも１つのキャリアインデックスの各キャリアインデックスは、前記少なくとも１つのキャリア内の１つのキャリアを示し、前記少なくとも１つのキャリアインデックス内の異なるキャリアインデックスが示すキャリアが異なる。
【０１０２】
ある可能な方式において、該ＳＦＩがスロットフォーマットインデックスを含み、任意選択で、該スロットフォーマットのインデックスが１つ以上であり、１つの場合、該少なくとも１つのキャリア上のスロットのスロットフォーマットは、全て、１つのスロットフォーマットインデックスによって表されるスロットフォーマットであり、複数の場合、該複数のスロットフォーマットインデックスのうちのスロットフォーマットインデックスの数と少なくとも１つのキャリアのキャリア数とが同じであってもよく、その場合、１つのスロットフォーマットインデックスが１つのキャリア上のスロットフォーマットを示す。
【０１０３】
ある可能な方式において、該少なくとも１つのキャリアが複数のキャリアである場合、このＳＦＩは、スロットフォーマット同一指示フィールドを含み、このフィールドは、ＳＦＩによって示されるすべてのキャリア上のスロットが同じスロットフォーマットを採用するかどうかを示すために使用される。例えば、ＳＦＩに１ビットのスロットフォーマット同一指示フィールドが含まれ、該ビットが１である場合、該ＳＦＩが指示する全キャリア上のスロットが同一のスロットフォーマットを有することを示し、この時、１つのスロットフォーマットインデックスで全キャリア上のスロットのスロットフォーマットを指示でき、このビットが０の場合、ＳＦＩが示す全キャリア上のスロットが異なるスロットフォーマットを有することを示し、この時、各キャリア上のスロットフォーマットは、ＳＦＩが示すキャリア数と同数のスロットフォーマットインデックスでそれぞれ指示される必要がある。
【０１０４】
例えば、複数のキャリアシステム又は複数のＢＷＰにおいて、この端末が８個のキャリア(それぞれ０〜７の番号を有する)をサポートし、ネットワークデバイスは、Ｎ個のキャリアのスロットフォーマットを示すＳＦＩを構成することができ、ここで、１＜＝ Ｎ＜＝ ８、例えば、Ｎ ＝ ３、すなわち、ＳＦＩにおける３個のキャリアのスロットフォーマットを示し、具体的には、ＳＦＩには、３ビットのキャリア識別情報のようにキャリアの数を示すフィールドが含まれ、ＳＦＩが適用キャリア数を示す。このＳＦＩは、キャリアインデックスが０、３、６の順になるキャリアのスロットフォーマットを示す必要があり、キャリア０でＳＦＩが送信されるものとし、キャリア０のサブキャリア間隔が１５ｋＨｚ、キャリア３のサブキャリア間隔が３０ｋＨｚ、キャリア６のサブキャリア間隔が６０ｋＨｚとし、ＳＦＩが示すスロットフォーマットは、キャリア０のサブキャリア間隔、すなわち１５ｋＨｚを基準とすることを予め定められた方法で決定される。図３に示すように、図３には７つのフィールドが示されており、左から右に、１番目のフィールドがをカプセル化するキャリア数の識別情報０１１は、３つのキャリアのスロットフォーマットが必要であることを示し、２番目のフィールドがカプセル化するキャリアインデックス０００は、キャリアインデックスが０であるキャリアを示し、３番目のフィールドがカプセルするスロットフォーマットインデックス００００１０は、キャリアインデックスが０であるキャリア上のスロットのスロットフォーマットが該スロットフォーマットインデックス００００１０が示すスロットフォーマットであることを示し、該スロットフォーマットインデックスがキャリア０上の１つのスロットのスロットフォーマットを示し、４番目のフィールドがカプセル化するキャリアインデックス０１１は、キャリアインデックスが３であるキャリアを示し、５番目のフィールドがカプセル化するスロットフォーマットインデックス０００００１は、キャリアインデックスが３であるキャリア上のスロットのスロットフォーマットが該スロットフォーマットインデックス０００００１が示すスロットフォーマットであることを示し、該スロットフォーマットインデックスがキャリア３上の２個のスロットのスロットフォーマットを示し、この２個のスロットのスロットフォーマットが同じであり、６番目のフィールドがカプセル化するキャリアインデックス１１０は、キャリアインデックスが６であるキャリアを示し、７番目のフィールドがカプセル化するスロットフォーマットインデックス００００１１は、キャリアインデックスが６であるキャリア上のスロットのスロットフォーマットが該スロットフォーマットインデックス００００１１が示すスロットフォーマットであることを示し、該スロットフォーマットインデックスがキャリア６上の４個のスロットのスロットフォーマットを示し、さらに、これらの４個のスロットのスロットフォーマットが同じである。なお、該端末にスロットフォーマットインデックス表が予め記憶され、該スロットフォーマットインデックス表の各スロットフォーマットインデックスがスロットフォーマットを示す。
【０１０５】
ステップＳ５０２において、端末がネットワークデバイスにより送信されたスロットフォーマット指示ＳＦＩを受信する。
【０１０６】
ステップＳ５０３において、端末が該ＳＦＩに基づいて、該複数のキャリアの各キャリア上のスロットフォーマットを決定する。
【０１０７】
具体的に、この端末は、ＳＦＩ内の情報を解析し、ＳＦＩが示す内容を知る。
【０１０８】
任意選択で、端末は、どのキャリア上のスロットフォーマットをＳＦＩが示すべきかを解析し、例えば、解析されたキャリアインデックスから、どのキャリア上のスロットフォーマットをＳＦＩが示すべきかを決定する。
【０１０９】
任意選択で、少なくとも１つのキャリアの各キャリア上のスロットフォーマットが示されるスロットの数は、第１のサブキャリアと一定の関係にあるので、目標キャリアのサブキャリア間隔は、第１のサブキャリア間隔のＸ倍であり、該目標キャリアにおいて該ＳＦＩによって示すスロット数がＸ＊Ｙ倍であり、ＸとＹともが正の整数である。従って、端末は、ここでＸ、Ｙの値を取得する必要があり、ここで、Ｘ及びＹの値は、プロトコルで規定されてもよいし、端末が取得するためにＳＦＩにカプセル化されてもよい。該端末が該第１のサブキャリアの値を自ら取得し、該ＳＦＩから上記少なくとも１つのキャリアを解析し、該少なくとも１つのキャリアにおける目標キャリアのサブキャリア間隔からＸを算出した場合、Ｙの値はプロトコルで規定されていてもよいし、該ＳＦＩにカプセル化して端末が取得するようにしてもよく、このように該端末がＸ及びＹの値を取得することができる。ここで、端末が該第１のサブキャリアの値を取得する仕方は、プロトコルで規定されていてもよいし、該端末がプロトコルから直接取得してもよいし、該ＳＦＩに該第１のサブキャリア間隔が示されていてもよいし、該端末が上りデータを受信した際に検出してもよい。
【０１１０】
選択可能で、端末は、解析したスロットフォーマットインデックスから、どのようなスロットフォーマットを具体的に使用するかを決定する。
【０１１１】
例えば、この端末が図３に示す７つのフィールドを解析し、左から右に見ると、１番目のフィールドはキャリア識別情報０１１をカプセル化しているので、ＳＦＩが３個のキャリアのスロットフォーマットを示すことを決定することができる。さらに、ＳＦＩで示されるスロットフォーマットは、キャリア０のサブキャリア間隔、すなわち１５ｋＨｚを基準に定められていることが、予め定められた方法で既知である。２番目のフィールドのカプセル化するキャリアインデックス０００と、３番目のフィールドのカプセル化するスロットフォーマットインデックス００００１０とにより、キャリアのインデックスが０であるキャリアのスロットフォーマットがそのスロットフォーマットインデックス００００１０が示すスロットフォーマットであることが決定され、そのスロットフォーマットインデックスは、キャリア０上の１つのスロットのスロットフォーマットを示すものである。４番目のフィールドのカプセル化するキャリアインデックス０１１と、５番目のフィールドのカプセル化するスロットフォーマットインデックス０００００１とにより、キャリアインデックスが３であるキャリアのスロットフォーマットは、このスロットフォーマットインデックス０００００１が示すスロットフォーマットであることが決定され、該スロットフォーマットインデックスがキャリア３上の２個のスロットのスロットフォーマットを示し、この２個のスロットのスロットフォーマットが同じである。６番目のフィールドがカプセル化するキャリアインデックス１１０と、７番目のフィールドのカプセル化するスロットフォーマットインデックス００００１１とより、キャリアインデックスが６のキャリアのスロットフォーマットは、このスロットフォーマットインデックス００００１１が示すスロットフォーマットであることが決定され、該スロットフォーマットインデックスがキャリア６上の４個のスロットのスロットフォーマットを示し、さらに、これらの４個のスロットのスロットフォーマットが同じである。
【０１１２】
図５に示す方法において、該ＳＦＩによって示すスロットフォーマットが第１のサブキャリア間隔に基づいて決定され、上記の少なくとも１つのキャリアのいずれかのキャリアのサブキャリア間隔が該第１のサブキャリア間隔の整数倍であるため、該少なくとも１つのキャリアが複数のキャリアである場合、本願の実施例を利用して複数のキャリアのスロットフォーマットの指示を行い、該少なくとも１つのキャリアが第１のキャリアのみを含む場合、本願の実施例を利用して、該第１のキャリアのキャリア間隔に依存しなく、該第１のキャリアのスロットフォーマットの指示を実現する。
【０１１３】
上述の実施形態と一致し、図６を参照すると、図６は、プロセッサと、メモリと、トランシーバと、１つ以上のプログラムとを備える第１のネットワークデバイスである本願の実施形態によって提供されるネットワークデバイスの構造の概略図であり、１つ以上のプログラムは、メモリに記憶され、プロセッサによって実行されるように構成され、プログラムは、以下のステップを実行するための命令を含む
スロットフォーマット指示ＳＦＩを送信し、前記ＳＦＩが少なくとも１つのキャリアのスロットフォーマットを示し、前記少なくとも１つのキャリアが第１のキャリアを含み、前記ＳＦＩが示すスロットフォーマットが第１のサブキャリア間隔に基づいて決定され、前記第１のキャリアのサブキャリア間隔が前記第１のサブキャリア間隔の整数倍である。
【０１１４】
このように、本願の実施例において、該ＳＦＩによって示すスロットフォーマットが第１のサブキャリア間隔に基づいて決定され、上記の少なくとも１つのキャリアのいずれかのキャリアのサブキャリア間隔が該第１のサブキャリア間隔の整数倍であるため、該少なくとも１つのキャリアが複数のキャリアである場合、本願の実施例を利用して複数のキャリアのスロットフォーマットの指示を行い、該少なくとも１つのキャリアが第１のキャリアのみを含む場合、本願の実施例を利用して、該第１のキャリアのキャリア間隔に依存しなく、該第１のキャリアのスロットフォーマットの指示を実現する。
【０１１５】
ある可能な例において、前記少なくとも１つのキャリアがさらに第２のキャリアを含み、前記第２のキャリアのサブキャリア間隔が前記第１のサブキャリア間隔であり、前記第１のキャリアのサブキャリア間隔が第２のサブキャリア間隔であり、前記第２のサブキャリア間隔が前記第１のサブキャリア間隔のＮ倍である場合、前記第１のキャリアにおいて前記ＳＦＩによって示すスロット数が前記第２のキャリアにおいて前記ＳＦＩによって示すスロット数のＮ倍であり、Ｎが正の整数である。
【０１１６】
ある可能な例において、前記第２のキャリアにおいて前記ＳＦＩによって示すｉ番目のスロットの開始時間が前記第１のキャリアにおいて前記ＳＦＩによって示す（ｉ−１）＊Ｎ＋１番目のスロットの開始時間と同じであり、前記第２のキャリアにおいて前記ＳＦＩによって示すｉ番目のスロットの終了時間が前記第１のキャリアにおいて前記ＳＦＩによって示すｉ＊Ｎ番目のスロットの終了時間と同じであり、且つ前記第１のキャリアにおいて前記ＳＦＩによって示す（ｉ−１）＊Ｎ＋１番目〜ｉ＊Ｎ番目のスロットのスロットフォーマットが同じであり、ｉが正の整数である。
【０１１７】
ある可能な例において、前記第１のサブキャリア間隔が予め構成されたサブキャリア間隔であり、又は、前記第１のサブキャリア間隔が、前記ＳＦＩを搬送するキャリアのサブキャリア間隔であり、又は、前記第１のサブキャリア間隔が、前記ネットワークデバイスからの構成情報により構成されたサブキャリア間隔である。
【０１１８】
ある可能な例において、前記ＳＦＩがキャリア数の識別情報を含み、前記キャリア数の識別情報が、前記少なくとも１つのキャリアに含まれるキャリア数を示す。
【０１１９】
ある可能な例において、前記ＳＦＩが少なくとも１つのキャリアアイデンティティを含み、前記少なくとも１つのキャリアアイデンティティのキャリアアイデンティティの数が前記キャリアの数と同じであり、前記少なくとも１つのキャリアアイデンティティの各キャリアアイデンティティが、前記少なくとも１つのキャリアのうちの１つのキャリアを示し、前記少なくとも１つのキャリアアイデンティティのうちの異なるキャリアアイデンティティによって示すキャリアが異なる。
【０１２０】
上述の実施形態と一致し、図７を参照し、図７は端末の構造を示す概略図であり、この端末は、プロセッサと、メモリと、通信インターフェースと、１つ以上のプログラムとを備え、１つ以上のプログラムはメモリに記憶され、プロセッサによって実行されるように構成され、プログラムは、以下のステップを実行するための命令を含む
まず、ネットワークデバイスにより送信されたスロットフォーマット指示ＳＦＩを受信し、前記ＳＦＩが少なくとも１つのキャリアのスロットフォーマットを示し、前記少なくとも１つのキャリアが第１のキャリアを含み、前記ＳＦＩが示すスロットフォーマットが第１のサブキャリア間隔に基づいて決定され、前記第１のキャリアのサブキャリア間隔が前記第１のサブキャリア間隔の整数倍である。
【０１２１】
次に、前記ＳＦＩに基づいて、前記少なくとも１つのキャリアの各キャリア上のスロットフォーマットを決定する。
【０１２２】
このように、本願の実施例において、該ＳＦＩによって示すスロットフォーマットが第１のサブキャリア間隔に基づいて決定され、上記の少なくとも１つのキャリアのいずれかのキャリアのサブキャリア間隔が該第１のサブキャリア間隔の整数倍であるため、該少なくとも１つのキャリアが複数のキャリアである場合、本願の実施例を利用して複数のキャリアのスロットフォーマットの指示を行い、該少なくとも１つのキャリアが第１のキャリアのみを含む場合、本願の実施例を利用して、該第１のキャリアのキャリア間隔に依存しなく、該第１のキャリアのスロットフォーマットの指示を実現する。
【０１２３】
ある可能な例において、前記少なくとも１つのキャリアがさらに第２のキャリアを含み、前記第２のキャリアのサブキャリア間隔が前記第１のサブキャリア間隔であり、前記第１のキャリアのサブキャリア間隔が第２のサブキャリア間隔であり、前記第２のサブキャリア間隔が前記第１のサブキャリア間隔のＮ倍である場合、前記第１のキャリアにおいて前記ＳＦＩによって示すスロット数が前記第２のキャリアにおいて前記ＳＦＩによって示すスロット数のＮ倍であり、Ｎが正の整数である。
【０１２４】
ある可能な例において、前記第２のキャリアにおいて前記ＳＦＩによって示すｉ番目のスロットの開始時間が前記第１のキャリアにおいて前記ＳＦＩによって示す（ｉ−１）＊Ｎ＋１番目のスロットの開始時間と同じであり、前記第２のキャリアにおいて前記ＳＦＩによって示すｉ番目のスロットの終了時間が前記第１のキャリアにおいて前記ＳＦＩによって示すｉ＊Ｎ番目のスロットの終了時間と同じであり、且つ前記第１のキャリアにおいて前記ＳＦＩによって示す（ｉ−１）＊Ｎ＋１番目〜ｉ＊Ｎ番目のスロットのスロットフォーマットが同じであり、ｉが正の整数である。
【０１２５】
ある可能な例において、前記第１のサブキャリア間隔が予め構成されたサブキャリア間隔であり、又は、前記第１のサブキャリア間隔が、前記ＳＦＩを搬送するキャリアのサブキャリア間隔であり、又は、前記第１のサブキャリア間隔が、前記ネットワークデバイスからの構成情報により構成されたサブキャリア間隔である。
【０１２６】
ある可能な例において、前記ＳＦＩがキャリア数の識別情報を含み、前記キャリア数の識別情報が、前記少なくとも１つのキャリアに含まれるキャリア数を示す。
【０１２７】
ある可能な例において、前記ＳＦＩが少なくとも１つのキャリアアイデンティティを含み、前記少なくとも１つのキャリアアイデンティティのキャリアアイデンティティの数が前記キャリアの数と同じであり、前記少なくとも１つのキャリアアイデンティティの各キャリアアイデンティティが、前記少なくとも１つのキャリアのうちの１つのキャリアを示し、前記少なくとも１つのキャリアアイデンティティのうちの異なるキャリアアイデンティティによって示すキャリアが異なる。
【０１２８】
以上、主に各ネットワークエンティティ間のインタラクションという観点から本願実施例の仕組みを紹介した。端末及びネットワークデバイスは、上記機能を実現するために、それぞれの機能を実行するためのハードウェア構成及び/又はソフトウェアモジュールを含むことが理解されよう。当業者は、本明細書に開示される実施形態に関連して説明される様々な例のユニットおよびアルゴリズムステップが、ハードウェアまたはハードウェアとコンピュータソフトウェアとの組合せの形態で本開示が実施され得ることを容易に認識するであろう。ある機能がハードウェアで実行されるか、コンピュータソフトウェアドライバハードウェアで実行されるかは、特許請求の範囲の特定のアプリケーション及び設計制約に依存する。当業者は、説明された機能を実施するために、特定のアプリケーションごとに異なる方法を使用することができるが、そのような実施は、本開示の範囲を超えると考えられるべきではない。
【０１２９】
本発明の実施形態は、上記の方法例に従って端末及びネットワークデバイスを機能ユニットに分割してもよく、例えば、各機能ユニットを各機能に応じて分割してもよく、２つ以上の機能を１つの処理ユニットに統合してもよい。上記の統合されたユニットは、ハードウェアの形態で実現されてもよいし、ソフトウェアプログラムモジュールの形態で実現されてもよい。なお、本願実施例におけるユニットの分割は模式的なものであり、一の論理的な機能分割のみのものであり、実際の実現には別の分割形態があり得る。 
図８は、統合ユニットを用いる場合における、上記実施例に係るネットワークデバイス、すなわち第１のネットワークデバイスの機能構成の一例を示すブロック図である。ネットワークデバイス８００は、処理ユニット８０２と、通信ユニット８０３とを備える。処理ユニット８０２は、ネットワークデバイスの動作を制御管理するために使用され、例えば、処理ユニット８０２は、図２のステップＳ２０１、図５の５０１、及び/又は本明細書に記載される技術のための他のプロセスを実行するネットワークデバイスをサポートするために使用される。通信ユニット８０３は、ネットワークデバイスと他の機器、例えば図７に示す端末との通信を支援するためのものである。また、ネットワークデバイスは、そのプログラムコード及びデータを記憶する記憶ユニット８０１を有していてもよい。
【０１３０】
ここで、処理ユニット８０２は、プロセッサ又はコントローラであってよく、通信ユニット８０３は、送受信機、送受信回路、無線周波数チップ等であってよく、記憶ユニット８０１は、メモリであってよい。
【０１３１】
ここで、前記処理ユニット８０２は、通信ユニット８０３を介して端末にスロットフォーマット指示ＳＦＩを送信するように構成され、前記ＳＦＩが少なくとも１つのキャリアのスロットフォーマットを示し、前記少なくとも１つのキャリアが第１のキャリアを含み、前記ＳＦＩが示すスロットフォーマットが第１のサブキャリア間隔に基づいて決定され、前記第１のキャリアのサブキャリア間隔が前記第１のサブキャリア間隔の整数倍である。
【０１３２】
ある可能な例において、前記少なくとも１つのキャリアがさらに第２のキャリアを含み、前記第２のキャリアのサブキャリア間隔が前記第１のサブキャリア間隔であり、前記第１のキャリアのサブキャリア間隔が第２のサブキャリア間隔であり、前記第２のサブキャリア間隔が前記第１のサブキャリア間隔のＮ倍である場合、前記第１のキャリアにおいて前記ＳＦＩによって示すスロット数が前記第２のキャリアにおいて前記ＳＦＩによって示すスロット数のＮ倍であり、Ｎが正の整数である。
【０１３３】
ある可能な例において、前記第２のキャリアにおいて前記ＳＦＩによって示すｉ番目のスロットの開始時間が前記第１のキャリアにおいて前記ＳＦＩによって示す（ｉ−１）＊Ｎ＋１番目のスロットの開始時間と同じであり、前記第２のキャリアにおいて前記ＳＦＩによって示すｉ番目のスロットの終了時間が前記第１のキャリアにおいて前記ＳＦＩによって示すｉ＊Ｎ番目のスロットの終了時間と同じであり、且つ前記第１のキャリアにおいて前記ＳＦＩによって示す（ｉ−１）＊Ｎ＋１番目〜ｉ＊Ｎ番目のスロットのスロットフォーマットが同じであり、ｉが正の整数である。
【０１３４】
ある可能な例において、前記第１のサブキャリア間隔が予め構成されたサブキャリア間隔であり、又は、前記第１のサブキャリア間隔が、前記ＳＦＩを搬送するキャリアのサブキャリア間隔であり、又は、前記第１のサブキャリア間隔が、前記ネットワークデバイスからの構成情報により構成されたサブキャリア間隔である。
【０１３５】
ある可能な例において、前記ＳＦＩがキャリア数の識別情報を含み、前記キャリア数の識別情報が、前記少なくとも１つのキャリアに含まれるキャリア数を示す。
【０１３６】
ある可能な例において、前記ＳＦＩが少なくとも１つのキャリアアイデンティティを含み、前記少なくとも１つのキャリアアイデンティティのキャリアアイデンティティの数が前記キャリアの数と同じであり、前記少なくとも１つのキャリアアイデンティティの各キャリアアイデンティティが、前記少なくとも１つのキャリアのうちの１つのキャリアを示し、前記少なくとも１つのキャリアアイデンティティのうちの異なるキャリアアイデンティティによって示すキャリアが異なる。
【０１３７】
処理ユニット８０２がプロセッサであり、通信ユニット８０３が通信インタフェースであり、記憶ユニット８０１がメモリである場合、本願の実施形態に係るネットワークデバイスは、図６に示すネットワークデバイスであってもよい。
【０１３８】
図９は、一体型の装置を用いる場合における、上記実施形態に係る端末デバイスの機能的な構成を示すブロック図である。端末９００は、処理ユニット９０２及び通信ユニット９０３を有する。処理ユニット９０２は、端末の動作を制御管理するために使用され、例えば、処理ユニット９０２は、図４のステップ４０１-４０２、図５のステップ４０２-４０３、及び/又は本明細書に記載される技術のための他のプロセスを実行する端末をサポートするために使用される。通信ユニット９０３は、端末と他の装置との通信、例えば、図６に示すネットワークデバイスとの通信を支援するためのものである。端末は、端末のプログラムコード及びデータを記憶するための記憶ユニット９０１を更に含むことができる。
【０１３９】
ここで、処理ユニット９０２は、プロセッサ又はコントローラであってよく、例えば、中央処理装置( Ｃｅｎｔｒａｌ Ｐｒｏｃｅｓｓｉｎｇ Ｕｎｉｔ、ＣＰＵ )、汎用プロセッサ、デジタル信号プロセッサ( Ｄｉｇｉｔａｌ Ｓｉｇｎａｌ Ｐｒｏｃｅｓｓｏｒ、ＤＳＰ )、特定用途向け集積回路( Ａｐｐｌｉｃａｔｉｏｎ−Ｓｐｅｃｉｆｉｃ Ｉｎｔｅｇｒａｔｅｄ Ｃｉｒｃｕｉｔ、ＡＳＩＣ )、フィールドプログラマブルゲートアレイ( Ｆｉｅｌｄ Ｐｒｏｇｒａｍｍａｂｌｅ Ｇａｔｅ Ａｒｒａｙ、ＦＰＧＡ )、又は他のプログラマブル論理デバイス、トランジスタロジックデバイス、ハードウェアコンポーネント、又はこれらの任意の組み合わせであってよい。本開示に関連して説明された様々な例示的な論理ブロック、モジュール、および回路を実装または実行することができる。プロセッサはまた、例えば、１つ以上のマイクロプロセッサの組み合わせ、ＤＳＰとマイクロプロセッサの組み合わせなどを含む、計算機能を実装する組み合わせであってもよい。通信ユニット９０３は、送受信機、送受信回路等であり、記憶ユニット９０１は、メモリ等である。
【０１４０】
ここで、前記処理ユニット９０２は、通信ユニット９０３を介してネットワークデバイスからのスロットフォーマット指示ＳＦＩを受信するように構成され、前記ＳＦＩが少なくとも１つのキャリアのスロットフォーマットを示し、前記少なくとも１つのキャリアが第１のキャリアを含み、前記ＳＦＩが示すスロットフォーマットが第１のサブキャリア間隔に基づいて決定され、前記第１のキャリアのサブキャリア間隔が前記第１のサブキャリア間隔の整数倍であり、該処理ユニット９０２は、さらに前記ＳＦＩに基づいて、前記少なくとも１つのキャリアの各キャリア上のスロットフォーマットを決定するように構成される。
【０１４１】
ある可能な例において、前記少なくとも１つのキャリアがさらに第２のキャリアを含み、前記第２のキャリアのサブキャリア間隔が前記第１のサブキャリア間隔であり、前記第１のキャリアのサブキャリア間隔が第２のサブキャリア間隔であり、前記第２のサブキャリア間隔が前記第１のサブキャリア間隔のＮ倍である場合、前記第１のキャリアにおいて前記ＳＦＩによって示すスロット数が前記第２のキャリアにおいて前記ＳＦＩによって示すスロット数のＮ倍であり、Ｎが正の整数である。
【０１４２】
ある可能な例において、前記第２のキャリアにおいて前記ＳＦＩによって示すｉ番目のスロットの開始時間が前記第１のキャリアにおいて前記ＳＦＩによって示す（ｉ−１）＊Ｎ＋１番目のスロットの開始時間と同じであり、前記第２のキャリアにおいて前記ＳＦＩによって示すｉ番目のスロットの終了時間が前記第１のキャリアにおいて前記ＳＦＩによって示すｉ＊Ｎ番目のスロットの終了時間と同じであり、且つ前記第１のキャリアにおいて前記ＳＦＩによって示す（ｉ−１）＊Ｎ＋１番目〜ｉ＊Ｎ番目のスロットのスロットフォーマットが同じであり、ｉが正の整数である。
【０１４３】
ある可能な例において、前記第１のサブキャリア間隔が予め構成されたサブキャリア間隔であり、又は、前記第１のサブキャリア間隔が、前記ＳＦＩを搬送するキャリアのサブキャリア間隔であり、又は、前記第１のサブキャリア間隔が、前記ネットワークデバイスからの構成情報により構成されたサブキャリア間隔である。
【０１４４】
ある可能な例において、前記ＳＦＩがキャリア数の識別情報を含み、前記キャリア数の識別情報が、前記少なくとも１つのキャリアに含まれるキャリア数を示す。
【０１４５】
ある可能な例において、前記ＳＦＩが少なくとも１つのキャリアアイデンティティを含み、前記少なくとも１つのキャリアアイデンティティのキャリアアイデンティティの数が前記キャリアの数と同じであり、前記少なくとも１つのキャリアアイデンティティの各キャリアアイデンティティが、前記少なくとも１つのキャリアのうちの１つのキャリアを示し、前記少なくとも１つのキャリアアイデンティティのうちの異なるキャリアアイデンティティによって示すキャリアが異なる。
【０１４６】
処理ユニット９０２がプロセッサであり、通信ユニット９０３が通信インタフェースであり、記憶ユニット９０１がメモリである場合、本願の実施形態に係る端末は、図７に示す端末であってもよい。
【０１４７】
本願の実施例は、電子データ交換のためのコンピュータプログラムを記憶するコンピュータ可読記憶媒体をさらに提供し、コンピュータプログラムは、コンピュータに、上述の方法の実施例の端末に記載されるステップの一部又は全部を実行させる。
【０１４８】
本願の実施例は、電子データ交換のためのコンピュータプログラムを記憶するコンピュータ可読記憶媒体をさらに提供し、コンピュータプログラムは、コンピュータに、上述の方法の実施例のネットワークデバイスに記載されるステップの一部又は全部を実行させる。
【０１４９】
本発明の実施例は、コンピュータプログラムを記憶する非一時的コンピュータ可読記憶媒体を含むコンピュータプログラム製品をさらに提供し、コンピュータプログラムは、上述の方法の実施例の端末に記載されるステップの一部又は全部をコンピュータに実行させるように動作可能である。また、前記コンピュータプログラムは、ソフトウェアのインストールパッケージであってもよい。
【０１５０】
本発明の実施例は、コンピュータプログラムを記憶する非一時的コンピュータ可読記憶媒体を含むコンピュータプログラム製品をさらに提供し、コンピュータプログラムは、上述の方法の実施例のネットワークデバイスに記載されるステップの一部又は全部をコンピュータに実行させるように動作可能である。また、前記コンピュータプログラムは、ソフトウェアのインストールパッケージであってもよい。
【０１５１】
本願の実施例に記載された方法またはアルゴリズムのステップは、ハードウェアで実現されてもよく、プロセッサがソフトウェア命令を実行する方式で実現されてもよい。ソフトウェア命令は、ランダムアクセスメモリ( Ｒａｎｄｏｍ Ａｃｃｅｓｓ Ｍｅｍｏｒｙ、ＲＡＭ )、フラッシュメモリ、リードオンリーメモリ( Ｒｅａｄ Ｏｎｌｙ Ｍｅｍｏｒｙ、ＲＯＭ )、消去可能プログラマブルリードオンリーメモリ( Ｅｒａｓａｂｌｅ Ｐｒｏｇｒａｍｍａｂｌｅ ＲＯＭ、ＥＰＲＯＭ )、電気的消去可能プログラマブルリードオンリーメモリ( Ｅｌｅｃｔｒｉｃａｌｌｙ ＥＰＲＯＭ、ＥＥＰＲＯＭ )、レジスタ、ハードディスク、モバイルハードディスク、リードオンリーディスク( ＣＤ−ＲＯＭ )、または当技術分野で周知の任意の他の形態の記憶媒体に格納され得る、対応するソフトウェアモジュールから構成され得る。例示的な記憶媒体は、プロセッサが記憶媒体から情報を読み取り、記憶媒体に情報を書き込むことを可能にするように、プロセッサに結合される。もちろん、記憶媒体はプロセッサの一部であってもよい。プロセッサおよび記憶媒体は、AＳIC内に配置され得る。また、ＡＳＩＣは、アクセスネットワークデバイス、ターゲットネットワークデバイス、またはコアネットワークデバイス内に配置され得る。もちろん、プロセッサおよび記憶媒体は、アクセスネットワークデバイス、ターゲットネットワークデバイス、またはコアネットワークデバイス内に個別構成要素として存在してもよい。
【０１５２】
当業者は、上述の１つ以上の例において、本願の実施例に記載される機能が、ソフトウェア、ハードウェア、ファームウェア、またはそれらの任意の組合せによって、全体的にまたは部分的に実装され得ることを認識するであろう。ソフトウェアで実装する場合、全体的に又は部分的にコンピュータプログラム製品の形態で実装することができる。コンピュータプログラム製品は、１つ以上のコンピュータ命令を含む。コンピュータプログラム命令は、コンピュータ上でロードされ実行されると、本願の実施形態にしたがったフローまたは機能を全体的にまたは部分的に生成する。コンピュータは、汎用コンピュータ、専用コンピュータ、コンピュータネットワーク、又は他のプログラム可能な装置であってもよい。コンピュータ命令は、コンピュータ可読記憶媒体に記憶されてもよく、または、例えば、１つのウェブサイト、コンピュータ、サーバ、またはデータセンターから、別のウェブサイト、コンピュータ、サーバ、またはデータセンターへ、有線(例えば、同軸ケーブル、光ファイバ、デジタル加入者線( Ｄｉｇｉｔａｌ Ｓｕｂｓｃｒｉｂｅｒ Ｌｉｎｅ、ＤＳＬ ) )、または無線(例えば、赤外線、無線、マイクロ波など)手段によって送信されてもよい。コンピュータ可読記憶媒体は、コンピュータによってアクセス可能な任意の利用可能な媒体、または１つ以上の利用可能な媒体と一体化されたサーバ、データセンターなどを含むデータ記憶デバイスであり得る。利用可能な媒体は、磁気媒体(例えば、フロッピーディスク、ハードディスク、磁気テープ)、光学媒体(例えば、デジタルビデオディスク( Ｄｉｇｉｔａｌ Ｖｉｄｅｏ Ｄｉｓｃ、ＤＶＤ ) )、又は半導体媒体(例えば、ソリッドステートドライブ( ＳＳＤ ) )などであってもよい。
【０１５３】
本発明の実施例の目的、技術的解決策、および効果を、上記の具体的な実施例についてさらに詳細に説明したが、上記の説明は、本発明の実施例の具体的な実施形態にすぎず、本発明の実施形態の保護範囲を制限するものではなく、本発明の実施形態の技術的解決策に基づいて、本発明の実施例の保護範囲内に含まれるあらゆる修正、均等物、および改良がなされるべきであることが理解される。
【手続補正２】
【補正対象書類名】特許請求の範囲
【補正対象項目名】全文
【補正方法】変更
【補正の内容】
【特許請求の範囲】
【請求項１】
ネットワークデバイスが端末にスロットフォーマット指示ＳＦＩを送信することを含み、
前記ＳＦＩが少なくとも１つのキャリアのスロットフォーマットを示し、前記少なくとも１つのキャリアが第１のキャリアを含み、前記第１のキャリアのサブキャリア間隔が前記第１のサブキャリア間隔のＸ倍であり、Ｘが正の整数であり、
前記ＳＦＩが示す各スロットフォーマットは、第１のサブキャリアのＸ個のスロットのスロットフォーマットを決定するために使用される
ことを特徴とするスロットフォーマット指示方法。
【請求項２】
Ｘの値は、２、４、６、８又は１６である
ことを特徴とする請求項１に記載のスロットフォーマット指示方法。
【請求項３】
前記少なくとも１つのキャリアがさらに第２のキャリアを含み、前記第１のキャリアのサブキャリア間隔が第２のサブキャリア間隔であり、前記第１のキャリアの前記第２のサブキャリア間隔が前記第１のサブキャリア間隔のＮ倍であり、前記ＳＦＩによって示すスロットフォーマットが前記第１のキャリアのＮ個のスロットに応用され、前記第１のキャリアにおいて前記ＳＦＩによって示すスロット数が前記第２のキャリアにおいて前記ＳＦＩによって示すスロット数のＮ倍であり、Ｎが正の整数である
ことを特徴とする請求項１に記載のスロットフォーマット指示方法。
【請求項４】
前記第１のサブキャリア間隔が１５ＫＨｚであり、前記第１のキャリアのサブキャリア間隔が６０ＫＨｚである
ことを特徴とする請求項１に記載のスロットフォーマット指示方法。
【請求項５】
前記ＳＦＩが少なくとも１つのキャリアインデックスを含み、
前記少なくとも１つのキャリアインデックスの数が前記少なくとも１つのキャリアの数と同じである
ことを特徴とする請求項１に記載のスロットフォーマット指示方法。
【請求項６】
前記少なくとも１つのキャリアがさらに第２のキャリアを含み、
前記第２のキャリアのサブキャリア間隔が前記第１のサブキャリア間隔に等しく、
前記ＳＦＩによって示す各スロットフォーマットは、前記第２のキャリアの１つのススロットのスロットフォーマットを決定するために使用される
ことを特徴とする請求項１に記載のスロットフォーマット指示方法。
【請求項７】
前記第２のキャリアにおいて前記ＳＦＩによって示すｉ番目のスロットの開始時間が前記第１のキャリアにおいて前記ＳＦＩによって示す（ｉ−１）＊Ｘ＋１番目のスロットの開始時間と同じであり、前記第２のキャリアにおいて前記ＳＦＩによって示すｉ番目のスロットの終了時間が前記第１のキャリアにおいて前記ＳＦＩによって示すｉ＊Ｘ番目のスロットの終了時間と同じであり、且つ前記第１のキャリアにおいて前記ＳＦＩによって示す（ｉ−１）＊Ｘ＋１番目〜ｉ＊Ｘ番目のスロットのスロットフォーマットが同じであり、ｉが正の整数である
ことを特徴とする請求項６に記載のスロットフォーマット指示方法。
【請求項８】
端末がネットワークデバイスにより送信されたスロットフォーマット指示ＳＦＩを受信することと、
前記端末が前記ＳＦＩに示す各スロットフォーマットに基づいて、第１のサブキャリアのＸ個のスロットのスロットフォーマットを決定することとを含み、
前記ＳＦＩが少なくとも１つのキャリアのスロットフォーマットを示し、前記少なくとも１つのキャリアが第１のキャリアを含み、前記第１のキャリアのサブキャリア間隔が前記第１のサブキャリア間隔のＸ倍であり、Ｘが正の整数である
ことを特徴とするスロットフォーマット指示方法。
【請求項９】
Ｘの値は、２、４、６、８又は１６である
ことを特徴とする請求項８に記載のスロットフォーマット指示方法。
【請求項１０】
前記少なくとも１つのキャリアがさらに第２のキャリアを含み、前記第１のキャリアのサブキャリア間隔が第２のサブキャリア間隔であり、前記第１のキャリアの前記第２のサブキャリア間隔が前記第１のサブキャリア間隔のＮ倍でり、前記ＳＦＩによって示すスロットフォーマットが前記第１のキャリアのＮ個のスロットに応用され、前記第１のキャリアにおいて前記ＳＦＩによって示すスロット数が前記第２のキャリアにおいて前記ＳＦＩによって示すスロット数のＮ倍であり、Ｎが正の整数である
ことを特徴とする請求項８に記載のスロットフォーマット指示方法。
【請求項１１】
前記第１のサブキャリア間隔が１５ＫＨｚであり、前記第１のキャリアのサブキャリア間隔が６０ＫＨｚである
ことを特徴とする請求項８に記載のスロットフォーマット指示方法。
【請求項１２】
前記ＳＦＩが少なくとも１つのキャリアインデックスを含み、
前記少なくとも１つのキャリアインデックスの数が前記少なくとも１つのキャリアの数と同じである
ことを特徴とする請求項８に記載のスロットフォーマット指示方法。
【請求項１３】
前記少なくとも１つのキャリアがさらに第２のキャリアを含み、
前記第２のキャリアのサブキャリア間隔が前記第１のサブキャリア間隔に等しく、
前記ＳＦＩによって示す各スロットフォーマットは、前記第２のキャリアの１つのススロットのスロットフォーマットを決定するために使用される
ことを特徴とする請求項８に記載のスロットフォーマット指示方法。
【請求項１４】
前記第２のキャリアにおいて前記ＳＦＩによって示すｉ番目のスロットの開始時間が前記第１のキャリアにおいて前記ＳＦＩによって示す（ｉ−１）＊Ｘ＋１番目のスロットの開始時間と同じであり、前記第２のキャリアにおいて前記ＳＦＩによって示すｉ番目のスロットの終了時間が前記第１のキャリアにおいて前記ＳＦＩによって示すｉ＊Ｘ番目のスロットの終了時間と同じであり、且つ前記第１のキャリアにおいて前記ＳＦＩによって示す（ｉ−１）＊Ｘ＋１番目〜ｉ＊Ｘ番目のスロットのスロットフォーマットが同じであり、ｉが正の整数である
ことを特徴とする請求項１３に記載のスロットフォーマット指示方法。
【請求項１５】
プロセッサと、メモリと、送受信機と、前記メモリに記憶され前記プロセッサによって実行されるように構成された１つ以上のプログラムとを備え、前記プログラムは、請求項１〜７のいずれか１項に記載の方法におけるステップを実行するための命令を含む
ことを特徴とするネットワークデバイス。
【請求項１６】
プロセッサと、メモリと、通信インターフェースと、前記メモリに記憶され前記プロセッサによって実行されるように構成された１つ以上のプログラムとを備え、前記プログラムは、請求項８〜１４のいずれか１項に記載の方法におけるステップを実行するための命令を含む
ことを特徴とする端末。
【手続補正３】
【補正対象書類名】図面
【補正対象項目名】全図
【補正方法】変更
【補正の内容】
【図１】
2021510019.tif 000012
【図２】
2021510019.tif 000013
【図３】
2021510019.tif 000014
【図４】
2021510019.tif 000015
【図５】
2021510019.tif 000016
【図６】
2021510019.tif 000017
【図７】
2021510019.tif 000018
【図８】
2021510019.tif 000019
【図９】
2021510019.tif 000020
【国際調査報告】
2021510019.tif 000021
2021510019.tif 000022
2021510019.tif 000023
2021510019.tif 000024
2021510019.tif 000025